(57)【要約】  書込みミスをより低減し、良好な画質を得ることができるプラズマディスプレイパネルの駆動方法及びプラズマディスプレイ装置を提供することを課題とする。  本発明に係るプラズマディスプレイパネルの駆動方法は、複数の走査電極を奇数行と偶数行の２つの走査電極グループに分け、各サブフィールド期間の書込み期間を、各走査電極グループを割り当てるようにして第１及び第２のサブ期間（Ｔａ、Ｔｂ）に分割し、各々のサブ期間（Ｔａ、Ｔｂ）に、各走査電極グループの走査電極に対し選択電位（Ｖｂ）と第１非選択電位（Ｖｓ）とを与えるようにして走査電極を順次選択し、各々の走査電極の選択と同期して選択すべきデータ電極（Ｄ１〜Ｄｍ）に書込み電位（Ｖｗ）を与え、第１のサブ期間（Ｔａ）に選択電位（Ｖｂ）を与える時間（ｔａ）を第２のサブ期間（Ｔｂ）に選択電位（Ｖｂ）を与える時間（ｔｂ）よりも短くし、第１のサブ期間（Ｔａ）に、第２のサブ期間（Ｔｂ）に割り当てられた走査電極グループの走査電極（ＳＣＮｂ）に対し、第１非選択電位（Ｖｓ）より高い第２非選択電位（Ｖｘ）を与える。
2007142254.tif 000002
【特許請求の範囲】
【請求項１】
対をなす走査電極及び維持電極からなる複数の表示電極対と複数のデータ電極とが間隙を有して交差するように配設され、前記間隙を形成する前記表示電極対及び前記データ電極とを有し前記間隙に放電空間が形成された複数の放電セルを有したプラズマディスプレイパネルの駆動方法であって、
前記複数の表示電極対に含まれる複数の前記走査電極が複数の走査電極グループからなり、前記走査電極グループが少なくとも１の前記走査電極からなる複数の走査電極サブグループを有し、異なる走査電極グループに含まれる前記走査電極サブグループが隣接して存在するとともに同一走査電極グループに含まれる前記走査電極サブグループが互いに隣接して存在しないように、前記複数の走査電極を複数の前記走査電極グループにグループ分けし、
１フィールド期間を、前記放電セル内部を書込み放電が可能な帯電状態にする初期化期間と、点灯させる前記放電セルに前記書込み放電を生じさせる書込み期間と、前記書込み放電を生じさせた前記放電セルを点灯させる維持期間とを有する複数のサブフィールドに分割し、
各サブフィールドの前記書込み期間を、それぞれ異なる１つの前記走査電極グループを割り当てるように複数の書込みサブ期間に分割し、
前記書込みサブ期間に、前記書込みサブ期間に割り当てられた走査電極グループの前記走査電極を有する前記放電セルのうち前記点灯させるべき放電セルに前記書込み放電を生じさせるために、前記書込みサブ期間に割り当てられた走査電極グループの前記走査電極に対し選択と非選択とに応じて選択電位と第１非選択電位とを与えるようにして前記走査電極を順次選択し、各々の前記走査電極の選択と同期して選択すべき前記データ電極に書込み電位を与え、
前記複数の書込みサブ期間のうち最後の前記書込みサブ期間を除く一の前記書込みサブ期間において前記走査電極に対して前記選択電位を与える時間を、前記最後の書込みサブ期間において前記走査電極に対して前記選択電位を与える時間よりも短くし、
一の前記走査電極グループを割り当てた書込みサブ期間より前のいずれかの前記書込みサブ期間において、前記一の走査電極グループの前記走査電極に対し前記第１非選択電位より高い第２非選択電位を与える、プラズマディスプレイパネルの駆動方法。
【請求項２】
前記書込みサブ期間に割り当てられた走査電極グループと対をなす前記維持電極に第１待機電位を与え、前記一の走査電極グループを割り当てた書込みサブ期間より前のいずれかの前記書込みサブ期間において、前記一の走査電極グループの前記走査電極と対をなす前記維持電極に対し、前記第１待機電位より低い第２待機電位を与える、請求項１に記載のプラズマディスプレイパネルの駆動方法。
【請求項３】
前記第２待機電位は、前記選択電位より高い、請求項２に記載のプラズマディスプレイパネルの駆動方法。
【請求項４】
前記第２待機電位は、接地電位である、請求項２に記載のプラズマディスプレイパネルの駆動方法。
【請求項５】
前記一の走査電極グループを割り当てた書込みサブ期間の直前の書込みサブ期間に前記一の走査電極グループの前記走査電極に前記第２非選択電位を与え、
前記一の走査電極グループを割り当てた書込みサブ期間の直前の書込みサブ期間と、前記一の走査電極グループを割り当てた書込みサブ期間との間に、予め定められた所定時間からなり、全ての前記走査電極に対して前記選択電位を与えない書込み休止期間を設け、
前記書込み休止期間の前半に、前記一の走査電極グループの前記走査電極に与える電位を、前記第２非選択電位から前記第１非選択電位に切替える、請求項１または２に記載のプラズマディスプレイパネルの駆動方法。
【請求項６】
前記書込み休止期間の前半に前記一の走査電極グループの前記走査電極に与える電位が前記第１非選択電位に切替えられたことによる前記維持電極の電位変動が、前記書込み休止期間の期間内に実質的に終了するよう、前記書込み休止期間の前記所定時間が予め定められている、請求項５に記載のプラズマディスプレイパネルの駆動方法。
【請求項７】
各サブフィールド期間において、前記初期化期間に、前記走査電極に対し、上昇後に下降する第１のランプ電位と、前記第１のランプ電位の最高電位よりも低い電位から下降する第２のランプ電位とのうちのいずれかを与えるようにし、
前記第２非選択電位は、前記第１のランプ電位の最高電位より低い、請求項１または２に記載のプラズマディスプレイパネルの駆動方法。
【請求項８】
前記走査電極グループのグループ数が２つである、請求項１または２に記載のプラズマディスプレイパネルの駆動方法。
【請求項９】
各々の前記書込みサブ期間に割り当てられる前記走査電極グループが、１フィールドごとに異なる、請求項１または２に記載のプラズマディスプレイパネルの駆動方法。
【請求項１０】
各々の前記書込みサブ期間に割り当てられる前記走査電極グループが、１サブフィールドごとに異なる、請求項１または２に記載のプラズマディスプレイパネルの駆動方法。
【請求項１１】
各々の前記書込みサブ期間に割り当てられる前記走査電極グループが、１フィールドごとに異なり、かつ、１サブフィールドごとに異なる、請求項１または２に記載のプラズマディスプレイパネルの駆動方法。
【請求項１２】
前記放電セルに、分圧比が７％以上のキセノンガスを含む放電ガスが充填されている、請求項１または２に記載のプラズマディスプレイパネルの駆動方法。
【請求項１３】
各々の前記データ電極が全ての前記走査電極と交差するように配設され、前記書込み期間において前記走査電極を１本ずつ選択する、請求項１または２に記載のプラズマディスプレイパネルの駆動方法。
【請求項１４】
各々の前記放電セルの占有面積が、２．６９６×１０−４ｃｍ２以上、４．４３２×１０−３ｃｍ２以下である、請求項１または２に記載のプラズマディスプレイパネルの駆動方法。
【請求項１５】
対をなす走査電極及び維持電極からなる複数の表示電極対と複数のデータ電極とが間隙を有して交差するように配設され、前記間隙を形成する前記表示電極対及び前記データ電極とを有し前記間隙に放電空間が形成された複数の放電セルを有したプラズマディスプレイパネルと、前記プラズマディスプレイパネルを駆動する駆動装置とを備え、
前記駆動装置は、
前記複数の表示電極対に含まれる複数の前記走査電極が複数の走査電極グループからなり、前記走査電極グループが少なくとも１の前記走査電極からなる複数の走査電極サブグループを有し、異なる走査電極グループに含まれる前記走査電極サブグループが隣接して存在するとともに同一走査電極グループに含まれる前記走査電極サブグループが互いに隣接して存在しないように、前記複数の走査電極を複数の前記走査電極グループにグループ分けし、
１フィールド期間を、前記放電セル内部を書込み放電が可能な帯電状態にする初期化期間と、点灯させる前記放電セルに前記書込み放電を生じさせる書込み期間と、前記書込み放電を生じさせた前記放電セルを点灯させる維持期間とを有する複数のサブフィールドに分割し、
各サブフィールドの前記書込み期間を、それぞれ異なる１つの前記走査電極グループを割り当てるように複数の書込みサブ期間に分割し、
前記書込みサブ期間に、前記書込みサブ期間に割り当てられた走査電極グループの前記走査電極を有する前記放電セルのうち前記点灯させるべき放電セルに前記書込み放電を生じさせるために、前記書込みサブ期間に割り当てられた走査電極グループの前記走査電極に対し選択と非選択とに応じて選択電位と第１非選択電位とを与えるようにして前記走査電極を順次選択し、各々の前記走査電極の選択と同期して選択すべき前記データ電極に書込み電位を与え、
前記複数の書込みサブ期間のうち最後の前記書込みサブ期間を除く一の前記書込みサブ期間において前記走査電極に対して前記選択電位を与える時間を、前記最後の書込みサブ期間において前記走査電極に対して前記選択電位を与える時間よりも短くし、
一の前記走査電極グループを割り当てた書込みサブ期間より前のいずれかの前記書込みサブ期間において、前記一の走査電極グループの前記走査電極に対し前記第１非選択電位より高い第２非選択電位を与えるように構成された、プラズマディスプレイ装置。
【請求項１６】
前記駆動装置は、前記書込みサブ期間に割り当てられた走査電極グループと対をなす前記維持電極に第１待機電位を与え、前記一の走査電極グループを割り当てた書込みサブ期間より前のいずれかの前記書込みサブ期間において、前記一の走査電極グループの前記走査電極と対をなす前記維持電極に対し、前記第１待機電位より低い第２待機電位を与える、請求項１５に記載のプラズマディスプレイ装置。
【請求項１７】
前記第２待機電位は、前記選択電位より高い、請求項１６に記載のプラズマディスプレイ装置。
【請求項１８】
前記第２待機電位は、接地電位である、請求項１６に記載のプラズマディスプレイ装置。
【請求項１９】
前記駆動装置は、
前記一の走査電極グループを割り当てた書込みサブ期間の直前の書込みサブ期間に前記一の走査電極グループの前記走査電極に前記第２非選択電位を与え、
前記一の走査電極グループを割り当てた書込みサブ期間の直前の書込みサブ期間と、前記一の走査電極グループを割り当てた書込みサブ期間との間に、予め定められた所定時間からなり、全ての前記走査電極に対して前記選択電位を与えない書込み休止期間を設け、
前記書込み休止期間の前半に、前記一の走査電極グループの前記走査電極に与える電位を、前記第２非選択電位から前記第１非選択電位に切替える、請求項１５または１６に記載のプラズマディスプレイ装置。
【請求項２０】
前記駆動装置は、前記書込み休止期間の前半に前記一の走査電極グループの前記走査電極に与える電位が前記第１非選択電位に切替えられたことによる前記維持電極の電位変動が、前記書込み休止期間の期間内に実質的に終了するよう、前記書込み休止期間の前記所定時間が予め定められている、請求項５に記載のプラズマディスプレイ装置。
【請求項２１】
前記駆動装置は、各サブフィールド期間において、前記初期化期間に、前記走査電極に対し、上昇後に下降する第１のランプ電位と、前記第１のランプ電位の最高電位よりも低い電位から下降する第２のランプ電位とのうちのいずれかを与えるようにし、
前記第２非選択電位は、前記第１のランプ電位の最高電位より低い、請求項１５または１６に記載のプラズマディスプレイ装置。
【請求項２２】
前記走査電極グループのグループ数が２つである、請求項１５または１６に記載のプラズマディスプレイ装置。
【請求項２３】
各々の前記書込みサブ期間に割り当てられる前記走査電極グループが、１フィールドごとに異なる、請求項１５または１６に記載のプラズマディスプレイ装置。
【請求項２４】
各々の前記書込みサブ期間に割り当てられる前記走査電極グループが、１サブフィールドごとに異なる、請求項１５または１６に記載のプラズマディスプレイ装置。
【請求項２５】
各々の前記書込みサブ期間に割り当てられる前記走査電極グループが、１フィールドごとに異なり、かつ、１サブフィールドごとに異なる、請求項１５または１６に記載のプラズマディスプレイ装置。
【請求項２６】
前記放電セルに、分圧比が７％以上のキセノンガスを含む放電ガスが充填されている、請求項１５または１６に記載のプラズマディスプレイ装置。
【請求項２７】
各々の前記データ電極が全ての前記走査電極と交差するように配設され、前記駆動装置は前記書込み期間において前記走査電極を１本ずつ選択する、請求項１５または１６に記載のプラズマディスプレイ装置。
【請求項２８】
各々の前記放電セルの占有面積が、２．６９６×１０−４ｃｍ２以上、４．４３２×１０−３ｃｍ２以下である、請求項１５または１６に記載のプラズマディスプレイ装置。
【発明の詳細な説明】
【技術分野】
【０００１】
本発明は、交流型のプラズマディスプレイパネルの駆動方法及びプラズマディスプレイ装置に関する。
【背景技術】
【０００２】
プラズマディスプレイパネル（以下、「ＰＤＰ」という）として代表的な交流面放電型パネルでは、対向配置された２つの基板の前面板と背面板との間に多数の放電セルが形成されている。前面板では、対をなして互いに平行な走査電極と維持電極とからなる表示電極対が前面ガラス基板上に複数対形成され、それら表示電極を覆うように誘電体層および保護層（例えばＭｇＯ薄膜）が形成されている。背面板では、背面ガラス基板上に複数のデータ電極が互いに平行に形成され、その上にデータ電極を覆うように誘電体層が形成され、さらにその上にデータ電極と平行に複数の隔壁がそれぞれ形成され、誘電体層の表面と隔壁の側面とに蛍光体層が形成されている。そして、表示電極とデータ電極とが立体交差するように前面板と背面板とが対向配置されて密封され、内部の放電空間には放電ガスが封入されている。ここで各放電セルが、１つの表示電極対と１つのデータ電極とを備え、それらの間の放電空間を含んで構成される。【０００３】
このようなＰＤＰを備えたプラズマディスプレイ装置には、ＰＤＰの各電極にそれぞれ駆動電位信号を与えるための駆動回路、具体的には、走査電極に駆動電位信号を与える走査電極駆動回路、維持電極に駆動電位信号を与える維持電極駆動回路、データ電極に駆動電位信号を与えるデータ電極駆動回路が備えられている。【０００４】
プラズマディスプレイ装置では、通常１秒間当りに５０から１００枚程度の画像が表示されており、その画像の１つ１つはフィールドと呼ばれる。ＰＤＰの駆動方法においては、そのフィールドを更に複数のサブフィールドに分割した上で、発光させるサブフィールドの組み合わせによって階調表示を行う方法が一般的である（サブフィールド法）。【０００５】
図９はサブフィールド法を用いた従来のＰＤＰの駆動方法による各電極に与える駆動電位信号の波形図である。ここで用いられるＰＤＰは、例えば図２に示されるように、行方向にｎ本の走査電極ＳＣＮ１〜ＳＣＮｎおよびｎ本の維持電極ＳＵＳ１〜ＳＵＳｎが交互に配列され、列方向にｍ本のデータ電極Ｄ１〜Ｄｍが配列されている。【０００６】
１フィールド期間は、それぞれ初期化期間、書込み期間および維持期間を有する第１〜第ｘのｘ個のサブフィールドで構成されているものとし、それぞれ第１ＳＦ、第２ＳＦ、・・・、第ｘＳＦと略記する。また、初期化期間においては、画像表示を行うすべての放電セルに対して初期化放電を行わせる全セル初期化動作と、直前のサブフィールドの維持期間中に点灯した放電セルに対してのみ選択的に初期化放電を行わせる選択初期化動作とのうちのいずれかの動作を行うようにしている。例えば、表示すべき画像データの平均輝度レベル（ＡＰＬ）に基づいて、各々のサブフィールドの初期化期間において全セル初期化動作か選択初期化動作のいずれの動作を行うかを決定する（例えば、特許文献１参照）。【０００７】
まず、初期化期間に全セル初期化動作を行うサブフィールドにおける動作を説明する。【０００８】
例えば第１ＳＦの初期化期間では、全セル初期化動作を行う。この初期化期間の前半部では、走査電極ＳＣＮ１〜ＳＣＮｎに緩やかに上昇するランプ電位を与えることにより、走査電極ＳＣＮ１〜ＳＣＮｎを陽極とし維持電極ＳＵＳ１〜ＳＵＳｎおよびデータ電極Ｄ１〜Ｄｍを陰極とする微弱な初期化放電を起こし、書込み動作に必要な壁電荷を各電極上に形成する。このとき後で壁電荷の最適化を図ることを見越して過剰に壁電荷を形成しておく。そして、初期化期間の後半部では、走査電極ＳＣＮ１〜ＳＣＮｎに緩やかに下降するランプ電位を与えることにより走査電極ＳＣＮ１〜ＳＣＮｎを陰極とし維持電極ＳＵＳ１〜ＳＵＳｎおよびデータ電極Ｄ１〜Ｄｍを陽極とする微弱な２回目の初期化放電を起こし、各電極上に過剰に蓄えられた壁電荷を減らし、各々の放電セルに対して適切な量の壁電荷に調整する。【０００９】
次に、第１ＳＦの書込み期間では、後に続く維持期間において点灯させるべき放電セルにおいて書込み放電を起こす。書込み期間では、まず、１行目の走査電極ＳＣＮ１に走査パルス電位Ｖｂ（Ｖ）を与えるとともに、データ電極Ｄ１〜Ｄｍのうち、１行目に点灯させるべき放電セルのデータ電極Ｄｋに正の書込みパルス電位Ｖｗ（Ｖ）を与えることにより、１行目に点灯させるべき放電セルで書込み放電を起こして各電極上に壁電荷を蓄積する書込み動作が行われる。このような書込み動作をｎ行目の放電セルに至るまで順次行い、書込み期間が終了する。このように、書込み期間では、走査電極に順次走査パルスを与えるとともに、データ電極には表示すべき画像信号に対応した書込みパルス電位を与えることにより、走査電極とデータ電極との間で選択的に書込み放電を起こし、選択的に壁電荷形成を行う。【００１０】
次に、第１ＳＦの維持期間では、走査電極ＳＣＮ１〜ＳＣＮｎおよび維持電極ＳＵＳ１〜ＳＵＳｎに交互に維持パルス電位Ｖｍ（Ｖ）を与えることにより、書込み放電を起こした放電セルにおいて維持放電を起こし、対応する放電セルの蛍光体層を発光させることにより画像表示を行う。【００１１】
次に、初期化期間に選択初期化動作を行うサブフィールドにおける動作を説明する。【００１２】
例えば第２ＳＦの初期化期間では、選択初期化動作を行う。この初期化期間では、維持電極ＳＵＳ１〜ＳＵＳｎをＶｈ（Ｖ）に保持し、データ電極Ｄ１〜Ｄｍを０（Ｖ）に保持し、走査電極ＳＣＮ１〜ＳＣＮｎにＶｑ（Ｖ）からＶａ（Ｖ）に向かって緩やかに下降するランプ電位を与える。これにより、直前のサブフィールドの維持期間で維持放電を行った放電セルにおいて微弱な初期化放電が発生し、走査電極ＳＣＮｉ、維持電極ＳＵＳｉ及びデータ電極Ｄｋ上の過剰な壁電荷が減らされ、書込み動作に適した壁電荷量に調整される。一方、直前のサブフィールドで書込み放電および維持放電が行われなかった放電セルについては放電は発生しない。【００１３】
この後に続く書込み期間および維持期間については、初期化期間に全セル初期化動作を行うサブフィールド（例えば第１ＳＦ）の書込み期間および維持期間と同様であるため説明を省略する。【００１４】
次に、以上のような一連の期間によるＰＤＰの駆動における問題点について図１０、図１１、図１２を用いて説明する。【００１５】
図１０に、あるサブフィールドの書込み期間を示す。また、図１１（ａ）、（ｂ）にそれぞれ図１０の時刻ｔ１、ｔ２でのセル内の壁電荷の状態を模式的に示す。図１０の時刻ｔ１での放電セル内の壁電荷の分布は、図１１（ａ）に示すように、初期化期間終了直後のため、走査電極ＳＣＮ（ＳＣＮ１〜ＳＣＮｎ）側に負の壁電荷が、維持電極ＳＵＳ（ＳＵＳ１〜ＳＵＳｎ）側とデータ電極ＤＡＴＡ（Ｄ１〜Ｄｍ）側に正の壁電荷がそれぞれ十分に蓄積された状態となる。それに対して、図１０の時刻ｔ２での放電セル内の各電極の壁電荷の分布は、図１１（ｂ）に示すように、図１１（ａ）の場合に比べて減少した状態となる。これは、初期化放電や維持放電によって放電セル空間中に浮遊していたプライミング粒子や、維持放電によって活性化して保護層のＭｇＯから放出される電子等が、書込み待機中の放電セル内の電界によって加速され、初期化放電によって蓄積された壁電荷が徐々に中和されるためである。【００１６】
図１１（ａ）の状態で書込み動作が行われると、十分な壁電荷およびプライミング粒子のため、放電遅れが小さくなり良好な書込み放電が可能となる。一方、図１１（ｂ）の状態で書込み動作が行われると、壁電荷およびプライミング粒子とも不十分であるため、放電遅れが大きくなり書込みミスが多発し、良好な画質を得ることができなくなる。このような現象を抑えるために、走査パルス電圧Ｖｓｃｎの電圧を高くすることにより、書込み待機時の放電セル内の電界を弱め、壁電荷の中和を抑制する手法がとられている。図１２は書込み待機時間に対して良好な書込み放電を行うために必要である走査パルス電圧Ｖｓｃｎの一例を示した図である(駆動方法やＰＤＰによって異なる)。ここでいう書込み待機時間とは、（走査電極数ｎ）×（１本の走査電極に対する走査パルスの付与時間）＋（各走査パルス間の時間の合計）で示されるものである。走査パルス電圧Ｖｓｃｎは、走査電極駆動回路に使用されるドライバ回路の耐圧によってその上限が決まるため、図１２に示すような駆動可能範囲が存在する。近年のフルスペックハイビジョン対応やスーパーハイビジョン（２ｋ４ｋ）等の高解像度化によって、書込み待機時間が急増しており、この駆動可能範囲内での駆動が困難となってきている。【００１７】
このような問題に対して、書込み期間を前半と後半の期間に分け、前半の書込み期間中に、後半の書込み期間に選択される走査電極に対して、壁電荷の中和を抑制するための所定の電位を与えることにより、上記の電荷中和現象を軽減するＰＤＰの駆動方法が開示されている（例えば、特許文献２、３参照）。
【特許文献１】特開２００５−３２６６１１号公報
【特許文献２】特許第３５１１４９５号公報
【特許文献３】特開２００５−３１６４８０号公報
【発明の開示】
【発明が解決しようとする課題】
【００１８】
上記のように、書込み期間を前半と後半の期間に分け、前半の書込み期間中に、後半の書込み期間に選択される走査電極に対して、壁電荷の中和を抑制するための所定の電位を与えることにより、書込みミスをある程度低減することが可能になる。しかしながらこの方法でも書込みミスを完全に無くすことは困難であり、さらに書込みミスを低減するために改善の余地がある。なお、書込みミスとは、書込み放電が行われるべき放電セルに対し、十分な書込み放電が発生しなかったり、全く書込み放電が発生しないことにより、維持期間において維持放電が行われない（不灯になる）現象のことである。【００１９】
また、例えばＰＤＰの上端から下端にかけて配列された走査電極をその配列順に選択して書込み動作を行うものとし、前半の書込み期間に選択されるＰＤＰの上半分の走査電極からなる電極グループと、後半の書込み期間に選択されるＰＤＰの下半分の走査電極からなる電極グループとにグループ分けして各電極グループを駆動する場合には、各電極グループ間の回路インピーダンスの違いや、各電極グループ間での負荷の違い等によって、電極グループ間の境界付近の画面上に輝度差が発生する。例えば電極グループ間の境界付近の画像が低階調表示画像の場合には、電極グループ間の境界付近の画面上に発生する輝度差が、明線／暗線となって現れ、画質が著しく劣化してしまうという問題が発生する。【００２０】
本発明は上記のような課題を解決するためになされたもので、書込みミスをより低減し、良好な画質を得ることができるプラズマディスプレイパネルの駆動方法及びプラズマディスプレイ装置を提供することを目的としている。
【課題を解決するための手段】
【００２１】
上記目的を達成するために、本発明に係るプラズマディスプレイパネルの駆動方法は、対をなす走査電極及び維持電極からなる複数の表示電極対と複数のデータ電極とが間隙を有して交差するように配設され、前記間隙を形成する前記表示電極対及び前記データ電極とを有し前記間隙に放電空間が形成された複数の放電セルを有したプラズマディスプレイパネルの駆動方法であって、前記複数の表示電極対に含まれる複数の前記走査電極が複数の走査電極グループからなり、前記走査電極グループが少なくとも１の前記走査電極からなる複数の走査電極サブグループを有し、異なる走査電極グループに含まれる前記走査電極サブグループが隣接して存在するとともに同一走査電極グループに含まれる前記走査電極サブグループが互いに隣接して存在しないように、前記複数の走査電極を複数の前記走査電極グループにグループ分けし、１フィールド期間を、前記放電セル内部を書込み放電が可能な帯電状態にする初期化期間と、点灯させる前記放電セルに前記書込み放電を生じさせる書込み期間と、前記書込み放電を生じさせた前記放電セルを点灯させる維持期間とを有する複数のサブフィールドに分割し、各サブフィールドの前記書込み期間を、それぞれ異なる１つの前記走査電極グループを割り当てるように複数の書込みサブ期間に分割し、前記書込みサブ期間に、前記書込みサブ期間に割り当てられた走査電極グループの前記走査電極を有する前記放電セルのうち前記点灯させるべき放電セルに前記書込み放電を生じさせるために、前記書込みサブ期間に割り当てられた走査電極グループの前記走査電極に対し選択と非選択とに応じて選択電位と第１非選択電位とを与えるようにして前記走査電極を順次選択し、各々の前記走査電極の選択と同期して選択すべき前記データ電極に書込み電位を与え、前記複数の書込みサブ期間のうち最後の前記書込みサブ期間を除く一の前記書込みサブ期間において前記走査電極に対して前記選択電位を与える時間を、前記最後の書込みサブ期間において前記走査電極に対して前記選択電位を与える時間よりも短くし、一の前記走査電極グループを割り当てた書込みサブ期間より前のいずれかの前記書込みサブ期間において、前記一の走査電極グループの前記走査電極に対し前記第１非選択電位より高い第２非選択電位を与えるようにしている。【００２２】
この駆動方法によれば、初期化期間の後に続く書込み期間を複数の書込みサブ期間に分割し、ある走査電極グループ（走査電極グループαとする）を割り当てた書込みサブ期間より前のいずれかの書込みサブ期間において、その走査電極グループαの走査電極に対し、第１非選択電位より高い第２非選択電位を与えることにより、走査電極グループαに対応する放電セルにおいて、従来問題になっていた壁電荷の中和を抑制することができる。さらに、ある書込みサブ期間（書込みサブ期間Ｔｘとする）において走査電極に対して選択電位を与える時間を、最後の書込みサブ期間において走査電極に対して選択電位を与える時間よりも短くすることにより、書込みサブ期間Ｔｘを短縮し、書込みサブ期間Ｔｘより後の書込みサブ期間を初期化期間終了時に近づけることができ、書込みサブ期間Ｔｘより後の書込みサブ期間において書込み放電の対象となりうる放電セルの書込み待機中における壁電荷及びプライミング粒子の減少を抑えることが可能になる。以上のことから、初期化期間終了時における書込み放電が可能な帯電状態の維持をより良好に行うことができ、書込み待機時間の増加による書込みミスをより低減することが可能になる。また、それぞれの走査電極グループが、少なくとも１の走査電極からなる複数の走査電極サブグループを有し、異なる走査電極グループに含まれる走査電極サブグループが隣接して存在するとともに同一走査電極グループに含まれる走査電極サブグループが互いに隣接して存在しないようにグループ分けされていることにより、各々の走査電極グループに属する走査電極がＰＤＰのパネル面（画面）全体に略均一に存在するため、各走査電極グループ間の回路インピーダンスの違いや、各走査電極グループ間での負荷の違い等によって発生する画面上の輝度差が目立たなくなり、明線／暗線の発生も防止でき、良好な画質を得ることができる。【００２３】
また、前記書込みサブ期間に割り当てられた走査電極グループと対をなす前記維持電極に第１待機電位を与え、前記一の走査電極グループを割り当てた書込みサブ期間より前のいずれかの前記書込みサブ期間において、前記一の走査電極グループの前記走査電極と対をなす前記維持電極に対し、前記第１待機電位より低い第２待機電位を与えるようにしてもよい。【００２４】
この方法によれば、ある走査電極グループ（走査電極グループαとする）を割り当てた書込みサブ期間より前のいずれかの書込みサブ期間において、その走査電極グループαの走査電極に対し、第１非選択電位より高い第２非選択電位を与えるだけでなく、さらに走査電極グループαの走査電極と対をなす維持電極に対し、第１待機電位より低い第２待機電位を与えることにより、走査電極グループαに対応する放電セルにおいて、従来問題になっていた壁電荷の中和をより抑制することができる。【００２５】
また、前記第２待機電位は、前記選択電位より高いようにすればよい。【００２６】
また、前記第２待機電位は、接地電位であるようにしてもよい。【００２７】
また、前記一の走査電極グループを割り当てた書込みサブ期間の直前の書込みサブ期間に前記一の走査電極グループの前記走査電極に前記第２非選択電位を与え、前記一の走査電極グループを割り当てた書込みサブ期間の直前の書込みサブ期間と、前記一の走査電極グループを割り当てた書込みサブ期間との間に、予め定められた所定時間からなり、全ての前記走査電極に対して前記選択電位を与えない書込み休止期間を設け、前記書込み休止期間の前半に、前記一の走査電極グループの前記走査電極に与える電位を、前記第２非選択電位から前記第１非選択電位に切替えるようにしてもよい。【００２８】
この方法によれば、ある走査電極グループ（走査電極グループαとする）を割り当てた書込みサブ期間（書込みサブ期間Ｔｙとする）の直前の書込みサブ期間において、その走査電極グループαの走査電極に第２非選択電位を与えると、次の書込みサブ期間Ｔｙには、走査電極グループαの走査電極に一旦、第１非選択電位を与える。この第２非選択電位から第１非選択電位に切り替えるときに、走査電極と容量結合されている維持電極の電位が変動し、またそれによって走査電極の電位も変動する。このようなときに書込み放電を行う場合には、書込みミスが生じやすくなる。そこで、書込み休止期間を設け、その期間の前半に走査電極グループαの走査電極に与える電位を第２非選択電位から第１非選択電位に切り替えることにより、維持電極の電位変動が終了あるいは実質的に終了してから、次の書込みサブ期間Ｔｙを開始することができ、前述の書込みミスを防止することができる。【００２９】
また、前記書込み休止期間の前半に前記一の走査電極グループの前記走査電極に与える電位が前記第１非選択電位に切替えられたことによる前記維持電極の電位変動が、前記書込み休止期間の期間内に実質的に終了するよう、前記書込み休止期間の前記所定時間が予め定められていることが好ましい。【００３０】
また、各サブフィールド期間において、前記初期化期間に、前記走査電極に対し、上昇後に下降する第１のランプ電位と、前記第１のランプ電位の最高電位よりも低い電位から下降する第２のランプ電位とのうちのいずれかを与えるようにし、前記第２非選択電位は、前記第１のランプ電位の最高電位より低いようにすればよい。【００３１】
また、前記走査電極グループのグループ数が２つであるようにしてもよい。【００３２】
走査電極グループのグループ数の増加は、走査電極を駆動する回路の複雑化及び制御の複雑化を招くことになり、このようなデメリットを考慮すれば走査電極グループのグループ数を２つにするのが好ましい。【００３３】
また、各々の前記書込みサブ期間に割り当てられる前記走査電極グループが、１フィールドごとに異なるようにしてもよい。【００３４】
この方法によれば、書込み待機時間の増加による書込みミスがたとえ発生したとしても、それによって不灯になる放電セルの位置が１フィールド毎に異なるため、放電セルの不灯による画質劣化が肉眼では認識できず、目立たなくなる。【００３５】
また、各々の前記書込みサブ期間に割り当てられる前記走査電極グループが、１サブフィールドごとに異なるようにしてもよい。【００３６】
この方法によれば、書込み待機時間の増加による書込みミスがたとえ発生したとしても、それによって不灯になる放電セルの位置が１サブフィールド毎に異なるため、放電セルの不灯による画質劣化が肉眼では認識できず、目立たなくなる。【００３７】
また、各々の前記書込みサブ期間に割り当てられる前記走査電極グループが、１フィールドごとに異なり、かつ、１サブフィールドごとに異なるようにしてもよい。【００３８】
この方法によれば、書込み待機時間の増加による書込みミスがたとえ発生したとしても、それによって不灯になる放電セルの位置が１フィールド毎及び１サブフィールド毎に異なるため、放電セルの不灯による画質劣化が肉眼では認識できず、目立たなくなる。【００３９】
また、前記放電セルに、分圧比が７％以上のキセノンガスを含む放電ガスが充填されているようにしてもよい。【００４０】
放電セル内のキセノンガスの分圧比が７％以上の高い分圧比において書込み待機時間の増加による書込みミスが多発していたので、この場合に書込みミスをより効果的に低減することができる。【００４１】
また、各々の前記データ電極が全ての前記走査電極と交差するように配設され、前記書込み期間において前記走査電極を１本ずつ選択するようにしてもよい。【００４２】
これはシングルスキャン方式を用いた方法であり、このシングルスキャン方式では、ダブルスキャン方式よりも書込み待機時間が増加するため、この場合に書込みミスをより効果的に低減することができる。【００４３】
また、各々の前記放電セルの占有面積が、２．６９６×１０−４ｃｍ２以上、４．４３２×１０−３ｃｍ２以下であってもよい。【００４４】
プラズマディスプレイパネルの解像度が例えば１００万画素（ＨＤ）以上のように高くなると、上記のように放電セルの面積が小さくなり、書込み待機時間の増加に伴う書込みミスが発生しやすくなるため、この場合に書込みミスをより効果的に低減することができる。【００４５】
また、本発明に係るプラズマディスプレイ装置は、対をなす走査電極及び維持電極からなる複数の表示電極対と複数のデータ電極とが間隙を有して交差するように配設され、前記間隙を形成する前記表示電極対及び前記データ電極とを有し前記間隙に放電空間が形成された複数の放電セルを有したプラズマディスプレイパネルと、前記プラズマディスプレイパネルを駆動する駆動装置とを備え、前記駆動装置は、前記複数の表示電極対に含まれる複数の前記走査電極が複数の走査電極グループからなり、前記走査電極グループが少なくとも１の前記走査電極からなる複数の走査電極サブグループを有し、異なる走査電極グループに含まれる前記走査電極サブグループが隣接して存在するとともに同一走査電極グループに含まれる前記走査電極サブグループが互いに隣接して存在しないように、前記複数の走査電極を複数の前記走査電極グループにグループ分けし、１フィールド期間を、前記放電セル内部を書込み放電が可能な帯電状態にする初期化期間と、点灯させる前記放電セルに前記書込み放電を生じさせる書込み期間と、前記書込み放電を生じさせた前記放電セルを点灯させる維持期間とを有する複数のサブフィールドに分割し、各サブフィールドの前記書込み期間を、それぞれ異なる１つの前記走査電極グループを割り当てるように複数の書込みサブ期間に分割し、前記書込みサブ期間に、前記書込みサブ期間に割り当てられた走査電極グループの前記走査電極を有する前記放電セルのうち前記点灯させるべき放電セルに前記書込み放電を生じさせるために、前記書込みサブ期間に割り当てられた走査電極グループの前記走査電極に対し選択と非選択とに応じて選択電位と第１非選択電位とを与えるようにして前記走査電極を順次選択し、各々の前記走査電極の選択と同期して選択すべき前記データ電極に書込み電位を与え、前記複数の書込みサブ期間のうち最後の前記書込みサブ期間を除く一の前記書込みサブ期間において前記走査電極に対して前記選択電位を与える時間を、前記最後の書込みサブ期間において前記走査電極に対して前記選択電位を与える時間よりも短くし、一の前記走査電極グループを割り当てた書込みサブ期間より前のいずれかの前記書込みサブ期間において、前記一の走査電極グループの前記走査電極に対し前記第１非選択電位より高い第２非選択電位を与えるように構成されている。【００４６】
この構成によれば、初期化期間の後に続く書込み期間を複数の書込みサブ期間に分割し、ある走査電極グループ（走査電極グループαとする）を割り当てた書込みサブ期間より前のいずれかの書込みサブ期間において、その走査電極グループαの走査電極に対し、第１非選択電位より高い第２非選択電位を与えることにより、走査電極グループαに対応する放電セルにおいて、従来問題になっていた壁電荷の中和を抑制することができる。さらに、ある書込みサブ期間（書込みサブ期間Ｔｘとする）において走査電極に対して選択電位を与える時間を、最後の書込みサブ期間において走査電極に対して選択電位を与える時間よりも短くすることにより、書込みサブ期間Ｔｘを短縮し、書込みサブ期間Ｔｘより後の書込みサブ期間を初期化期間終了時に近づけることができ、書込みサブ期間Ｔｘより後の書込みサブ期間において書込み放電の対象となりうる放電セルの書込み待機中における壁電荷及びプライミング粒子の減少を抑えることが可能になる。以上のことから、初期化期間終了時における書込み放電が可能な帯電状態の維持をより良好に行うことができ、書込み待機時間の増加による書込みミスをより低減することが可能になる。また、それぞれの走査電極グループが、少なくとも１の走査電極からなる複数の走査電極サブグループを有し、異なる走査電極グループに含まれる走査電極サブグループが隣接して存在するとともに同一走査電極グループに含まれる走査電極サブグループが互いに隣接して存在しないようにグループ分けされていることにより、各々の走査電極グループに属する走査電極がＰＤＰのパネル面（画面）全体に略均一に存在するため、各走査電極グループ間の回路インピーダンスの違いや、各走査電極グループ間での負荷の違い等によって発生する画面上の輝度差が目立たなくなり、明線／暗線の発生も防止でき、良好な画質を得ることができる。【００４７】
また、前記駆動装置は、前記書込みサブ期間に割り当てられた走査電極グループと対をなす前記維持電極に第１待機電位を与え、前記一の走査電極グループを割り当てた書込みサブ期間より前のいずれかの前記書込みサブ期間において、前記一の走査電極グループの前記走査電極と対をなす前記維持電極に対し、前記第１待機電位より低い第２待機電位を与えるように構成されていてもよい。【００４８】
この構成によれば、ある走査電極グループ（走査電極グループαとする）を割り当てた書込みサブ期間より前のいずれかの書込みサブ期間において、その走査電極グループαの走査電極に対し、第１非選択電位より高い第２非選択電位を与えるだけでなく、さらに走査電極グループαの走査電極と対をなす維持電極に対し、第１待機電位より低い第２待機電位を与えることにより、走査電極グループαに対応する放電セルにおいて、従来問題になっていた壁電荷の中和をより抑制することができる。【００４９】
また、前記第２待機電位は、前記選択電位より高いようにすればよい。【００５０】
また、前記第２待機電位は、接地電位であるようにしてもよい。【００５１】
また、前記駆動装置は、前記一の走査電極グループを割り当てた書込みサブ期間の直前の書込みサブ期間に前記一の走査電極グループの前記走査電極に前記第２非選択電位を与え、前記一の走査電極グループを割り当てた書込みサブ期間の直前の書込みサブ期間と、前記一の走査電極グループを割り当てた書込みサブ期間との間に、予め定められた所定時間からなり、全ての前記走査電極に対して前記選択電位を与えない書込み休止期間を設け、前記書込み休止期間の前半に、前記一の走査電極グループの前記走査電極に与える電位を、前記第２非選択電位から前記第１非選択電位に切替えるように構成されていてもよい。【００５２】
この構成によれば、ある走査電極グループ（走査電極グループαとする）を割り当てた書込みサブ期間（書込みサブ期間Ｔｙとする）の直前の書込みサブ期間において、その走査電極グループαの走査電極に第２非選択電位を与えると、次の書込みサブ期間Ｔｙには、走査電極グループαの走査電極に一旦、第１非選択電位を与える。この第２非選択電位から第１非選択電位に切り替えるときに、走査電極と容量結合されている維持電極の電位が変動し、またそれによって走査電極の電位も変動する。このようなときに書込み放電を行う場合には、書込みミスが生じやすくなる。そこで、書込み休止期間を設け、その期間の前半に走査電極グループαの走査電極に与える電位を第２非選択電位から第１非選択電位に切り替えることにより、維持電極の電位変動が終了あるいは実質的に終了してから、次の書込みサブ期間Ｔｙを開始することができ、前述の書込みミスを防止することができる。【００５３】
また、前記駆動装置は、前記書込み休止期間の前半に前記一の走査電極グループの前記走査電極に与える電位が前記第１非選択電位に切替えられたことによる前記維持電極の電位変動が、前記書込み休止期間の期間内に実質的に終了するよう、前記書込み休止期間の前記所定時間が予め定められていることが好ましい。【００５４】
また、前記駆動装置は、各サブフィールド期間において、前記初期化期間に、前記走査電極に対し、上昇後に下降する第１のランプ電位と、前記第１のランプ電位の最高電位よりも低い電位から下降する第２のランプ電位とのうちのいずれかを与えるようにし、前記第２非選択電位は、前記第１のランプ電位の最高電位より低いようにすればよい。【００５５】
また、前記走査電極グループのグループ数が２つであるようにしてもよい。【００５６】
走査電極グループのグループ数の増加は、走査電極を駆動する回路の複雑化及び制御の複雑化を招くことになり、このようなデメリットを考慮すれば走査電極グループのグループ数を２つにするのが好ましい。【００５７】
また、各々の前記書込みサブ期間に割り当てられる前記走査電極グループが、１フィールドごとに異なるようにしてもよい。【００５８】
この構成によれば、書込み待機時間の増加による書込みミスがたとえ発生したとしても、それによって不灯になる放電セルの位置が１フィールド毎に異なるため、放電セルの不灯による画質劣化が肉眼では認識できず、目立たなくなる。【００５９】
また、各々の前記書込みサブ期間に割り当てられる前記走査電極グループが、１サブフィールドごとに異なるようにしてもよい。【００６０】
この構成によれば、書込み待機時間の増加による書込みミスがたとえ発生したとしても、それによって不灯になる放電セルの位置が１サブフィールド毎に異なるため、放電セルの不灯による画質劣化が肉眼では認識できず、目立たなくなる。【００６１】
また、各々の前記書込みサブ期間に割り当てられる前記走査電極グループが、１フィールドごとに異なり、かつ、１サブフィールドごとに異なるようにしてもよい。【００６２】
この構成によれば、書込み待機時間の増加による書込みミスがたとえ発生したとしても、それによって不灯になる放電セルの位置が１フィールド毎及び１サブフィールド毎に異なるため、放電セルの不灯による画質劣化が肉眼では認識できず、目立たなくなる。【００６３】
また、前記放電セルに、分圧比が７％以上のキセノンガスを含む放電ガスが充填されているようにしてもよい。【００６４】
放電セル内のキセノンガスの分圧比が７％以上の高い分圧比において書込み待機時間の増加による書込みミスが多発していたので、この場合に書込みミスをより効果的に低減することができる。【００６５】
また、各々の前記データ電極が全ての前記走査電極と交差するように配設され、前記駆動装置は前記書込み期間において前記走査電極を１本ずつ選択するようにしてもよい。【００６６】
これはシングルスキャン方式を用いた構成であり、このシングルスキャン方式では、ダブルスキャン方式よりも書込み待機時間が増加するため、この場合に書込みミスをより効果的に低減することができる。【００６７】
また、各々の前記放電セルの占有面積が、２．６９６×１０−４ｃｍ２以上、４．４３２×１０−３ｃｍ２以下であってもよい。【００６８】
プラズマディスプレイパネルの解像度が例えば１００万画素（ＨＤ）以上のように高くなると、上記のように放電セルの面積が小さくなり、書込み待機時間の増加に伴う書込みミスが発生しやすくなるため、この場合に書込みミスをより効果的に低減することができる。
【発明の効果】
【００６９】
本発明は、以上に説明した構成を有し、書込みミスをより低減し、良好な画質を得ることができるプラズマディスプレイパネルの駆動方法及びプラズマディスプレイ装置を提供することができるという効果を奏する。【００７０】
本発明の上記目的、他の目的、特徴、及び利点は、添付図面参照の下、以下の好適な実施態様の詳細な説明から明らかにされる。
【図面の簡単な説明】
【００７１】
【図１】図１は、本発明の第１の実施形態に係るプラズマディスプレイ装置に用いるプラズマディスプレイパネルの要部を示す斜視図である。
【図２】図２は、図１のプラズマディスプレイパネルの電極配列図である。
【図３】図３は、本発明の第１の実施形態に係るプラズマディスプレイ装置の構成を示すブロック図である。
【図４】図４は、本発明の第１の実施形態における走査電極及び維持電極とそれぞれの駆動回路との接続関係を示す図である。
【図５】図５は、本発明の第１の実施形態におけるプラズマディスプレイパネルの駆動方法による各電極に与える駆動電位信号の波形図である。
【図６】図６は、第１の実施形態における変形例の書込み期間の各電極の電位を示す波形図である。
【図７】図７は、本発明の第２の実施形態における走査電極及び維持電極とそれぞれの駆動回路との接続関係を示す図である。
【図８】図８は、本発明の第２の実施形態におけるプラズマディスプレイパネルの駆動方法による各電極に与える駆動電位信号の波形図である。
【図９】図９は、従来のプラズマディスプレイパネルの駆動方法による各電極に与える駆動電位信号の波形図である。
【図１０】図１０は、従来のプラズマディスプレイパネルの駆動方法の問題点を説明するために示された走査電極及び維持電極に与える駆動電位信号の波形図である。
【図１１】図１１（ａ）、（ｂ）は、それぞれ図１０の時刻ｔ１、ｔ２でのセル内の壁電荷の状態を模式的に示す図である。
【図１２】図１２は、書込み待機時間に対して良好な書込み放電を行うために必要である走査パルス電圧の一例を示した図である。
【符号の説明】
【００７２】
Ｄ１〜Ｄｍ  データ電極
ＳＣＮ１〜ＳＣＮｎ  走査電極
ＳＵＳ１〜ＳＵＮｎ  維持電極
１  プラズマディスプレイパネル
４Ａ  奇数行の走査電極グループ
４Ｂ  偶数行の走査電極グループ
５Ａ  奇数行の維持電極グループ
５Ｂ  偶数行の維持電極グループ
１２  データ電極駆動回路
１３  走査電極駆動回路
１４  維持電極駆動回路
１５  タイミング発生回路
１６  Ａ／Ｄ変換器
１７  走査数変換部
１８  サブフィールド変換部
１９  ＡＰＬ検出部
【発明を実施するための最良の形態】
【００７３】
以下、本発明の好ましい実施の形態を、図面を参照しながら説明する。【００７４】
（第１の実施形態）
図１は本発明の第１の実施形態に係るプラズマディスプレイ装置に用いるプラズマディスプレイパネルの要部を示す斜視図である。【００７５】
このプラズマディスプレイパネル１（以下、「ＰＤＰ１」という）は、ガラス製の前面基板２と背面基板３とを互いに主面を対向配置して、その間に放電空間を形成するように構成されている。前面基板２の主面には、表示電極対を構成する走査電極４と維持電極５とが互いに平行に対をなして複数形成されている。そして、走査電極４および維持電極５を覆うように誘電体層６が形成され、さらに誘電体層６を覆う保護層７が形成されている。保護層７としては安定した放電を発生させるために二次電子放出係数が大きくかつ耐スパッタ性の高い材料が望ましく、例えば、ＭｇＯ薄膜が用いられている。また、背面基板３の主面には、複数のデータ電極９が形成され、その上にデータ電極９を覆う絶縁体層８が形成され、データ電極９の間の絶縁体層８上にデータ電極９と平行して隔壁１０が設けられている。また、絶縁体層８の表面および隔壁１０の側面に蛍光体層１１が設けられている。そして、走査電極４および維持電極５とデータ電極９とが交差するように前面基板２と背面基板３とが対向配置されており、その間に形成される放電空間には、放電ガスとして、例えば、ヘリウム、ネオン、キセノンまたはこれらの混合ガスが封入されている。【００７６】
図２は図１のＰＤＰ１の電極配列図である。行方向にｎ本の走査電極ＳＣＮ１〜ＳＣＮｎ（図１の走査電極４）およびｎ本の維持電極ＳＵＳ１〜ＳＵＳｎ（図１の維持電極５）が交互に配列され、列方向にｍ本のデータ電極Ｄ１〜Ｄｍ（図１のデータ電極９）が配列されている。そして、対をなす走査電極ＳＣＮｉおよび維持電極ＳＵＳｉ（ｉ＝１〜ｎ）と１つのデータ電極Ｄｊ（ｊ＝１〜ｍ）とが、放電空間を挟んで交差する領域およびその近傍領域が画像表示に寄与する１つの放電セル２１となる。したがって、各放電セル２１は、１対の表示電極対（走査電極ＳＣＮｉおよび維持電極ＳＵＳｉ）と１つのデータ電極とを備え、それらの間の放電空間を含んで構成される。このＰＤＰ１には、放電セル２１がｍ×ｎ個形成されている。【００７７】
このような構成のＰＤＰ１において、各放電セル内でガス放電により紫外線を発生させ、この紫外線で蛍光体層１１の蛍光体を励起発光させる。蛍光体層１１を放電セルごとに、例えば、光の３原色である赤緑青（ＲＧＢ）に塗り分ければ、カラー表示を行うことができる。【００７８】
図３は本発明の第１の実施形態に係るプラズマディスプレイ装置の構成を示すブロック図である。【００７９】
本実施形態に係るプラズマディスプレイ装置は、ＰＤＰ１と、その駆動装置とを備えている。駆動装置は、データ電極駆動回路１２、走査電極駆動回路１３、維持電極駆動回路１４、タイミング発生回路１５、Ａ／Ｄ（アナログ・デジタル）変換器１６、走査数変換部１７、サブフィールド変換部１８及びＡＰＬ（アベレージ・ピクチャ・レベル）検出部１９を備えて構成されている。【００８０】
図３において、水平同期信号Ｈおよび垂直同期信号Ｖはタイミング発生回路１５、ＡＤ変換器１６、走査数変換部１７及びサブフィールド変換部１８に入力される。【００８１】
タイミング発生回路１５は、水平同期信号Ｈおよび垂直同期信号Ｖをもとにして各々の駆動回路１２，１３，１４のタイミング信号を発生し、各々のタイミング信号をデータ電極駆動回路１２、走査電極駆動回路１３および維持電極駆動回路１４に与える。データ電極駆動回路１２は、与えられるタイミング信号に基づいてデータ電極Ｄ１〜Ｄｍを駆動し、走査電極駆動回路１３は、与えられるタイミング信号に基づいて走査電極ＳＣＮ１〜ＳＣＮｎを駆動し、維持電極駆動回路１４は、与えられるタイミング信号に基づいて維持電極ＳＵＳ１〜ＳＵＳｎを駆動する。【００８２】
また、アナログの画像信号ＶＤはＡ／Ｄ変換器１６に入力される。Ａ／Ｄ変換器１６は、アナログの画像信号ＶＤをデジタル信号の画像データに変換し、その画像データを走査数変換部１７およびＡＰＬ検出部１９に出力する。ＡＰＬ検出部１９は画像データの平均輝度レベル（ＡＰＬ）を検出し、タイミング発生回路１５へ出力する。走査数変換部１７は、画像データをＰＤＰ１の画素数に応じた画像データに変換し、サブフィールド変換部１８に出力する。サブフィールド変換部１８は、各画素の画像データを１フィールドを構成する複数のサブフィールドに対応する複数のビットに分割し、サブフィールド毎の画像データをデータ電極駆動回路１２に出力する。データ電極駆動回路１２は、サブフィールド毎の画像データを各データ電極Ｄ１〜Ｄｍに対応する信号に変換し、その信号に基づいて各々のサブフィールドの書込み期間において各データ電極Ｄ１〜Ｄｍを駆動する。【００８３】
また、タイミング発生回路１５は、ＡＰＬ検出部１９から出力される平均輝度レベルに基づいて、１フィールドを構成する各々のサブフィールドの初期化期間において全セル初期化動作か選択初期化動作のいずれの動作を行うかを決定して、１フィールド内の全セル初期化動作の回数を制御する。このような構成は、公知であり（例えば、特開２００５−３２６６１１号公報等）、その詳細な説明は省略する。また、本実施形態では、全セル初期化動作を行うか、あるいは選択初期化動作を行うかの決定を画像データの平均輝度レベルに基づいて行うようにしているが、このような構成に限られるものではなく、例えば、ＡＰＬ検出部１９を設けずに、各々のサブフィールドの初期化期間について全セル初期化動作を行うか、あるいは選択初期化動作を行うかが予め定められてあってもよい。【００８４】
図４は、本発明の第１の実施形態における走査電極及び維持電極とそれぞれの駆動回路との接続関係を示す図である。【００８５】
走査電極ＳＣＮ１〜ＳＣＮｎは、ＰＤＰ１内部においては、ＰＤＰ１の上端から下端方向へ、ＳＣＮ１，ＳＣＮ２，・・・ＳＣＮｎの順に配列されており、それぞれ外部へ引き出されて走査電極駆動回路１３へ接続されている。同様に維持電極ＳＵＳ１〜ＳＵＳｎは、ＰＤＰ１内部においては、ＰＤＰ１の上端から下端方向へ、ＳＵＳ１，ＳＵＳ２，・・・ＳＵＳｎの順に配列されて、それぞれ外部へ引き出されて維持電極駆動回路１４へ接続されている。また、走査電極ＳＣＮ１〜ＳＣＮｎ及び維持電極ＳＵＳ１〜ＳＵＳｎと交差するように配列されたデータ電極Ｄ１〜Ｄｍは、それぞれ外部へ引き出されてデータ電極駆動回路１２（図３）へ接続されている。【００８６】
走査電極駆動回路１３は、その内部に第１駆動回路１３Ａ及び第２駆動回路１３Ｂを有している。また、走査電極駆動回路１３内部において、走査電極ＳＣＮ１〜ＳＣＮｎは、奇数行の走査電極ＳＣＮａ（ａ＝１、３、・・・、ｎ−１）からなる走査電極グループ４Ａと、偶数行の走査電極ＳＣＮｂ（ｂ＝２、４、・・・、ｎ）からなる走査電極グループ４Ｂとにグループ分けされている。グループ４Ａの走査電極ＳＣＮａはそれらを駆動する第１駆動回路１３Ａに接続され、グループ４Ｂの走査電極ＳＣＮｂはそれらを駆動する第２駆動回路１３Ｂに接続されている。ここで、第１駆動回路１３Ａには、複数の出力端子Ｐ１、Ｐ２、・・・、Ｐｚ（ｚ＝ｎ／２）が設けられ、それぞれに奇数行の走査電極ＳＣＮａが配列順（但し奇数行のみに関する）に接続されている。同様に、第２駆動回路１３Ｂには、複数の出力端子Ｑ１、Ｑ２、・・・、Ｑｚが設けられ、それぞれに偶数行の走査電極ＳＣＮｂが配列順（但し偶数行のみに関する）に接続されている。また、走査電極駆動回路１３には、タイミング発生回路１５から与えられるタイミング信号に基づいて第１駆動回路１３Ａ及び第２駆動回路１３Ｂを制御する制御回路（図示せず）を有している。【００８７】
維持電極駆動回路１４では、その内部において、全ての維持電極ＳＵＳ１〜ＳＵＳｎが共通接続されて、それらを駆動する駆動回路１４ａの出力端子Ｔに接続されている。また、維持電極駆動回路１４は、タイミング発生回路１５から与えられるタイミング信号に基づいて駆動回路１４ａを制御する制御回路（図示せず）を有している。【００８８】
次に、本実施形態のＰＤＰの駆動方法について説明する。このＰＤＰの駆動方法は、本実施形態においては、プラズマディスプレイ装置の動作として遂行される。【００８９】
本実施形態のＰＤＰの駆動方法も、従来例と同様、サブフィールド法による駆動方法であり、各サブフィールドはそれぞれ初期化期間、書込み期間および維持期間から構成されている。また、初期化期間においては、画像表示を行うすべての放電セルに対して初期化放電を行わせる全セル初期化動作と、直前のサブフィールドの維持期間中に点灯した放電セルに対してのみ選択的に初期化放電を行わせる選択初期化動作とのうちのいずれかの動作を行うことにより、各放電セルの内部が書込み期間における書込み放電が可能な帯電状態、すなわち書込み放電を行うのに適した壁電荷量になる。この初期化期間及び維持期間における駆動方法は、図９に示された従来例と同様であり、書込み期間における駆動方法が従来例とは異なる。なお、壁電荷は、電極を覆う誘電体層あるいは蛍光体層上に蓄積される。【００９０】
図５は本実施形態のＰＤＰの駆動方法による各電極に与える駆動電位信号の波形図である。この図５では、奇数行の走査電極グループ４Ａのある１つの走査電極ＳＣＮａと、偶数行の走査電極グループ４Ｂのある１つの走査電極ＳＣＮｂと、維持電極ＳＵＳ１〜ＳＵＳｎと、データ電極Ｄ１〜Ｄｍとについて、ある１つのサブフィールド期間における駆動電位信号を示している。なお、初期化期間及び維持期間においては、走査電極駆動回路１３から全ての走査電極ＳＣＮ１〜ＳＣＮｎに共通の走査電極駆動電位信号が与えられるとともに、維持電極駆動回路１４から全ての維持電極ＳＵＳ１〜ＳＵＳｎに共通の維持電極駆動電位信号が与えられる。【００９１】
図５に示された初期化期間では、全セル初期化動作を行う。この初期化期間の前半部では、維持電極ＳＵＳ１〜ＳＵＳｎおよびデータ電極Ｄ１〜Ｄｍを０（Ｖ）に保持し、走査電極ＳＣＮ１〜ＳＣＮｎに対して放電開始電圧以下となる電位Ｖｐ（Ｖ）から放電開始電圧を超える電位Ｖｒ（Ｖ）に向かって緩やかに上昇するランプ電位を与える。これにより、走査電極ＳＣＮ１〜ＳＣＮｎを陽極とし維持電極ＳＵＳ１〜ＳＵＳｎおよびデータ電極Ｄ１〜Ｄｍを陰極とする微弱な初期化放電が発生する。このようにして、全ての放電セルにおいて１回目の微弱な初期化放電を発生させ、走査電極ＳＣＮ１〜ＳＣＮｎ上に負の壁電荷を蓄えるとともに維持電極ＳＵＳ１〜ＳＵＳｎ上およびデータ電極Ｄ１〜Ｄｍ上に正の壁電荷を蓄える。この初期化期間の前半部の微弱放電は前のサブフィールドでの維持放電の有無にかかわらず、全ての放電セルにおいて発生するものである。【００９２】
続いて初期化期間の後半部では、維持電極ＳＵＳ１〜ＳＵＳｎを正の電位Ｖｈ（Ｖ）に保ち、走査電極ＳＣＮ１〜ＳＣＮｎに電位Ｖｇ（Ｖ）から電位Ｖａ（Ｖ）に向かって緩やかに下降するランプ電位を与える。これにより、全ての放電セルにおいて、走査電極ＳＣＮ１〜ＳＣＮｎを陰極とし維持電極ＳＵＳ１〜ＳＵＳｎおよびデータ電極Ｄ１〜Ｄｍを陽極とする２回目の微弱な初期化放電が起きる。これにより、初期化期間の前半部において、走査電極ＳＣＮ１〜ＳＣＮｎ、維持電極ＳＵＳ１〜ＳＵＳｎ及びデータ電極Ｄ１〜Ｄｍ上に過剰に蓄えられた壁電荷が減らされ、次の書込み期間における書込み動作に適した壁電荷量に調整される。【００９３】
このように、全セル初期化動作では、全ての放電セルで一斉に初期化放電を行い、それ以前の個々の放電セルに対する壁電荷の履歴を消去するとともに、書込み動作のために必要な壁電荷形成を行う。また、放電遅れを小さくし、書込み放電を安定して発生させるためのプライミング粒子（放電のための起爆剤＝励起粒子）を発生させる。【００９４】
次に、書込み期間は、第１のサブ期間Ｔａと第２のサブ期間Ｔｂとで構成される。第１のサブ期間Ｔａは、奇数行の走査電極グループ４Ａに割り当てられた書込みサブ期間、すなわち走査電極グループ４Ａに対応する放電セルに対して書込み動作を行う期間である。また、第２のサブ期間Ｔｂは、偶数行の走査電極グループ４Ｂに割り当てられた書込みサブ期間、すなわち走査電極グループ４Ｂに対応する放電セルに対して書込み動作を行う期間である。各走査電極グループ４Ａ、４Ｂ内では、例えば、画面の上側（番号が小さい行）の走査電極に対応する放電セルから順番に画面の下側（番号が大きい行）の走査電極に対応する放電セルに対して書込み動作を行うようにする。【００９５】
この書込み期間の間、全ての維持電極ＳＵＳ１〜ＳＵＳｎについては初期化期間から保持されている待機電位Ｖｈ（Ｖ）を維持する。この待機電位Ｖｈ（Ｖ）は、走査電極の第１非選択電位Ｖｓ（Ｖ）よりも高く、維持パルス電位Ｖｍ（Ｖ）よりも低い電位に設定される。【００９６】
第１のサブ期間Ｔａでは、まず、走査電極ＳＣＮ１〜ＳＣＮｎを一旦、第１非選択電位Ｖｓ（Ｖ）に保持した後、走査電極グループ４Ｂの全ての走査電極ＳＣＮｂを第１非選択電位Ｖｓ（Ｖ）よりも高い第２非選択電位Ｖｘ（Ｖ）に保持する。その後、奇数行の走査電極グループ４Ａに対応する放電セルに対して書込み動作を行う。まず、走査電極グループ４Ａに対応する最初の行である１行目の放電セルに対して書込み動作を行う。この書込み動作では、１行目の走査電極ＳＣＮ１に選択電位である走査パルス電位Ｖｂ（Ｖ）を与えるとともに、データ電極Ｄ１〜Ｄｍのうち、１行目に点灯させるべき放電セルのデータ電極Ｄｋに正の書込みパルス電位Ｖｗ（Ｖ）を与える。このとき、データ電極Ｄｋと走査電極ＳＣＮ１との交差部の電圧は、外部印加電圧（Ｖｗ−Ｖｂ）に、データ電極Ｄｋ上の壁電荷により生じる電圧および走査電極ＳＣＮ１上の壁電荷により生じる電圧の大きさが加算されたものとなり、放電開始電圧を超える。そして、データ電極Ｄｋと走査電極ＳＣＮ１との間および維持電極ＳＵＳ１と走査電極ＳＣＮ１との間に書込み放電が起こり、この放電セルの走査電極ＳＣＮ１上に正の壁電荷が蓄積され、維持電極ＳＵＳ１上に負の壁電荷が蓄積され、データ電極Ｄｋ上にも負の壁電荷が蓄積される。このようにして、１行目に点灯させるべき放電セルで書込み放電を起こして各電極上に壁電荷を蓄積する書込み動作が行われる。一方、正の書込みパルス電位Ｖｗ（Ｖ）を与えなかったデータ電極と走査電極ＳＣＮ１との交差部の電圧は放電開始電圧を超えないので、書込み放電は発生しない。次に、同様にして３行目の放電セルに対して書込み動作を行う。以降も同様に、走査電極グループ４Ａに対応する最後の行であるｎ−１行目の放電セルに至るまで順次書込み動作を行う。そして、ｎ−１行目の放電セルに対する書込み動作が終了すると、走査電極グループ４Ｂの全ての走査電極ＳＣＮｂの電位を第２非選択電位Ｖｘ（Ｖ）から第１非選択電位Ｖｓ（Ｖ）に下げて、第１のサブ期間Ｔａが終了する。【００９７】
次に、第２のサブ期間Ｔｂでは、偶数行の走査電極グループ４Ｂに対応する放電セルに対して書込み動作を行う。まず、走査電極グループ４Ｂに対応する最初の行である２行目の放電セルに対して書込み動作を行う。この２行目の放電セルに対する書込み動作は、前述の１行目の放電セルに対する書込み動作と同様である（但し、後述のように、１ライン書込み時間ｔａ、ｔｂが異なる）。次に、同様にして４行目の放電セルに対して書込み動作を行う。以降も同様に、走査電極グループ４Ｂに対応する最後の行であるｎ行目の放電セルに至るまで順次書込み動作を行う。そして、ｎ行目の放電セルに対する書込み動作が終了すると、全ての維持電極ＳＵＳ１〜ＳＵＳｎを０Ｖに保持し、第２のサブ期間Ｔｂが終了する。【００９８】
このように本実施形態における書込み期間では、走査電極グループ４Ａに対応する行の放電セルに対して書込み動作を行った後、走査電極グループ４Ｂに対応する行の放電セルに対して書込み動作を行うようにし、それぞれの書込み動作では、走査電極に順次走査パルスを与えるとともに、データ電極には表示すべき画像信号に対応した書込みパルス電位を与えることにより、走査電極とデータ電極との間及び走査電極と維持電極との間で選択的に書込み放電を起こし、選択的に壁電荷形成を行う。【００９９】
さらに、本実施形態では、各走査電極に走査パルス電位Ｖｂ（Ｖ）を与える時間である１ライン書込み時間を、第１のサブ期間Ｔａと第２のサブ期間Ｔｂとで異ならせている。すなわち、第１のサブ期間Ｔａにおける１ライン書込み時間ｔａを、第２のサブ期間Ｔｂにおける１ライン書込み時間ｔｂよりも短くしている。第１のサブ期間Ｔａでは、第２のサブ期間Ｔｂと比較して、初期化期間終了時からの経過時間が短く、放電セル内の壁電荷及びプライミング粒子の減少が少ないため、放電遅れが小さく、１ライン書込み時間ｔａを短くしても良好な書込み放電が得られる。そして、１ライン書込み時間ｔａを短くすることにより、第１のサブ期間Ｔａを短縮できる。また、書込み期間中の壁電荷の中和量は、初期化期間の動作終了時から書込み動作が行われるまでの時間（書込み待機時間）が長い放電セルほど大きく、また、壁電荷の中和現象は、初期化放電によるプライミング粒子の大量発生等により、初期化期間の動作終了直後ほど顕著に発生するため、第１のサブ期間Ｔａを短くすることにより、第１のサブ期間Ｔａにおいて書込み動作の対象となる放電セルの書込み待機中における壁電荷及びプライミング粒子の減少を抑えることが可能になり、第１のサブ期間Ｔａの後半部における書込みミスをより防止することができる。また、第１のサブ期間Ｔａを短縮することにより、第２のサブ期間Ｔｂを初期化期間終了時に近づけることができ、第２のサブ期間Ｔｂにおいても書込み動作の対象となる放電セルの書込み待機中における壁電荷及びプライミング粒子の減少を抑えることが可能になり、第２のサブ期間Ｔｂにおける書込みミスを防止することができる。【０１００】
次に、維持期間では、まず、維持電極ＳＵＳ１〜ＳＵＳｎを０（Ｖ）に戻し、走査電極ＳＣＮ１〜ＳＣＮｎに正の維持パルス電位Ｖｍ（Ｖ）を与える。このとき、書込み放電を起こした放電セルにおいて、放電空間における走査電極ＳＣＮｉ近傍部分と維持電極ＳＵＳｉ近傍部分との間の電圧は、維持パルス電圧（Ｖｍ）に走査電極ＳＣＮｉ上の壁電荷により生じる電圧および維持電極ＳＵＳｉ上の壁電荷により生じる電圧の大きさが加算されたものとなり放電開始電圧を超える。そして、走査電極ＳＣＮｉと維持電極ＳＵＳｉとの間に維持放電が起こり、走査電極ＳＣＮｉ上に負の壁電荷が蓄積され、維持電極ＳＵＳｉ上に正の壁電荷が蓄積される。このときデータ電極Ｄｋ上にも正の壁電荷が蓄積される。書込み期間において書込み放電が起きなかった放電セルでは維持放電は発生しない。続いて、走査電極ＳＣＮ１〜ＳＣＮｎを０（Ｖ）に戻し、維持電極ＳＵＳ１〜ＳＵＳｎに正の維持パルス電位Ｖｍ（Ｖ）を与える。これにより、維持放電を起こした放電セルでは、放電空間における維持電極ＳＵＳｉ近傍部分と走査電極ＳＣＮｉ近傍部分との間の電圧は放電開始電圧を超えるので、再び維持電極ＳＵＳｉと走査電極ＳＣＮｉとの間に維持放電が起こり、維持電極ＳＵＳｉ上に負の壁電荷が蓄積され走査電極ＳＣＮｉ上に正の壁電荷が蓄積される。このように、走査電極ＳＣＮ１〜ＳＣＮｎと維持電極ＳＵＳ１〜ＳＵＳｎとに交互に維持パルスを与えることにより、書込み期間において書込み放電を起こした放電セルにおいて維持放電が継続して行われることにより点灯する。このとき、この維持パルスの回数が輝度の重みとなり、各サブフィールドにおいて維持パルス数を異ならせ、それらの組み合わせにより任意の階調を実現する。なお、維持期間の最後に走査電極ＳＣＮ１〜ＳＣＮｎに与えるパルス（細幅パルス）によって維持放電を停止させて、維持期間が終了する。このように、維持期間では、走査電極と維持電極との間に輝度重みに応じた所定の回数の維持パルス電圧を印加し、書込み放電による壁電荷形成を行った放電セルを選択的に放電させ発光（点灯）させる。【０１０１】
次に、初期化期間に選択初期化動作を行うサブフィールドにおける動作を説明する。【０１０２】
この初期化期間については図示していないが、図９の例えば第２ＳＦの初期化期間と同様であり、維持電極ＳＵＳ１〜ＳＵＳｎをＶｈ（Ｖ）に保持し、データ電極Ｄ１〜Ｄｍを０（Ｖ）に保持し、走査電極ＳＣＮ１〜ＳＣＮｎにＶｑ（Ｖ）からＶａ（Ｖ）に向かって緩やかに下降するランプ電位を与える。これにより、直前のサブフィールドの維持期間で維持放電を行った放電セルでは、走査電極ＳＣＮ１〜ＳＣＮｎを陰極とし維持電極ＳＵＳ１〜ＳＵＳｎおよびデータ電極Ｄ１〜Ｄｍを陽極とする微弱な初期化放電が発生し、走査電極ＳＣＮｉ、維持電極ＳＵＳｉ及びデータ電極Ｄｋ上の過剰な壁電荷が減らされ、書込み動作に適した壁電荷量に調整される。一方、直前のサブフィールドで書込み放電および維持放電が行われなかった放電セルについては放電は発生しない。【０１０３】
この後に続く書込み期間および維持期間については、初期化期間に全セル初期化動作を行うサブフィールドの書込み期間および維持期間と同様であるため説明を省略する。【０１０４】
なお、本実施形態では、維持電極ＳＵＳ１〜ＳＵＳｎに対し書込み期間に与える待機電位Ｖｈ（Ｖ）が初期化期間に与える正の電位Ｖｈ（Ｖ）と等しくなるように構成しているが、必ずしもこのような構成に限られるものではなく、例えば、書込み期間に与える待機電位Ｖｈ（Ｖ）が、初期化期間に与える正の電位よりも若干（例えば５〜２０Ｖ程度）高くなるように構成してもよい。【０１０５】
本実施形態では、書込み期間の第１のサブ期間Ｔａにおいて、走査電極グループ４Ｂの全ての走査電極ＳＣＮｂに与える第２非選択電位Ｖｘ（Ｖ）を、第１非選択電位Ｖｓ（Ｖ）よりも電圧Ｖｓｃｎ２の分だけ高い電位とし、電圧Ｖｓｃｎ２を走査パルス電圧Ｖｓｃｎと等しくなるように設定している。この第２非選択電位Ｖｘ（Ｖ）は、第１非選択電位Ｖｓ（Ｖ）よりも高く、全セル初期化動作を行う初期化期間の最高電位Ｖｒ（Ｖ）よりも低い電位に設定すればよい。但し、走査電極ＳＣＮｂと、維持電極ＳＵＳｂ及びデータ電極Ｄ１〜Ｄｍとの間で、放電が発生しないような電位に設定する。【０１０６】
上記の駆動方法において、初期化期間及び維持期間の動作については、図９に示された従来例と同様であり、データ電極駆動回路１２によって全てのデータ電極Ｄ１〜Ｄｍが同一の電位（例えば０Ｖ）に保持され、走査電極駆動回路１３の第１及び第２駆動回路１３Ａ、１３Ｂによって全ての走査電極ＳＣＮ１〜ＳＣＮｎが同じように駆動され、維持電極駆動回路１４によって全ての維持電極ＳＵＳ１〜ＳＵＳｎが同じように駆動される。また、維持電極ＳＵＳ１〜ＳＵＳｎについては、書込み期間も、図９に示された従来例と同様に駆動される。【０１０７】
また、書込み期間において書込み動作を行う行の選択順（走査電極の選択順）は、予めデータ電極駆動回路１２に記憶されているか、あるいはデータ電極駆動回路１２が行の選択順に応じて動作するように構成されており、データ電極駆動回路１２は、サブフィールド変換部１８から入力されるサブフィールド毎の画像データを、各データ電極Ｄ１〜Ｄｍに対応する信号に変換する際、書込み動作を行う行の選択順に応じて各データ電極Ｄ１〜Ｄｍに対応する信号（書込み信号）に変換して各データ電極Ｄ１〜Ｄｍに与える。また、データ電極駆動回路１２は、走査電極駆動回路１３による走査電極の選択に同期して各データ電極Ｄ１〜Ｄｍに書込み信号を与えるように構成され、第１のサブ期間Ｔａにおいて書込み信号を与える時間は、走査電極の選択時間である１ライン書込み時間ｔａに準じ、第２のサブ期間Ｔｂにおいて書込み信号を与える時間は、１ライン書込み時間ｔｂに準じる。【０１０８】
また、書込み期間において、走査電極駆動回路１３は、まず、第１のサブ期間Ｔａに第１駆動回路１３Ａによって走査電極を第１の書込み周期（１ライン書込み時間ｔａ＋走査パルス間の時間）ごとに順次選択し、第２のサブ期間Ｔｂには第２駆動回路１３Ｂによって走査電極を第２の書込み周期（１ライン書込み時間ｔｂ＋走査パルス間の時間）ごとに順次選択するように構成されるとともに、第１のサブ期間Ｔａには第２駆動回路１３Ｂから走査電極グループ４Ｂの全ての走査電極ＳＣＮｂに第２非選択電位Ｖｘ（Ｖ）を与えるように構成されている。なお、１ライン書込み時間ｔａを１ライン書込み時間ｔｂよりも短くしているので、第１の書込み周期も第２の書込み周期よりも短い。また、走査パルス間の時間を短くすることで、第１の書込み周期を略１ライン書込み時間ｔａとし、第２の書込み周期を略１ライン書込み時間ｔｂとすることができる。さらに走査パルス間の時間を０にすれば、第１の書込み周期を１ライン書込み時間ｔａと等しくし、第２の書込み周期を１ライン書込み時間ｔｂと等しくすることができる。【０１０９】
書込み期間の第１のサブ期間Ｔａにおいて、走査電極駆動回路１３では、第１駆動回路１３Ａが、出力端子Ｐ１、Ｐ２、・・・、Ｐｚに対しその並び順に走査パルス電位Ｖｂ（Ｖ）を順次与えることにより、奇数行の走査電極ＳＣＮａが所定の選択順（本実施形態ではＰＤＰ１内の奇数行についての配列順と同じ）に選択される。また、第２のサブ期間Ｔｂにおいては、第２駆動回路１３Ｂが、出力端子Ｑ１、Ｑ２、・・・、Ｑｚに対しその並び順に走査パルス電位Ｖｂ（Ｖ）を順次与えることにより、偶数行の走査電極ＳＣＮｂが所定の選択順（本実施形態ではＰＤＰ１内の偶数行についての配列順と同じ）に選択される。このように、ＰＤＰ１内の全ての走査電極における配列順とは異なる所定の選択順に走査電極を選択するために、第１駆動回路１３Ａ及び第２駆動回路１３Ｂでは、それぞれの出力端子の並び順に走査パルス電位Ｖｂ（Ｖ）を順次与えるようにすればよいので、第１駆動回路１３Ａ及び第２駆動回路１３Ｂの構成が簡単になる。【０１１０】
以上のように、走査電極駆動回路１３は、書込み期間の書込み動作を行うときには、所定の選択順に走査電極を選択するように構成されている。【０１１１】
また、維持電極駆動回路１４では、初期化期間から続いて書込み期間中に、全ての維持電極ＳＵＳ１〜ＳＵＳｎに対し共通（同一）の待機電位Ｖｈ（Ｖ）を与えるように構成されている。【０１１２】
前述の動作から明らかなように、走査電極駆動回路１３において、走査電極グループ４Ｂの走査電極ＳＣＮｂを駆動する第２駆動回路１３Ｂは、第１駆動回路１３Ａに対して、第１のサブ期間Ｔａに、走査電極グループ４Ｂの全ての走査電極ＳＣＮｂに第２非選択電位Ｖｘ（Ｖ）を与えるための構成が追加された構成になっている。【０１１３】
本実施形態では、初期化期間の後の書込み期間を複数のサブ期間に分割し、第１のサブ期間Ｔａ中に、第１のサブ期間Ｔａより後の第２のサブ期間Ｔｂに割り当てられた走査電極グループ４Ｂの走査電極ＳＣＮｂに対し、第１非選択電位Ｖｓ（Ｖ）より高い第２非選択電位Ｖｘ（Ｖ）を与えることにより、書込み待機中の放電セル（走査電極グループ４Ｂに対応する放電セル）において、放電空間における走査電極ＳＣＮｂ近傍部分とデータ電極Ｄ１〜Ｄｍ近傍部分との間の電位差、及び走査電極ＳＣＮｂ近傍部分と維持電極ＳＵＳｂ近傍部分との間の電位差を小さくして、従来問題になっていた壁電荷の中和を抑制することができる。さらに、第１のサブ期間Ｔａにおける１ライン書込み時間ｔａを、第２のサブ期間Ｔｂにおける１ライン書込み時間ｔｂよりも短くすることにより、第１のサブ期間Ｔａを短縮し、第１のサブ期間Ｔａの後半部及び第２のサブ期間Ｔｂを初期化期間終了時に近づけることができ、第１のサブ期間Ｔａの後半部及び第２のサブ期間Ｔｂにおいて書込み動作の対象となる放電セルの書込み待機中における壁電荷及びプライミング粒子の減少を抑えることが可能になる。以上のことから、初期化期間終了時における書込み放電が可能な帯電状態の維持をより良好に行うことができ、書込み待機時間の増加による書込みミスをより低減することが可能になる。【０１１４】
さらに、それぞれの走査電極グループ４Ａ、４Ｂの走査電極がＰＤＰ１において交互に配列されていることにより、各々の走査電極グループ４Ａ、４Ｂに属する走査電極がＰＤＰ１のパネル面（画面）全体に均一に存在するため、各走査電極グループ４Ａ、４Ｂ間の回路インピーダンスの違いや、各走査電極グループ４Ａ、４Ｂ間での負荷の違い等によって発生する画面上の輝度差が目立たなくなり、明線／暗線の発生も防止でき、良好な画質を得ることができる。【０１１５】
〔変形例〕
次に、本実施の形態における変形例を説明する。この変形例では、書込み期間における駆動方法のみが図５の場合とは異なる。【０１１６】
図６は、第１の実施形態における変形例の書込み期間の各電極の電位を示す波形図である。この図６では、奇数行の走査電極ＳＣＮａと、偶数行の走査電極ＳＣＮｂと、維持電極ＳＵＳ１〜ＳＵＳｎと、データ電極Ｄ１〜Ｄｍとについて、書込み期間における電位を示している。ここで、奇数行の走査電極ＳＣＮａについては、その全ての走査電極に順次与える走査パルス（電位Ｖｂ）を示し、偶数行の走査電極ＳＣＮｂについても、その全ての走査電極に順次与える走査パルス（電位Ｖｂ）を示している。また、データ電極Ｄ１〜Ｄｍについては、書込みパルス（電位Ｖｗ）の個別形状は図５と同様であり、図６では示さずに、それが与えられる期間のみを示している。【０１１７】
この例では、書込み期間が、第１のサブ期間Ｔａと書込み休止期間Ｔｒと第２のサブ期間Ｔｂとで構成される。第１のサブ期間Ｔａは、図５の場合と同様、走査電極グループ４Ａに対応する放電セルに対して書込み動作を行う期間であり、第２のサブ期間Ｔｂは、図５の場合と同様、走査電極グループ４Ｂに対応する放電セルに対して書込み動作を行う期間である。【０１１８】
書込み休止期間Ｔｒは、第１のサブ期間Ｔａと第２のサブ期間Ｔｂとの間に設けられ、この期間には、走査パルス及び書込みパルスは与えない。この書込み休止期間Ｔｒにおいて、走査電極グループ４Ｂの走査電極ＳＣＮｂに与える電位を第２非選択電位Ｖｘ（Ｖ）から第１非選択電位Ｖｓ（Ｖ）に切り替える。このとき、図６に示すように、走査電極グループ４Ｂの走査電極ＳＣＮｂの電位は、急峻には変化せずに、第１非選択電位Ｖｓになるまでに所定の時間（遷移時間）を要する。また、このとき、維持電極ＳＵＳ１〜ＳＵＳｎは、偶数行の走査電極ＳＣＮｂとの容量結合によって、その電位が図６に示すように変動する。【０１１９】
このように、走査電極ＳＣＮｂの電位が第１非選択電位Ｖｓに切り替えられるときに所定の時間を要し、維持電極ＳＵＳ１〜ＳＵＳｎの電位が変動する場合に、例えば、書込み休止期間Ｔｒを設けずに、奇数行の走査電極グループ４Ａの最終の走査パルスと偶数行の走査電極グループ４Ｂの最初の走査パルスとの間隔を、通常の書込み時の走査パルス間隔（走査パルス間の時間）ｔｉと同じにしようとすれば、偶数行の走査電極ＳＣＮｂに最初の走査パルスが与えられるまでに、偶数行の走査電極ＳＣＮｂの電位が第１非選択電位Ｖｓになっている必要がある。したがって、この場合、奇数行の走査電極グループ４Ａに最終の走査パルスが与えられているときに、あるいはその前に、偶数行の走査電極ＳＣＮｂに与える電位を第２非選択電位Ｖｘ（Ｖ）から第１非選択電位Ｖｓ（Ｖ）に切り替えなければならない。この場合、奇数行の走査電極グループ４Ａに最終の走査パルスが与えられているときに、前述のように維持電極ＳＵＳ１〜ＳＵＳｎの電位が変動する。すなわち、走査電極グループ４Ａの最終の走査パルスが与えられる走査電極ＳＣＮ（ｎ−１）と対をなす維持電極ＳＵＳ（ｎ−１）の電位が変動し、またそれによって走査パルスが与えられている走査電極ＳＣＮ（ｎ−１）の電位も変動することにより、走査電極ＳＣＮ（ｎ−１）と維持電極ＳＵＳ（ｎ−１）との間の電圧が低下し、書込みミスが生じやすくなる。【０１２０】
そこで、この例では、奇数行の走査電極グループ４Ａに最終の走査パルスの付与終了後、すなわち、第１のサブ期間Ｔａの後に、書込み休止期間Ｔｒを設け、その間に偶数行の走査電極ＳＣＮｂに与える電位を切り替え、維持電極ＳＵＳ１〜ＳＵＳｎの電位変動が終了あるいは実質的に終了してから、第２のサブ期間Ｔｂを開始することにより、前述の書込みミスを防止することができる。【０１２１】
この書込み休止期間Ｔｒは、少なくともサブ期間Ｔａ、Ｔｂにおける走査パルス間隔ｔｉより長い時間であり、複数のサブフィールドからなる１フィールドが所定時間（例えば周波数が６０Ｈｚの場合には、約１６．７ｍｓ）以内となるように定められる。例えば、シミュレーションあるいは試作品等によって、偶数行の走査電極ＳＣＮｂに与える電位を第２非選択電位Ｖｘ（Ｖ）から第１非選択電位Ｖｓ（Ｖ）に切り替えたときに、維持電極ＳＵＳ１〜ＳＵＳｎの電位がＶｈ±１（Ｖ）以内の所定値になる（電位変動が実質的に終了する）までの時間（この時間をｔｓとする）を求め、その時間ｔｓを書込み休止期間Ｔｒの所要時間に定めればよい。この場合、図６に示すように、第１のサブ期間Ｔａの終了直後、すなわち、書込み休止期間Ｔｒの開始と同時に偶数行の走査電極ＳＣＮｂに与える電位が切り替えられる。また、書込み休止期間Ｔｒを前述の時間ｔｓより長くできる場合には、その分、偶数行の走査電極ＳＣＮｂに与える電位を切り替えるタイミングを遅らせて、書込み休止期間Ｔｒの前半に走査電極ＳＣＮｂに与える電位を切り替えるようにし、書込み休止期間Ｔｒを時間ｔｓより長くしてもよい。図６において、例えば、１ライン書込み時間ｔａ、ｔｂを１．３〜１．４５μｓ（但し、ｔａ＜ｔｂ）、走査パルス間隔ｔｉを０．１〜０．２５μｓ、書込み休止期間Ｔｒを７．２５〜１４．５μｓの範囲内の所定値に設定することができる。【０１２２】
（第２の実施形態）
本発明の第２の実施形態に係るプラズマディスプレイ装置に用いるプラズマディスプレイパネルの構成は、図１及び図２に示された第１の実施形態と同様であり、その説明を省略する。【０１２３】
また、本発明の第２の実施形態に係るプラズマディスプレイ装置の概略構成を示すブロック図も第１の実施形態で用いた図３によって示されるが、第１の実施形態とは維持電極駆動回路１４の内部構成が異なる。維持電極駆動回路１４以外の構成については第１の実施形態と同様であり、その詳しい説明を省略する。【０１２４】
図７は、本発明の第２の実施形態における走査電極及び維持電極とそれぞれの駆動回路との接続関係を示す図である。【０１２５】
ＰＤＰ１は、第１の実施形態と同様の構成であり、その内部に走査電極ＳＣＮ１〜ＳＣＮｎ、維持電極ＳＵＳ１〜ＳＵＳｎ及びデータ電極Ｄ１〜Ｄｍが配列されている。【０１２６】
走査電極駆動回路１３も、第１の実施形態と同様の構成であり、その内部に奇数行の走査電極グループ４Ａの走査電極ＳＣＮａ（ａ＝１、３、・・・、ｎ−１）を駆動する第１駆動回路１３Ａと、偶数行の走査電極グループ４Ｂの走査電極ＳＣＮｂ（ｂ＝２、４、・・・、ｎ）を駆動する第２駆動回路１３Ｂと、それらを制御する制御回路（図示せず）とを有している。【０１２７】
維持電極駆動回路１４は、第１の実施形態とは異なり、その内部に第１駆動回路１４Ａ及び第２駆動回路１４Ｂを有している。また、維持電極駆動回路１４内部において、維持電極ＳＵＳ１〜ＳＵＳｎは、奇数行の維持電極ＳＵＳａ（ａ＝１、３、・・・、ｎ−１）からなる維持電極グループ５Ａと、偶数行の維持電極ＳＵＳｂ（ｂ＝２、４、・・・、ｎ）からなる維持電極グループ５Ｂとにグループ分けされている。グループ５Ａの維持電極ＳＵＳａは共通接続されて、それらを駆動する第１駆動回路１４Ａの出力端子Ｒに接続され、グループ５Ｂの維持電極ＳＵＳｂは共通接続されて、それらを駆動する第２駆動回路１４Ｂの出力端子Ｓに接続されている。また、維持電極駆動回路１４は、タイミング発生回路１５から与えられるタイミング信号に基づいて第１駆動回路１４Ａ及び第２駆動回路１４Ｂを制御する制御回路（図示せず）を有している。【０１２８】
ここで、維持電極グループ５Ａは、グループ４Ａの走査電極ＳＣＮａと対をなす維持電極ＳＵＳａからなるグループであり、維持電極グループ５Ｂは、グループ４Ｂの走査電極ＳＣＮｂと対をなす維持電極ＳＵＳｂからなるグループである。したがって、維持電極グループ５Ａは走査電極グループ４Ａと対応し、維持電極グループ５Ｂは走査電極グループ４Ｂと対応している。【０１２９】
次に、本実施形態のＰＤＰの駆動方法について説明する。このＰＤＰの駆動方法は、本実施形態においては、プラズマディスプレイ装置の動作として遂行される。【０１３０】
本実施形態のＰＤＰの駆動方法も、従来例及び第１の実施形態と同様、サブフィールド法による駆動方法であり、各サブフィールドはそれぞれ初期化期間、書込み期間および維持期間から構成されている。また、初期化期間においては、画像表示を行うすべての放電セルに対して初期化放電を行わせる全セル初期化動作と、直前のサブフィールドの維持期間中に点灯した放電セルに対してのみ選択的に初期化放電を行わせる選択初期化動作とのうちのいずれかの動作を行うことにより、各放電セルの内部が書込み期間における書込み放電が可能な帯電状態、すなわち書込み放電を行うのに適した壁電荷量になる。この初期化期間及び維持期間における駆動方法は、図９に示された従来例及び図５に示された第１の実施形態と同様であり、書込み期間における駆動方法が従来例及び第１の実施形態とは異なる。【０１３１】
図８は本実施形態のＰＤＰの駆動方法による各電極に与える駆動電位信号の波形図である。この図８では、奇数行の走査電極グループ４Ａのある１つの走査電極ＳＣＮａと、偶数行の走査電極グループ４Ｂのある１つの走査電極ＳＣＮｂと、奇数行の維持電極グループ５Ａの維持電極ＳＵＳａと、偶数行の維持電極グループ５Ｂの維持電極ＳＵＳｂと、データ電極Ｄ１〜Ｄｍとについて、ある１つのサブフィールド期間における駆動電位信号を示している。なお、初期化期間及び維持期間においては、走査電極駆動回路１３から全ての走査電極ＳＣＮ１〜ＳＣＮｎに共通の走査電極駆動電位信号が与えられるとともに、維持電極駆動回路１４から全ての維持電極ＳＵＳ１〜ＳＵＳｎに共通の維持電極駆動電位信号が与えられる。【０１３２】
図８において、全セル初期化を行う初期化期間及び維持期間の動作は、図５に示された第１の実施形態の場合と同様であり、その説明を省略する。【０１３３】
書込み期間は、第１のサブ期間Ｔａと第２のサブ期間Ｔｂとで構成される。第１のサブ期間Ｔａは、奇数行の走査電極グループ４Ａに割り当てられた書込みサブ期間、すなわち走査電極グループ４Ａに対応する放電セルに対して書込み動作を行う期間である。また、第２のサブ期間Ｔｂは、偶数行の走査電極グループ４Ｂに割り当てられた書込みサブ期間、すなわち走査電極グループ４Ｂに対応する放電セルに対して書込み動作を行う期間である。各走査電極グループ４Ａ、４Ｂ内では、例えば、画面の上側（番号が小さい行）の走査電極に対応する放電セルから順番に画面の下側（番号が大きい行）の走査電極に対応する放電セルに対して書込み動作を行うようにする。【０１３４】
第１のサブ期間Ｔａでは、まず、走査電極ＳＣＮ１〜ＳＣＮｎを一旦、第１非選択電位Ｖｓ（Ｖ）に保持した後、走査電極グループ４Ｂの全ての走査電極ＳＣＮｂを第１非選択電位Ｖｓ（Ｖ）よりも高い第２非選択電位Ｖｘ（Ｖ）に保持するとともに、維持電極グループ５Ｂの全ての維持電極ＳＵＳｂを第１待機電位である電位Ｖｈ（Ｖ）よりも低い第２待機電位Ｖｙ（Ｖ）に保持する。ここで、維持電極グループ５Ａの全ての維持電極ＳＵＳａについては初期化期間から保持されている第１待機電位である電位Ｖｈ（Ｖ）を維持する。その後、奇数行の走査電極グループ４Ａに対応する放電セルに対して書込み動作を行う。まず、走査電極グループ４Ａに対応する最初の行である１行目の放電セルに対して書込み動作を行う。この書込み動作では、１行目の走査電極ＳＣＮ１に選択電位である走査パルス電位Ｖｂ（Ｖ）を与えるとともに、データ電極Ｄ１〜Ｄｍのうち、１行目に点灯させるべき放電セルのデータ電極Ｄｋに正の書込みパルス電位Ｖｗ（Ｖ）を与える。このとき、データ電極Ｄｋと走査電極ＳＣＮ１との交差部の電圧は、外部印加電圧（Ｖｗ−Ｖｂ）に、データ電極Ｄｋ上の壁電荷により生じる電圧および走査電極ＳＣＮ１上の壁電荷により生じる電圧の大きさが加算されたものとなり、放電開始電圧を超える。そして、データ電極Ｄｋと走査電極ＳＣＮ１との間および維持電極ＳＵＳ１と走査電極ＳＣＮ１との間に書込み放電が起こり、この放電セルの走査電極ＳＣＮ１上に正の壁電荷が蓄積され、維持電極ＳＵＳ１上に負の壁電荷が蓄積され、データ電極Ｄｋ上にも負の壁電荷が蓄積される。このようにして、１行目に点灯させるべき放電セルで書込み放電を起こして各電極上に壁電荷を蓄積する書込み動作が行われる。一方、正の書込みパルス電位Ｖｗ（Ｖ）を与えなかったデータ電極と走査電極ＳＣＮ１との交差部の電圧は放電開始電圧を超えないので、書込み放電は発生しない。次に、同様にして３行目の放電セルに対して書込み動作を行う。以降も同様に、走査電極グループ４Ａに対応する最後の行であるｎ−１行目の放電セルに至るまで順次書込み動作を行う。そして、ｎ−１行目の放電セルに対する書込み動作が終了すると、走査電極グループ４Ｂの全ての走査電極ＳＣＮｂを第１非選択電位Ｖｓ（Ｖ）に保持するとともに、維持電極グループ５Ｂの全ての維持電極ＳＵＳｂを第１待機電位である電位Ｖｈ（Ｖ）に保持し、第１のサブ期間Ｔａが終了する。なお、第１待機電位Ｖｈ（Ｖ）は、走査電極の第１非選択電位Ｖｓ（Ｖ）よりも高く、維持パルス電位Ｖｍ（Ｖ）よりも低い電位に設定される。【０１３５】
次に、第２のサブ期間Ｔｂでは、その期間中、維持電極グループ５Ａ、５Ｂの全ての維持電極ＳＵＳ１〜ＳＵＳｎについて保持されている電位Ｖｈ（Ｖ）を維持する。そして、偶数行の走査電極グループ４Ｂに対応する放電セルに対して書込み動作を行う。まず、走査電極グループ４Ｂに対応する最初の行である２行目の放電セルに対して書込み動作を行う。この２行目の放電セルに対する書込み動作は、前述の１行目の放電セルに対する書込み動作と同様である（但し、後述のように、１ライン書込み時間ｔａ、ｔｂが異なる）。次に、同様にして４行目の放電セルに対して書込み動作を行う。以降も同様に、走査電極グループ４Ｂに対応する最後の行であるｎ行目の放電セルに至るまで順次書込み動作を行う。そして、ｎ行目の放電セルに対する書込み動作が終了すると、全ての維持電極ＳＵＳ１〜ＳＵＳｎを０Ｖに保持し、第２のサブ期間Ｔｂが終了する。【０１３６】
このように本実施形態における書込み期間では、走査電極グループ４Ａに対応する行の放電セルに対して書込み動作を行った後、走査電極グループ４Ｂに対応する行の放電セルに対して書込み動作を行うようにし、それぞれの書込み動作では、走査電極に順次走査パルスを与えるとともに、データ電極には表示すべき画像信号に対応した書込みパルス電位を与えることにより、走査電極とデータ電極との間及び走査電極と維持電極との間で選択的に書込み放電を起こし、選択的に壁電荷形成を行う。【０１３７】
さらに、本実施形態では、各走査電極に走査パルス電位Ｖｂ（Ｖ）を与える時間である１ライン書込み時間を、第１のサブ期間Ｔａと第２のサブ期間Ｔｂとで異ならせている。すなわち、第１のサブ期間Ｔａにおける１ライン書込み時間ｔａを、第２のサブ期間Ｔｂにおける１ライン書込み時間ｔｂよりも短くしている。第１のサブ期間Ｔａでは、第２のサブ期間Ｔｂと比較して、初期化期間終了時からの経過時間が短く、放電セル内の壁電荷及びプライミング粒子の減少が少ないため、放電遅れが小さく、１ライン書込み時間ｔａを短くしても良好な書込み放電が得られる。そして、１ライン書込み時間ｔａを短くすることにより、第１のサブ期間Ｔａを短縮できる。また、書込み期間中の壁電荷の中和量は、初期化期間の動作終了時から書込み動作が行われるまでの時間（書込み待機時間）が長い放電セルほど大きく、また、壁電荷の中和現象は、初期化放電によるプライミング粒子の大量発生等により、初期化期間の動作終了直後ほど顕著に発生するため、第１のサブ期間Ｔａを短くすることにより、第１のサブ期間Ｔａにおいて書込み動作の対象となる放電セルの書込み待機中における壁電荷及びプライミング粒子の減少を抑えることが可能になり、第１のサブ期間Ｔａの後半部における書込みミスをより防止することができる。また、第１のサブ期間Ｔａを短縮することにより、第２のサブ期間Ｔｂを初期化期間終了時に近づけることができ、第２のサブ期間Ｔｂにおいても書込み動作の対象となる放電セルの書込み待機中における壁電荷及びプライミング粒子の減少を抑えることが可能になり、第２のサブ期間Ｔｂにおける書込みミスを防止することができる。【０１３８】
次に、初期化期間に選択初期化動作を行うサブフィールドにおける動作を説明する。【０１３９】
この初期化期間については図示していないが、図９の例えば第２ＳＦの初期化期間と同様であり、第１の実施形態で説明した通りである。この後に続く書込み期間および維持期間については、前述した初期化期間に全セル初期化動作を行うサブフィールドの書込み期間および維持期間と同様であるため説明を省略する。【０１４０】
なお、本実施形態では、維持電極ＳＵＳ１〜ＳＵＳｎに対し書込み期間に与える第１待機電位Ｖｈ（Ｖ）が初期化期間に与える正の電位Ｖｈ（Ｖ）と等しくなるように構成しているが、必ずしもこのような構成に限られるものではなく、例えば、書込み期間に与える第１待機電位Ｖｈ（Ｖ）が、初期化期間に与える正の電位よりも若干（例えば５〜２０Ｖ程度）高くなるように構成してもよい。【０１４１】
本実施形態では、書込み期間の第１のサブ期間Ｔａにおいて、走査電極グループ４Ｂの全ての走査電極ＳＣＮｂに与える第２非選択電位Ｖｘ（Ｖ）を、第１非選択電位Ｖｓ（Ｖ）よりも電圧Ｖｓｃｎ２の分だけ高い電位とし、電圧Ｖｓｃｎ２を走査パルス電圧Ｖｓｃｎと等しくなるように設定している。この第２非選択電位Ｖｘ（Ｖ）は、第１非選択電位Ｖｓ（Ｖ）よりも高く、全セル初期化動作を行う初期化期間の最高電位Ｖｒ（Ｖ）よりも低い電位に設定すればよい。但し、走査電極ＳＣＮｂと、維持電極ＳＵＳｂ及びデータ電極Ｄ１〜Ｄｍとの間で、放電が発生しないような電位に設定する。【０１４２】
また、第１のサブ期間Ｔａにおいて、維持電極グループ５Ｂの全ての維持電極ＳＵＳｂに与える第２待機電位Ｖｙ（Ｖ）を接地電位に設定している。この第２待機電位Ｖｙ（Ｖ）は、第１待機電位Ｖｈ（Ｖ）よりも低く、走査電極の選択電位Ｖｂ（Ｖ）よりも高い電位に設定すればよい。但し、維持電極ＳＵＳｂと、走査電極ＳＣＮｂ及びデータ電極Ｄ１〜Ｄｍとの間で、放電が発生しないような電位に設定する。【０１４３】
上記の駆動方法において、初期化期間及び維持期間の動作については、図９に示された従来例と同様であり、データ電極駆動回路１２によって全てのデータ電極Ｄ１〜Ｄｍが同一の電位（例えば０Ｖ）に保持され、走査電極駆動回路１３の第１及び第２駆動回路１３Ａ、１３Ｂによって全ての走査電極ＳＣＮ１〜ＳＣＮｎが同じように駆動され、維持電極駆動回路１４の第１及び第２駆動回路１４Ａ、１４Ｂによって全ての維持電極ＳＵＳ１〜ＳＵＳｎが同じように駆動される。【０１４４】
また、維持電極駆動回路１４では、第１駆動回路１４Ａによって、初期化期間から続いて書込み期間中に、維持電極グループ５Ａの全ての維持電極ＳＵＳａに対し第１待機電位Ｖｈ（Ｖ）を与え、第２駆動回路１４Ｂによって、維持電極グループ５Ｂの全ての維持電極ＳＵＳｂに対し、書込み期間の第１のサブ期間Ｔａに第２待機電位Ｖｙ（Ｖ）を与え、第２のサブ期間Ｔｂに第１待機電位Ｖｈ（Ｖ）を与えるように構成されている。【０１４５】
前述の動作から明らかなように、走査電極駆動回路１３において、走査電極グループ４Ｂの走査電極ＳＣＮｂを駆動する第２駆動回路１３Ｂは、第１駆動回路１３Ａに対して、第１のサブ期間Ｔａに、走査電極グループ４Ｂの全ての走査電極ＳＣＮｂに第２非選択電位Ｖｘ（Ｖ）を与えるための構成が追加された構成になっている（第１の実施形態と同様）。また、維持電極駆動回路１４において、維持電極グループ５Ｂの維持電極ＳＵＳｂを駆動する第２駆動回路１４Ｂは、第１駆動回路１４Ａに対して、第１のサブ期間Ｔａに、維持電極グループ５Ｂの全ての維持電極ＳＵＳｂに第２待機電位Ｖｙ（Ｖ）を与えるための構成が追加された構成になっている。【０１４６】
本実施形態では、初期化期間の後の書込み期間を複数のサブ期間に分割し、第１のサブ期間Ｔａ中に、第１のサブ期間Ｔａより後の第２のサブ期間Ｔｂに割り当てられた走査電極グループ４Ｂの走査電極ＳＣＮｂに対し、第１非選択電位Ｖｓ（Ｖ）より高い第２非選択電位Ｖｘ（Ｖ）を与えることにより、書込み待機中の放電セル（走査電極グループ４Ｂに対応する放電セル）において、放電空間における走査電極ＳＣＮｂ近傍部分とデータ電極Ｄ１〜Ｄｍ近傍部分との間の電位差、及び走査電極ＳＣＮｂ近傍部分と維持電極ＳＵＳｂ近傍部分との間の電位差を小さくして、従来問題になっていた壁電荷の中和を抑制することができる。さらに維持電極グループ５Ｂの維持電極ＳＵＳｂに対し、第１待機電位Ｖｈ（Ｖ）よりも低い第２待機電位Ｖｙ（Ｖ）を与えることにより、書込み待機中の放電セルにおいて、放電空間における走査電極ＳＣＮｂ近傍部分と維持電極ＳＵＳｂ近傍部分との間の電位差をより小さくすることができ、壁電荷の中和をより抑制することができる。さらに、第１のサブ期間Ｔａにおける１ライン書込み時間ｔａを、第２のサブ期間Ｔｂにおける１ライン書込み時間ｔｂよりも短くすることにより、第１のサブ期間Ｔａを短縮し、第１のサブ期間Ｔａの後半部及び第２のサブ期間Ｔｂを初期化期間終了時に近づけることができ、第１のサブ期間Ｔａの後半部及び第２のサブ期間Ｔｂにおいて書込み動作の対象となる放電セルの書込み待機中における壁電荷及びプライミング粒子の減少を抑えることが可能になる。以上のことから、初期化期間終了時における書込み放電が可能な帯電状態の維持をより良好に行うことができ、書込み待機時間の増加による書込みミスをより低減することが可能になる。【０１４７】
さらに、それぞれの走査電極グループ４Ａ、４Ｂの走査電極がＰＤＰ１において交互に配列されていることにより、各々の走査電極グループ４Ａ、４Ｂに属する走査電極がＰＤＰ１のパネル面（画面）全体に均一に存在するため、各走査電極グループ４Ａ、４Ｂ間の回路インピーダンスの違いや、各走査電極グループ４Ａ、４Ｂ間での負荷の違い等によって発生する画面上の輝度差が目立たなくなり、明線／暗線の発生も防止でき、良好な画質を得ることができる。【０１４８】
この第２の実施形態においても、第１の実施形態で述べた変形例のように、第１のサブ期間Ｔａと第２のサブ期間Ｔｂとの間に書込み休止期間Ｔｒ（図６）を設けるようにしてもよい。【０１４９】
以上に述べた第１及び第２の実施形態では、書込み動作をシングルスキャン方式で行う構成であり、このシングルスキャン方式では、ダブルスキャン方式よりも書込み待機時間が増加するため、書込み待機時間の増加による書込みミスをより効果的に低減することができる。なお、書込み動作をダブルスキャン方式で行う構成に、本発明を適用してもよい。【０１５０】
また、従来、放電セル内のキセノンガスの分圧比が７％以上の高い分圧比において書込み待機時間の増加による書込みミスが多発していたので、放電セル内のキセノンガスの分圧比が７％以上の場合に書込みミスをより効果的に低減することができる。【０１５１】
また、プラズマディスプレイパネルの解像度が例えば１００万画素（ＨＤ）以上のように高い場合には、各々の放電セルの占有面積が、２．６９６×１０−４ｃｍ２以上、４．４３２×１０−３ｃｍ２以下のように小さく、各々の放電セルに蓄積可能な壁電荷量が少なくなり、書込み待機時間の増加に伴う書込みミスが発生しやすくなるため、このような構成の場合に書込みミスをより効果的に低減することができる。なお、各々の放電セルの占有面積が、２．６９６×１０−４ｃｍ２である場合は、例えば、３７型画面において走査電極を１０８０本、データ電極を４３２０×３本備えた構成の場合に相当し、４．４３２×１０−３ｃｍ２である場合は、例えば、１００型画面において走査電極を１０８０本、データ電極を１９２０×３本備えた構成の場合に相当する。【０１５２】
なお、第１及び第２の実施形態では、１フィールドを構成する各々のサブフィールドにおいて、書込み期間の前半の第１のサブ期間Ｔａに奇数行の走査電極グループ４Ａを割り当て、後半の第２のサブ期間Ｔｂに偶数行の走査電極グループ４Ｂを割り当てるようにしている。この前半と後半の各々のサブ期間に割り当てる走査電極グループ４Ａ、４Ｂを、１フィールドごと、または１サブフィールドごとに異なるようにしてもよい。または、１フィールドごとに異なり、かつ１サブフィールドごとに異なるようにしてもよい。【０１５３】
走査電極グループ４Ａ、４Ｂを１フィールドごとに異なるサブ期間に割り当てる場合、例えば、第１フィールドの各サブフィールドにおいて、第１のサブ期間に走査電極グループ４Ａを、第２のサブ期間に走査電極グループ４Ｂを割り当て、第１フィールドに続く第２フィールドの各サブフィールドにおいて、第１のサブ期間に走査電極グループ４Ｂを、第２のサブ期間に走査電極グループ４Ａを割り当てるようにし、以降のフィールドにおいても同様に繰り返される。この場合、書込み待機時間の増加による書込みミスがたとえ発生したとしても、それによって不灯になる放電セルの位置が１フィールド（例えば周波数が６０Ｈｚの場合には、約１６．７ｍｓ）毎に異なるため、放電セルの不灯による画質劣化が肉眼では認識できず、目立たなくなる。【０１５４】
走査電極グループ４Ａ、４Ｂを１サブフィールドごとに異なるサブ期間に割り当てる場合、例えば、各フィールドにおいて、第１サブフィールドでは、第１のサブ期間に走査電極グループ４Ａを、第２のサブ期間に走査電極グループ４Ｂを割り当て、第１サブフィールドに続く第２サブフィールドでは、第１のサブ期間に走査電極グループ４Ｂを、第２のサブ期間に走査電極グループ４Ａを割り当てるようにし、以降のサブフィールドにおいても同様に繰り返される。この場合、書込み待機時間の増加による書込みミスがたとえ発生したとしても、それによって不灯になる放電セルの位置が１サブフィールド（例えば周波数が６０Ｈｚで、１フィールドが１１個のサブフィールドで構成される場合には、約１．５ｍｓ）毎に異なるため、放電セルの不灯による画質劣化が肉眼では認識できず、目立たなくなる。【０１５５】
走査電極グループ４Ａ、４Ｂを１フィールドごとに異なり、かつ１サブフィールドごとに異なるサブ期間に割り当てる場合、例えば、第１フィールドにおける第１サブフィールドでは、第１のサブ期間に走査電極グループ４Ａを、第２のサブ期間に走査電極グループ４Ｂを割り当て、第１サブフィールドに続く第２サブフィールドでは、第１のサブ期間に走査電極グループ４Ｂを、第２のサブ期間に走査電極グループ４Ａを割り当てるようにし、以降のサブフィールドにおいても同様に繰り返される。そして第１フィールドに続く第２フィールドにおける第１サブフィールドでは、第１のサブ期間に走査電極グループ４Ｂを、第２のサブ期間に走査電極グループ４Ａを割り当て、第１サブフィールドに続く第２サブフィールドでは、第１のサブ期間に走査電極グループ４Ａを、第２のサブ期間に走査電極グループ４Ｂを割り当てるようにし、以降のサブフィールドにおいても同様に繰り返される。さらに、以降のフィールドにおいても同様に繰り返される。この場合、書込み待機時間の増加による書込みミスがたとえ発生したとしても、それによって不灯になる放電セルの位置が１フィールド毎及び１サブフィールド毎に異なるため、放電セルの不灯による画質劣化が肉眼では認識できず、目立たなくなる。【０１５６】
また、第１及び第２の実施形態では、走査電極を２つの走査電極グループにグループ分けするとともに、書込み期間をそれぞれの走査電極グループが割り当てられる２つのサブ期間（書込みサブ期間）からなるようにしたが、３つ以上の走査電極グループにグループ分けして、書込み期間をそれぞれの走査電極グループが割り当てられる３つ以上のサブ期間からなるようにしてもよい。【０１５７】
第１の実施の形態において、例えば、走査電極を４つの走査電極グループにグループ分けする場合、図２のように配列された走査電極ＳＣＮ１〜ＳＣＮｎを、ＳＣＮｃ（ｃ＝１＋４ｊ、ｊ＝０，１，２，・・・）、ＳＣＮｄ（ｄ＝２＋４ｊ）、ＳＣＮｅ（ｅ＝３＋４ｊ）、ＳＣＮｆ（ｆ＝４＋４ｊ）の４つにグループ分けし、走査電極ＳＣＮｃを走査電極グループＣ１とし、走査電極ＳＣＮｄを走査電極グループＤ１とし、走査電極ＳＣＮｅを走査電極グループＥ１とし、走査電極ＳＣＮｆを走査電極グループＦ１とする。この場合、書込み期間を、第１のサブ期間、第２のサブ期間、第３のサブ期間、第４のサブ期間の順に４つのサブ期間に分割し、例えば、走査電極グループＣ１を第１のサブ期間に、走査電極グループＤ１を第２のサブ期間に、走査電極グループＥ１を第３のサブ期間に、走査電極グループＦ１を第４のサブ期間に、それぞれ割り当てるようにすればよい。そして、走査電極グループＣ１が割り当てられた第１のサブ期間においては、走査電極グループＤ１，Ｅ１，Ｆ１の走査電極に、図５の第１のサブ期間Ｔａにおける偶数行の走査電極グループ４Ｂの走査電極と同じ電位を与え、走査電極グループＤ１が割り当てられた第２のサブ期間においては、走査電極グループＥ１，Ｆ１の走査電極に、図５の第１のサブ期間Ｔａにおける偶数行の走査電極グループ４Ｂの走査電極と同じ電位を与え、走査電極グループＥ１が割り当てられた第３のサブ期間においては、走査電極グループＦ１の走査電極に、図５の第１のサブ期間Ｔａにおける偶数行の走査電極グループ４Ｂの走査電極と同じ電位を与えるようにすればよい。【０１５８】
このように、３つ以上の走査電極グループにグループ分けした場合、任意の走査電極グループについて、各走査電極グループが割り当てられたサブ期間より以前の全てのサブ期間において、図５の第１のサブ期間Ｔａにおける偶数行の走査電極グループ４Ｂと同じ電位を与えるようにすることが最も好ましいが、少なくとも１つの走査電極グループについて、その走査電極グループが割り当てられたサブ期間より以前の少なくとも１つのサブ期間において、図５の第１のサブ期間Ｔａにおける偶数行の走査電極グループ４Ｂと同じ電位を与えるようにすることにより、書込みミスをある程度は低減できる。【０１５９】
また、第２の実施の形態において、例えば、走査電極を４つの走査電極グループにグループ分けする場合、図２のように配列された走査電極ＳＣＮ１〜ＳＣＮｎを、ＳＣＮｃ（ｃ＝１＋４ｊ、ｊ＝０，１，２，・・・）、ＳＣＮｄ（ｄ＝２＋４ｊ）、ＳＣＮｅ（ｅ＝３＋４ｊ）、ＳＣＮｆ（ｆ＝４＋４ｊ）の４つにグループ分けし、走査電極ＳＣＮｃを走査電極グループＣ１とし、走査電極ＳＣＮｄを走査電極グループＤ１とし、走査電極ＳＣＮｅを走査電極グループＥ１とし、走査電極ＳＣＮｆを走査電極グループＦ１とする。また、走査電極と対をなす維持電極についても同様にグループ分けする。維持電極ＳＵＳ１〜ＳＵＳｎを、ＳＵＳｃ（ｃ＝１＋４ｊ、ｊ＝０，１，２，・・・）、ＳＵＳｄ（ｄ＝２＋４ｊ）、ＳＵＳｅ（ｅ＝３＋４ｊ）、ＳＵＳｆ（ｆ＝４＋４ｊ）の４つにグループ分けし、維持電極ＳＵＳｃを維持電極グループＣ２とし、維持電極ＳＵＳｄを維持電極グループＤ２とし、維持電極ＳＵＳｅを維持電極グループＥ２とし、維持電極ＳＵＳｆを維持電極グループＦ２とする。この場合、書込み期間を、第１のサブ期間、第２のサブ期間、第３のサブ期間、第４のサブ期間の順に４つのサブ期間に分割し、例えば、走査電極グループＣ１を第１のサブ期間に、走査電極グループＤ１を第２のサブ期間に、走査電極グループＥ１を第３のサブ期間に、走査電極グループＦ１を第４のサブ期間に、それぞれ割り当てるようにすればよい。そして、走査電極グループＣ１が割り当てられた第１のサブ期間においては、走査電極グループＤ１，Ｅ１，Ｆ１の走査電極に、図８の第１のサブ期間Ｔａにおける偶数行の走査電極グループ４Ｂの走査電極と同じ電位を与え、維持電極グループＤ２，Ｅ２，Ｆ２の維持電極に、図８の第１のサブ期間Ｔａにおける偶数行の維持電極グループ５Ｂの維持電極と同じ電位を与える。また、走査電極グループＤ１が割り当てられた第２のサブ期間においては、走査電極グループＥ１，Ｆ１の走査電極に、図８の第１のサブ期間Ｔａにおける偶数行の走査電極グループ４Ｂの走査電極と同じ電位を与え、維持電極グループＥ２，Ｆ２の維持電極に、図８の第１のサブ期間Ｔａにおける偶数行の維持電極グループ５Ｂの維持電極と同じ電位を与える。また、走査電極グループＥが割り当てられた第３のサブ期間においては、走査電極グループＦ１の走査電極に、図８の第１のサブ期間Ｔａにおける偶数行の走査電極グループ４Ｂの走査電極と同じ電位を与え、維持電極グループＦ２の維持電極に、図８の第１のサブ期間Ｔａにおける偶数行の維持電極グループ５Ｂの維持電極と同じ電位を与えるようにすればよい。【０１６０】
このように、３つ以上の走査電極グループにグループ分けした場合、任意の走査電極グループ及びそれと対応する維持電極グループについて、各走査電極グループが割り当てられたサブ期間より以前の全てのサブ期間において、図８の第１のサブ期間Ｔａにおける偶数行の走査電極グループ４Ｂ及び維持電極グループ５Ｂと同じ電位を与えるようにすることが最も好ましいが、少なくとも１つの走査電極グループについて、その走査電極グループが割り当てられたサブ期間より以前の少なくとも１つのサブ期間において、図８の第１のサブ期間Ｔａにおける偶数行の走査電極グループ４Ｂと同じ電位を与えるとともに、その走査電極グループに対応する維持電極グループについて、図８の第１のサブ期間Ｔａにおける偶数行の維持電極グループ５Ｂと同じ電位を与えるようにすることにより、書込みミスをある程度は低減できる。【０１６１】
以上のように、３つ以上の走査電極グループにグループ分けした場合の走査電極の１ライン書込み時間については次のように設定すればよい。例えば前述のように４つの走査電極グループＣ１〜Ｆ１にグループ分けし、書込み期間を、４つの各走査電極グループＣ１〜Ｆ１に対応するように第１〜第４の順に４つのサブ期間に分割した場合について説明する。この場合、第１のサブ期間における走査電極グループＣ１の１ライン書込み時間をｔｃ、第２のサブ期間における走査電極グループＤ１の１ライン書込み時間をｔｄ、第３のサブ期間における走査電極グループＥ１の１ライン書込み時間をｔｅ、第４のサブ期間における走査電極グループＦ１の１ライン書込み時間をｔｆとすると、ｔｃ＜ｔｄ＜ｔｅ＜ｔｆとすることにより、第１〜第３のサブ期間を短縮して、第２〜第４のサブ期間において書込み動作の対象となる放電セルの書込み待機中における壁電荷及びプライミング粒子の減少を抑えることが可能になる。このように、初期化期間に近いサブ期間ほど１ライン書込み時間が短くなるようにすることが最も好ましいが、ｔｃ＜ｔｄ＜ｔｅ＝ｔｆ、ｔｃ＜ｔｄ＝ｔｅ＜ｔｆ、ｔｃ＝ｔｄ＜ｔｅ＜ｔｆ、ｔｃ＜ｔｄ＝ｔｅ＝ｔｆ、ｔｃ＝ｔｄ＝ｔｅ＜ｔｆ等としても有る程度の効果は得られる。また、ｔｄ＜ｔｅ＝ｔｆ＝ｔｃ、ｔｅ＜ｔｄ＝ｔｆ＝ｔｃとしても少なくとも最後のサブ期間を初期化期間終了時に近づけることができ、有る程度の効果は得られる。すなわち、書込み期間を構成する複数のサブ期間のうち、最後のサブ期間における１ライン書込み時間より短い１ライン書込み時間が設定されるサブ期間が少なくとも１つ存在するようにすればよい。但し、最後のサブ期間における１ライン書込み時間より長い１ライン書込み時間が設定されるサブ期間は存在しないものとする。【０１６２】
また、３つ以上の走査電極グループにグループ分けした場合も、第１の実施形態の変形例で述べたように各サブ期間の間に書込み休止期間を設けるようにしてもよい。【０１６３】
また、３つ以上の走査電極グループにグループ分けした場合も、各々のサブ期間に割り当てる走査電極グループを、１フィールドごと、または１サブフィールドごとに異なるようにしてもよいし、または、１フィールドごとに異なり、かつ１サブフィールドごとに異なるようにしてもよい。【０１６４】
なお、走査電極グループのグループ数の増加は、走査電極駆動回路１３の複雑化及び制御の複雑化を招くことになる。さらに、第２の実施形態において、走査電極グループのグループ数を増加する場合には、維持電極グループのグループ数も同様に増加するため、維持電極駆動回路１４の複雑化及び制御の複雑化を招くことにもなる。このようなデメリットを考慮すれば走査電極グループのグループ数を２つにするのが好ましい。【０１６５】
なお、以上では、各々の走査電極グループに属する走査電極の本数を等しいものとしたが、各々の走査電極グループに属する走査電極の本数が異なってもよい。また、各々の走査電極グループに属する走査電極が１本ずつ順番に配列されているものとしたが、これに限られるものではない。各々の走査電極グループは、それぞれ、すくなくとも１本（複数本の場合には互いに隣接して存在する複数本）の走査電極からなる複数の走査電極サブグループを有し、かつ、異なる走査電極グループの走査電極サブグループ同士が隣接して存在するとともに同一の走査電極グループの走査電極サブグループ同士が隣接して存在しないように、走査電極がグループ分けされて構成されてあればよい。ここで、各走査電極サブグループが１本の走査電極で構成される例が、図４、図７に示された構成である。例えば、各走査電極サブグループが互いに隣接する２本の走査電極で構成されてあってもよい。また、走査電極グループごとに、走査電極サブグループを構成する走査電極の本数が異なってもよいし、各々の走査電極グループにおいて各走査電極サブグループを構成する走査電極の本数が異なってもよい。【０１６６】
上記説明から、当業者にとっては、本発明の多くの改良や他の実施形態が明らかである。従って、上記説明は、例示としてのみ解釈されるべきであり、本発明を実行する最良の態様を当業者に教示する目的で提供されたものである。本発明の精神を逸脱することなく、その構造及び／又は機能の詳細を実質的に変更できる。
【産業上の利用可能性】
【０１６７】
本発明に係るプラズマディスプレイパネルの駆動方法及びプラズマディスプレイ装置は、書込みミスをより低減し、良好な画質を得ることができる画像表示装置等として有用である。
【図１】
2007142254.tif 000003
【図２】
2007142254.tif 000004
【図３】
2007142254.tif 000005
【図４】
2007142254.tif 000006
【図５】
2007142254.tif 000007
【図６】
2007142254.tif 000008
【図７】
2007142254.tif 000009
【図８】
2007142254.tif 000010
【図９】
2007142254.tif 000011
【図１０】
2007142254.tif 000012
【図１１】
2007142254.tif 000013
【図１２】
2007142254.tif 000014
【手続補正書】
【提出日】平成20年11月25日(2008.11.25)
【手続補正１】
【補正対象書類名】特許請求の範囲
【補正対象項目名】全文
【補正方法】変更
【補正の内容】
【特許請求の範囲】
【請求項１】
対をなす走査電極及び維持電極からなる複数の表示電極対と複数のデータ電極とが間隙を有して交差するように配設され、前記間隙を形成する前記表示電極対及び前記データ電極とを有し前記間隙に放電空間が形成された複数の放電セルを有したプラズマディスプレイパネルの駆動方法であって、
前記複数の表示電極対に含まれる複数の前記走査電極が複数の走査電極グループからなり、前記走査電極グループが少なくとも１の前記走査電極からなる複数の走査電極サブグループを有し、異なる走査電極グループに含まれる前記走査電極サブグループが隣接して存在するとともに同一走査電極グループに含まれる前記走査電極サブグループが互いに隣接して存在しないように、前記複数の走査電極を複数の前記走査電極グループにグループ分けし、
１フィールド期間を、前記放電セル内部を書込み放電が可能な帯電状態にする初期化期間と、点灯させる前記放電セルに前記書込み放電を生じさせる書込み期間と、前記書込み放電を生じさせた前記放電セルを点灯させる維持期間とを有する複数のサブフィールドに分割し、
各サブフィールドの前記書込み期間を、それぞれ異なる１つの前記走査電極グループを割り当てるように複数の書込みサブ期間に分割し、
前記書込みサブ期間に、前記書込みサブ期間に割り当てられた走査電極グループの前記走査電極を有する前記放電セルのうち前記点灯させるべき放電セルに前記書込み放電を生じさせるために、前記書込みサブ期間に割り当てられた走査電極グループの前記走査電極に対し選択と非選択とに応じて選択電位と第１非選択電位とを与えるようにして前記走査電極を順次選択し、各々の前記走査電極の選択と同期して選択すべき前記データ電極に書込み電位を与え、
前記複数の書込みサブ期間のうち最後の前記書込みサブ期間を除く一の前記書込みサブ期間において前記走査電極に対して前記選択電位を与える時間を、前記最後の書込みサブ期間において前記走査電極に対して前記選択電位を与える時間よりも短くし、
一の前記走査電極グループを割り当てた書込みサブ期間より前のいずれかの前記書込みサブ期間において、前記一の走査電極グループの前記走査電極に対し前記第１非選択電位より高い第２非選択電位を与える、プラズマディスプレイパネルの駆動方法。
【請求項２】
前記書込みサブ期間に割り当てられた走査電極グループと対をなす前記維持電極に第１待機電位を与え、前記一の走査電極グループを割り当てた書込みサブ期間より前のいずれかの前記書込みサブ期間において、前記一の走査電極グループの前記走査電極と対をなす前記維持電極に対し、前記第１待機電位より低い第２待機電位を与える、請求項１に記載のプラズマディスプレイパネルの駆動方法。
【請求項３】
前記第２待機電位は、前記選択電位より高い、請求項２に記載のプラズマディスプレイパネルの駆動方法。
【請求項４】
前記第２待機電位は、接地電位である、請求項２に記載のプラズマディスプレイパネルの駆動方法。
【請求項５】
前記一の走査電極グループを割り当てた書込みサブ期間の直前の書込みサブ期間に前記一の走査電極グループの前記走査電極に前記第２非選択電位を与え、
前記一の走査電極グループを割り当てた書込みサブ期間の直前の書込みサブ期間と、前記一の走査電極グループを割り当てた書込みサブ期間との間に、予め定められた所定時間からなり、全ての前記走査電極に対して前記選択電位を与えない書込み休止期間を設け、
前記書込み休止期間の前半に、前記一の走査電極グループの前記走査電極に与える電位を、前記第２非選択電位から前記第１非選択電位に切替える、請求項１または２に記載のプラズマディスプレイパネルの駆動方法。
【請求項６】
前記書込み休止期間の前半に前記一の走査電極グループの前記走査電極に与える電位が前記第１非選択電位に切替えられたことによる前記維持電極の電位変動が、前記書込み休止期間の期間内に実質的に終了するよう、前記書込み休止期間の前記所定時間が予め定められている、請求項５に記載のプラズマディスプレイパネルの駆動方法。
【請求項７】
各サブフィールド期間において、前記初期化期間に、前記走査電極に対し、上昇後に下降する第１のランプ電位と、前記第１のランプ電位の最高電位よりも低い電位から下降する第２のランプ電位とのうちのいずれかを与えるようにし、
前記第２非選択電位は、前記第１のランプ電位の最高電位より低い、請求項１または２に記載のプラズマディスプレイパネルの駆動方法。
【請求項８】
前記走査電極グループのグループ数が２つである、請求項１または２に記載のプラズマディスプレイパネルの駆動方法。
【請求項９】
各々の前記書込みサブ期間に割り当てられる前記走査電極グループが、１フィールドごとに異なる、請求項１または２に記載のプラズマディスプレイパネルの駆動方法。
【請求項１０】
各々の前記書込みサブ期間に割り当てられる前記走査電極グループが、１サブフィールドごとに異なる、請求項１または２に記載のプラズマディスプレイパネルの駆動方法。
【請求項１１】
各々の前記書込みサブ期間に割り当てられる前記走査電極グループが、１フィールドごとに異なり、かつ、１サブフィールドごとに異なる、請求項１または２に記載のプラズマディスプレイパネルの駆動方法。
【請求項１２】
前記放電セルに、分圧比が７％以上のキセノンガスを含む放電ガスが充填されている、請求項１または２に記載のプラズマディスプレイパネルの駆動方法。
【請求項１３】
各々の前記データ電極が全ての前記走査電極と交差するように配設され、前記書込み期間において前記走査電極を１本ずつ選択する、請求項１または２に記載のプラズマディスプレイパネルの駆動方法。
【請求項１４】
各々の前記放電セルの占有面積が、２．６９６×１０-4ｃｍ2以上、４．４３２×１０-3ｃｍ2以下である、請求項１または２に記載のプラズマディスプレイパネルの駆動方法。
【請求項１５】
対をなす走査電極及び維持電極からなる複数の表示電極対と複数のデータ電極とが間隙を有して交差するように配設され、前記間隙を形成する前記表示電極対及び前記データ電極とを有し前記間隙に放電空間が形成された複数の放電セルを有したプラズマディスプレイパネルと、前記プラズマディスプレイパネルを駆動する駆動装置とを備え、
前記駆動装置は、
前記複数の表示電極対に含まれる複数の前記走査電極が複数の走査電極グループからなり、前記走査電極グループが少なくとも１の前記走査電極からなる複数の走査電極サブグループを有し、異なる走査電極グループに含まれる前記走査電極サブグループが隣接して存在するとともに同一走査電極グループに含まれる前記走査電極サブグループが互いに隣接して存在しないように、前記複数の走査電極を複数の前記走査電極グループにグループ分けし、
１フィールド期間を、前記放電セル内部を書込み放電が可能な帯電状態にする初期化期間と、点灯させる前記放電セルに前記書込み放電を生じさせる書込み期間と、前記書込み放電を生じさせた前記放電セルを点灯させる維持期間とを有する複数のサブフィールドに分割し、
各サブフィールドの前記書込み期間を、それぞれ異なる１つの前記走査電極グループを割り当てるように複数の書込みサブ期間に分割し、
前記書込みサブ期間に、前記書込みサブ期間に割り当てられた走査電極グループの前記走査電極を有する前記放電セルのうち前記点灯させるべき放電セルに前記書込み放電を生じさせるために、前記書込みサブ期間に割り当てられた走査電極グループの前記走査電極に対し選択と非選択とに応じて選択電位と第１非選択電位とを与えるようにして前記走査電極を順次選択し、各々の前記走査電極の選択と同期して選択すべき前記データ電極に書込み電位を与え、
前記複数の書込みサブ期間のうち最後の前記書込みサブ期間を除く一の前記書込みサブ期間において前記走査電極に対して前記選択電位を与える時間を、前記最後の書込みサブ期間において前記走査電極に対して前記選択電位を与える時間よりも短くし、
一の前記走査電極グループを割り当てた書込みサブ期間より前のいずれかの前記書込みサブ期間において、前記一の走査電極グループの前記走査電極に対し前記第１非選択電位より高い第２非選択電位を与えるように構成された、プラズマディスプレイ装置。
【請求項１６】
前記駆動装置は、前記書込みサブ期間に割り当てられた走査電極グループと対をなす前記維持電極に第１待機電位を与え、前記一の走査電極グループを割り当てた書込みサブ期間より前のいずれかの前記書込みサブ期間において、前記一の走査電極グループの前記走査電極と対をなす前記維持電極に対し、前記第１待機電位より低い第２待機電位を与える、請求項１５に記載のプラズマディスプレイ装置。
【請求項１７】
前記第２待機電位は、前記選択電位より高い、請求項１６に記載のプラズマディスプレイ装置。
【請求項１８】
前記第２待機電位は、接地電位である、請求項１６に記載のプラズマディスプレイ装置。
【請求項１９】
前記駆動装置は、
前記一の走査電極グループを割り当てた書込みサブ期間の直前の書込みサブ期間に前記一の走査電極グループの前記走査電極に前記第２非選択電位を与え、
前記一の走査電極グループを割り当てた書込みサブ期間の直前の書込みサブ期間と、前記一の走査電極グループを割り当てた書込みサブ期間との間に、予め定められた所定時間からなり、全ての前記走査電極に対して前記選択電位を与えない書込み休止期間を設け、
前記書込み休止期間の前半に、前記一の走査電極グループの前記走査電極に与える電位を、前記第２非選択電位から前記第１非選択電位に切替える、請求項１５または１６に記載のプラズマディスプレイ装置。
【請求項２０】
前記駆動装置は、前記書込み休止期間の前半に前記一の走査電極グループの前記走査電極に与える電位が前記第１非選択電位に切替えられたことによる前記維持電極の電位変動が、前記書込み休止期間の期間内に実質的に終了するよう、前記書込み休止期間の前記所定時間が予め定められている、請求項５に記載のプラズマディスプレイ装置。
【請求項２１】
前記駆動装置は、各サブフィールド期間において、前記初期化期間に、前記走査電極に対し、上昇後に下降する第１のランプ電位と、前記第１のランプ電位の最高電位よりも低い電位から下降する第２のランプ電位とのうちのいずれかを与えるようにし、
前記第２非選択電位は、前記第１のランプ電位の最高電位より低い、請求項１５または１６に記載のプラズマディスプレイ装置。
【請求項２２】
前記走査電極グループのグループ数が２つである、請求項１５または１６に記載のプラズマディスプレイ装置。
【請求項２３】
各々の前記書込みサブ期間に割り当てられる前記走査電極グループが、１フィールドごとに異なる、請求項１５または１６に記載のプラズマディスプレイ装置。
【請求項２４】
各々の前記書込みサブ期間に割り当てられる前記走査電極グループが、１サブフィールドごとに異なる、請求項１５または１６に記載のプラズマディスプレイ装置。
【請求項２５】
各々の前記書込みサブ期間に割り当てられる前記走査電極グループが、１フィールドごとに異なり、かつ、１サブフィールドごとに異なる、請求項１５または１６に記載のプラズマディスプレイ装置。
【請求項２６】
前記放電セルに、分圧比が７％以上のキセノンガスを含む放電ガスが充填されている、請求項１５または１６に記載のプラズマディスプレイ装置。
【請求項２７】
各々の前記データ電極が全ての前記走査電極と交差するように配設され、前記駆動装置は前記書込み期間において前記走査電極を１本ずつ選択する、請求項１５または１６に記載のプラズマディスプレイ装置。
【請求項２８】
各々の前記放電セルの占有面積が、２．６９６×１０-4ｃｍ2以上、４．４３２×１０-3ｃｍ2以下である、請求項１５または１６に記載のプラズマディスプレイ装置。
【手続補正２】
【補正対象書類名】明細書
【補正対象項目名】全文
【補正方法】変更
【補正の内容】
【発明の詳細な説明】
【技術分野】
【０００１】
本発明は、交流型のプラズマディスプレイパネルの駆動方法及びプラズマディスプレイ装置に関する。
【背景技術】
【０００２】
プラズマディスプレイパネル（以下、「ＰＤＰ」という）として代表的な交流面放電型パネルでは、対向配置された２つの基板の前面板と背面板との間に多数の放電セルが形成されている。前面板では、対をなして互いに平行な走査電極と維持電極とからなる表示電極対が前面ガラス基板上に複数対形成され、それら表示電極を覆うように誘電体層および保護層（例えばＭｇＯ薄膜）が形成されている。背面板では、背面ガラス基板上に複数のデータ電極が互いに平行に形成され、その上にデータ電極を覆うように誘電体層が形成され、さらにその上にデータ電極と平行に複数の隔壁がそれぞれ形成され、誘電体層の表面と隔壁の側面とに蛍光体層が形成されている。そして、表示電極とデータ電極とが立体交差するように前面板と背面板とが対向配置されて密封され、内部の放電空間には放電ガスが封入されている。ここで各放電セルが、１つの表示電極対と１つのデータ電極とを備え、それらの間の放電空間を含んで構成される。
【０００３】
このようなＰＤＰを備えたプラズマディスプレイ装置には、ＰＤＰの各電極にそれぞれ駆動電位信号を与えるための駆動回路、具体的には、走査電極に駆動電位信号を与える走査電極駆動回路、維持電極に駆動電位信号を与える維持電極駆動回路、データ電極に駆動電位信号を与えるデータ電極駆動回路が備えられている。
【０００４】
プラズマディスプレイ装置では、通常１秒間当りに５０から１００枚程度の画像が表示されており、その画像の１つ１つはフィールドと呼ばれる。ＰＤＰの駆動方法においては、そのフィールドを更に複数のサブフィールドに分割した上で、発光させるサブフィールドの組み合わせによって階調表示を行う方法が一般的である（サブフィールド法）。
【０００５】
図９はサブフィールド法を用いた従来のＰＤＰの駆動方法による各電極に与える駆動電位信号の波形図である。ここで用いられるＰＤＰは、例えば図２に示されるように、行方向にｎ本の走査電極ＳＣＮ１〜ＳＣＮｎおよびｎ本の維持電極ＳＵＳ１〜ＳＵＳｎが交互に配列され、列方向にｍ本のデータ電極Ｄ１〜Ｄｍが配列されている。
【０００６】
１フィールド期間は、それぞれ初期化期間、書込み期間および維持期間を有する第１〜第ｘのｘ個のサブフィールドで構成されているものとし、それぞれ第１ＳＦ、第２ＳＦ、・・・、第ｘＳＦと略記する。また、初期化期間においては、画像表示を行うすべての放電セルに対して初期化放電を行わせる全セル初期化動作と、直前のサブフィールドの維持期間中に点灯した放電セルに対してのみ選択的に初期化放電を行わせる選択初期化動作とのうちのいずれかの動作を行うようにしている。例えば、表示すべき画像データの平均輝度レベル（ＡＰＬ）に基づいて、各々のサブフィールドの初期化期間において全セル初期化動作か選択初期化動作のいずれの動作を行うかを決定する（例えば、特許文献１参照）。
【０００７】
まず、初期化期間に全セル初期化動作を行うサブフィールドにおける動作を説明する。
【０００８】
例えば第１ＳＦの初期化期間では、全セル初期化動作を行う。この初期化期間の前半部では、走査電極ＳＣＮ１〜ＳＣＮｎに緩やかに上昇するランプ電位を与えることにより、走査電極ＳＣＮ１〜ＳＣＮｎを陽極とし維持電極ＳＵＳ１〜ＳＵＳｎおよびデータ電極Ｄ１〜Ｄｍを陰極とする微弱な初期化放電を起こし、書込み動作に必要な壁電荷を各電極上に形成する。このとき後で壁電荷の最適化を図ることを見越して過剰に壁電荷を形成しておく。そして、初期化期間の後半部では、走査電極ＳＣＮ１〜ＳＣＮｎに緩やかに下降するランプ電位を与えることにより走査電極ＳＣＮ１〜ＳＣＮｎを陰極とし維持電極ＳＵＳ１〜ＳＵＳｎおよびデータ電極Ｄ１〜Ｄｍを陽極とする微弱な２回目の初期化放電を起こし、各電極上に過剰に蓄えられた壁電荷を減らし、各々の放電セルに対して適切な量の壁電荷に調整する。
【０００９】
次に、第１ＳＦの書込み期間では、後に続く維持期間において点灯させるべき放電セルにおいて書込み放電を起こす。書込み期間では、まず、１行目の走査電極ＳＣＮ１に走査パルス電位Ｖｂ（Ｖ）を与えるとともに、データ電極Ｄ１〜Ｄｍのうち、１行目に点灯させるべき放電セルのデータ電極Ｄｋに正の書込みパルス電位Ｖｗ（Ｖ）を与えることにより、１行目に点灯させるべき放電セルで書込み放電を起こして各電極上に壁電荷を蓄積する書込み動作が行われる。このような書込み動作をｎ行目の放電セルに至るまで順次行い、書込み期間が終了する。このように、書込み期間では、走査電極に順次走査パルスを与えるとともに、データ電極には表示すべき画像信号に対応した書込みパルス電位を与えることにより、走査電極とデータ電極との間で選択的に書込み放電を起こし、選択的に壁電荷形成を行う。
【００１０】
次に、第１ＳＦの維持期間では、走査電極ＳＣＮ１〜ＳＣＮｎおよび維持電極ＳＵＳ１〜ＳＵＳｎに交互に維持パルス電位Ｖｍ（Ｖ）を与えることにより、書込み放電を起こした放電セルにおいて維持放電を起こし、対応する放電セルの蛍光体層を発光させることにより画像表示を行う。
【００１１】
次に、初期化期間に選択初期化動作を行うサブフィールドにおける動作を説明する。
【００１２】
例えば第２ＳＦの初期化期間では、選択初期化動作を行う。この初期化期間では、維持電極ＳＵＳ１〜ＳＵＳｎをＶｈ（Ｖ）に保持し、データ電極Ｄ１〜Ｄｍを０（Ｖ）に保持し、走査電極ＳＣＮ１〜ＳＣＮｎにＶｑ（Ｖ）からＶａ（Ｖ）に向かって緩やかに下降するランプ電位を与える。これにより、直前のサブフィールドの維持期間で維持放電を行った放電セルにおいて微弱な初期化放電が発生し、走査電極ＳＣＮｉ、維持電極ＳＵＳｉ及びデータ電極Ｄｋ上の過剰な壁電荷が減らされ、書込み動作に適した壁電荷量に調整される。一方、直前のサブフィールドで書込み放電および維持放電が行われなかった放電セルについては放電は発生しない。
【００１３】
この後に続く書込み期間および維持期間については、初期化期間に全セル初期化動作を行うサブフィールド（例えば第１ＳＦ）の書込み期間および維持期間と同様であるため説明を省略する。
【００１４】
次に、以上のような一連の期間によるＰＤＰの駆動における問題点について図１０、図１１、図１２を用いて説明する。
【００１５】
図１０に、あるサブフィールドの書込み期間を示す。また、図１１（ａ）、（ｂ）にそれぞれ図１０の時刻ｔ１、ｔ２でのセル内の壁電荷の状態を模式的に示す。図１０の時刻ｔ１での放電セル内の壁電荷の分布は、図１１（ａ）に示すように、初期化期間終了直後のため、走査電極ＳＣＮ（ＳＣＮ１〜ＳＣＮｎ）側に負の壁電荷が、維持電極ＳＵＳ（ＳＵＳ１〜ＳＵＳｎ）側とデータ電極ＤＡＴＡ（Ｄ１〜Ｄｍ）側に正の壁電荷がそれぞれ十分に蓄積された状態となる。それに対して、図１０の時刻ｔ２での放電セル内の各電極の壁電荷の分布は、図１１（ｂ）に示すように、図１１（ａ）の場合に比べて減少した状態となる。これは、初期化放電や維持放電によって放電セル空間中に浮遊していたプライミング粒子や、維持放電によって活性化して保護層のＭｇＯから放出される電子等が、書込み待機中の放電セル内の電界によって加速され、初期化放電によって蓄積された壁電荷が徐々に中和されるためである。
【００１６】
図１１（ａ）の状態で書込み動作が行われると、十分な壁電荷およびプライミング粒子のため、放電遅れが小さくなり良好な書込み放電が可能となる。一方、図１１（ｂ）の状態で書込み動作が行われると、壁電荷およびプライミング粒子とも不十分であるため、放電遅れが大きくなり書込みミスが多発し、良好な画質を得ることができなくなる。このような現象を抑えるために、走査パルス電圧Ｖｓｃｎの電圧を高くすることにより、書込み待機時の放電セル内の電界を弱め、壁電荷の中和を抑制する手法がとられている。図１２は書込み待機時間に対して良好な書込み放電を行うために必要である走査パルス電圧Ｖｓｃｎの一例を示した図である(駆動方法やＰＤＰによって異なる)。ここでいう書込み待機時間とは、（走査電極数ｎ）×（１本の走査電極に対する走査パルスの付与時間）＋（各走査パルス間の時間の合計）で示されるものである。走査パルス電圧Ｖｓｃｎは、走査電極駆動回路に使用されるドライバ回路の耐圧によってその上限が決まるため、図１２に示すような駆動可能範囲が存在する。近年のフルスペックハイビジョン対応やスーパーハイビジョン（２ｋ４ｋ）等の高解像度化によって、書込み待機時間が急増しており、この駆動可能範囲内での駆動が困難となってきている。
【００１７】
このような問題に対して、書込み期間を前半と後半の期間に分け、前半の書込み期間中に、後半の書込み期間に選択される走査電極に対して、壁電荷の中和を抑制するための所定の電位を与えることにより、上記の電荷中和現象を軽減するＰＤＰの駆動方法が開示されている（例えば、特許文献２、３参照）。
【特許文献１】特開２００５−３２６６１１号公報
【特許文献２】特許第３５１１４９５号公報
【特許文献３】特開２００５−３１６４８０号公報
【発明の開示】
【発明が解決しようとする課題】
【００１８】
上記のように、書込み期間を前半と後半の期間に分け、前半の書込み期間中に、後半の書込み期間に選択される走査電極に対して、壁電荷の中和を抑制するための所定の電位を与えることにより、書込みミスをある程度低減することが可能になる。しかしながらこの方法でも書込みミスを完全に無くすことは困難であり、さらに書込みミスを低減するために改善の余地がある。なお、書込みミスとは、書込み放電が行われるべき放電セルに対し、十分な書込み放電が発生しなかったり、全く書込み放電が発生しないことにより、維持期間において維持放電が行われない（不灯になる）現象のことである。
【００１９】
また、例えばＰＤＰの上端から下端にかけて配列された走査電極をその配列順に選択して書込み動作を行うものとし、前半の書込み期間に選択されるＰＤＰの上半分の走査電極からなる電極グループと、後半の書込み期間に選択されるＰＤＰの下半分の走査電極からなる電極グループとにグループ分けして各電極グループを駆動する場合には、各電極グループ間の回路インピーダンスの違いや、各電極グループ間での負荷の違い等によって、電極グループ間の境界付近の画面上に輝度差が発生する。例えば電極グループ間の境界付近の画像が低階調表示画像の場合には、電極グループ間の境界付近の画面上に発生する輝度差が、明線／暗線となって現れ、画質が著しく劣化してしまうという問題が発生する。
【００２０】
本発明は上記のような課題を解決するためになされたもので、書込みミスをより低減し、良好な画質を得ることができるプラズマディスプレイパネルの駆動方法及びプラズマディスプレイ装置を提供することを目的としている。
【課題を解決するための手段】
【００２１】
上記目的を達成するために、本発明に係るプラズマディスプレイパネルの駆動方法は、対をなす走査電極及び維持電極からなる複数の表示電極対と複数のデータ電極とが間隙を有して交差するように配設され、前記間隙を形成する前記表示電極対及び前記データ電極とを有し前記間隙に放電空間が形成された複数の放電セルを有したプラズマディスプレイパネルの駆動方法であって、前記複数の表示電極対に含まれる複数の前記走査電極が複数の走査電極グループからなり、前記走査電極グループが少なくとも１の前記走査電極からなる複数の走査電極サブグループを有し、異なる走査電極グループに含まれる前記走査電極サブグループが隣接して存在するとともに同一走査電極グループに含まれる前記走査電極サブグループが互いに隣接して存在しないように、前記複数の走査電極を複数の前記走査電極グループにグループ分けし、１フィールド期間を、前記放電セル内部を書込み放電が可能な帯電状態にする初期化期間と、点灯させる前記放電セルに前記書込み放電を生じさせる書込み期間と、前記書込み放電を生じさせた前記放電セルを点灯させる維持期間とを有する複数のサブフィールドに分割し、各サブフィールドの前記書込み期間を、それぞれ異なる１つの前記走査電極グループを割り当てるように複数の書込みサブ期間に分割し、前記書込みサブ期間に、前記書込みサブ期間に割り当てられた走査電極グループの前記走査電極を有する前記放電セルのうち前記点灯させるべき放電セルに前記書込み放電を生じさせるために、前記書込みサブ期間に割り当てられた走査電極グループの前記走査電極に対し選択と非選択とに応じて選択電位と第１非選択電位とを与えるようにして前記走査電極を順次選択し、各々の前記走査電極の選択と同期して選択すべき前記データ電極に書込み電位を与え、前記複数の書込みサブ期間のうち最後の前記書込みサブ期間を除く一の前記書込みサブ期間において前記走査電極に対して前記選択電位を与える時間を、前記最後の書込みサブ期間において前記走査電極に対して前記選択電位を与える時間よりも短くし、一の前記走査電極グループを割り当てた書込みサブ期間より前のいずれかの前記書込みサブ期間において、前記一の走査電極グループの前記走査電極に対し前記第１非選択電位より高い第２非選択電位を与えるようにしている。
【００２２】
この駆動方法によれば、初期化期間の後に続く書込み期間を複数の書込みサブ期間に分割し、ある走査電極グループ（走査電極グループαとする）を割り当てた書込みサブ期間より前のいずれかの書込みサブ期間において、その走査電極グループαの走査電極に対し、第１非選択電位より高い第２非選択電位を与えることにより、走査電極グループαに対応する放電セルにおいて、従来問題になっていた壁電荷の中和を抑制することができる。さらに、ある書込みサブ期間（書込みサブ期間Ｔｘとする）において走査電極に対して選択電位を与える時間を、最後の書込みサブ期間において走査電極に対して選択電位を与える時間よりも短くすることにより、書込みサブ期間Ｔｘを短縮し、書込みサブ期間Ｔｘより後の書込みサブ期間を初期化期間終了時に近づけることができ、書込みサブ期間Ｔｘより後の書込みサブ期間において書込み放電の対象となりうる放電セルの書込み待機中における壁電荷及びプライミング粒子の減少を抑えることが可能になる。以上のことから、初期化期間終了時における書込み放電が可能な帯電状態の維持をより良好に行うことができ、書込み待機時間の増加による書込みミスをより低減することが可能になる。また、それぞれの走査電極グループが、少なくとも１の走査電極からなる複数の走査電極サブグループを有し、異なる走査電極グループに含まれる走査電極サブグループが隣接して存在するとともに同一走査電極グループに含まれる走査電極サブグループが互いに隣接して存在しないようにグループ分けされていることにより、各々の走査電極グループに属する走査電極がＰＤＰのパネル面（画面）全体に略均一に存在するため、各走査電極グループ間の回路インピーダンスの違いや、各走査電極グループ間での負荷の違い等によって発生する画面上の輝度差が目立たなくなり、明線／暗線の発生も防止でき、良好な画質を得ることができる。
【００２３】
また、前記書込みサブ期間に割り当てられた走査電極グループと対をなす前記維持電極に第１待機電位を与え、前記一の走査電極グループを割り当てた書込みサブ期間より前のいずれかの前記書込みサブ期間において、前記一の走査電極グループの前記走査電極と対をなす前記維持電極に対し、前記第１待機電位より低い第２待機電位を与えるようにしてもよい。
【００２４】
この方法によれば、ある走査電極グループ（走査電極グループαとする）を割り当てた書込みサブ期間より前のいずれかの書込みサブ期間において、その走査電極グループαの走査電極に対し、第１非選択電位より高い第２非選択電位を与えるだけでなく、さらに走査電極グループαの走査電極と対をなす維持電極に対し、第１待機電位より低い第２待機電位を与えることにより、走査電極グループαに対応する放電セルにおいて、従来問題になっていた壁電荷の中和をより抑制することができる。
【００２５】
また、前記第２待機電位は、前記選択電位より高いようにすればよい。
【００２６】
また、前記第２待機電位は、接地電位であるようにしてもよい。
【００２７】
また、前記一の走査電極グループを割り当てた書込みサブ期間の直前の書込みサブ期間に前記一の走査電極グループの前記走査電極に前記第２非選択電位を与え、前記一の走査電極グループを割り当てた書込みサブ期間の直前の書込みサブ期間と、前記一の走査電極グループを割り当てた書込みサブ期間との間に、予め定められた所定時間からなり、全ての前記走査電極に対して前記選択電位を与えない書込み休止期間を設け、前記書込み休止期間の前半に、前記一の走査電極グループの前記走査電極に与える電位を、前記第２非選択電位から前記第１非選択電位に切替えるようにしてもよい。
【００２８】
この方法によれば、ある走査電極グループ（走査電極グループαとする）を割り当てた書込みサブ期間（書込みサブ期間Ｔｙとする）の直前の書込みサブ期間において、その走査電極グループαの走査電極に第２非選択電位を与えると、次の書込みサブ期間Ｔｙには、走査電極グループαの走査電極に一旦、第１非選択電位を与える。この第２非選択電位から第１非選択電位に切り替えるときに、走査電極と容量結合されている維持電極の電位が変動し、またそれによって走査電極の電位も変動する。このようなときに書込み放電を行う場合には、書込みミスが生じやすくなる。そこで、書込み休止期間を設け、その期間の前半に走査電極グループαの走査電極に与える電位を第２非選択電位から第１非選択電位に切り替えることにより、維持電極の電位変動が終了あるいは実質的に終了してから、次の書込みサブ期間Ｔｙを開始することができ、前述の書込みミスを防止することができる。
【００２９】
また、前記書込み休止期間の前半に前記一の走査電極グループの前記走査電極に与える電位が前記第１非選択電位に切替えられたことによる前記維持電極の電位変動が、前記書込み休止期間の期間内に実質的に終了するよう、前記書込み休止期間の前記所定時間が予め定められていることが好ましい。
【００３０】
また、各サブフィールド期間において、前記初期化期間に、前記走査電極に対し、上昇後に下降する第１のランプ電位と、前記第１のランプ電位の最高電位よりも低い電位から下降する第２のランプ電位とのうちのいずれかを与えるようにし、前記第２非選択電位は、前記第１のランプ電位の最高電位より低いようにすればよい。
【００３１】
また、前記走査電極グループのグループ数が２つであるようにしてもよい。
【００３２】
走査電極グループのグループ数の増加は、走査電極を駆動する回路の複雑化及び制御の複雑化を招くことになり、このようなデメリットを考慮すれば走査電極グループのグループ数を２つにするのが好ましい。
【００３３】
また、各々の前記書込みサブ期間に割り当てられる前記走査電極グループが、１フィールドごとに異なるようにしてもよい。
【００３４】
この方法によれば、書込み待機時間の増加による書込みミスがたとえ発生したとしても、それによって不灯になる放電セルの位置が１フィールド毎に異なるため、放電セルの不灯による画質劣化が肉眼では認識できず、目立たなくなる。
【００３５】
また、各々の前記書込みサブ期間に割り当てられる前記走査電極グループが、１サブフィールドごとに異なるようにしてもよい。
【００３６】
この方法によれば、書込み待機時間の増加による書込みミスがたとえ発生したとしても、それによって不灯になる放電セルの位置が１サブフィールド毎に異なるため、放電セルの不灯による画質劣化が肉眼では認識できず、目立たなくなる。
【００３７】
また、各々の前記書込みサブ期間に割り当てられる前記走査電極グループが、１フィールドごとに異なり、かつ、１サブフィールドごとに異なるようにしてもよい。
【００３８】
この方法によれば、書込み待機時間の増加による書込みミスがたとえ発生したとしても、それによって不灯になる放電セルの位置が１フィールド毎及び１サブフィールド毎に異なるため、放電セルの不灯による画質劣化が肉眼では認識できず、目立たなくなる。
【００３９】
また、前記放電セルに、分圧比が７％以上のキセノンガスを含む放電ガスが充填されているようにしてもよい。
【００４０】
放電セル内のキセノンガスの分圧比が７％以上の高い分圧比において書込み待機時間の増加による書込みミスが多発していたので、この場合に書込みミスをより効果的に低減することができる。
【００４１】
また、各々の前記データ電極が全ての前記走査電極と交差するように配設され、前記書込み期間において前記走査電極を１本ずつ選択するようにしてもよい。
【００４２】
これはシングルスキャン方式を用いた方法であり、このシングルスキャン方式では、ダブルスキャン方式よりも書込み待機時間が増加するため、この場合に書込みミスをより効果的に低減することができる。
【００４３】
また、各々の前記放電セルの占有面積が、２．６９６×１０-4ｃｍ2以上、４．４３２×１０-3ｃｍ2以下であってもよい。
【００４４】
プラズマディスプレイパネルの解像度が例えば１００万画素（ＨＤ）以上のように高くなると、上記のように放電セルの面積が小さくなり、書込み待機時間の増加に伴う書込みミスが発生しやすくなるため、この場合に書込みミスをより効果的に低減することができる。
【００４５】
また、本発明に係るプラズマディスプレイ装置は、対をなす走査電極及び維持電極からなる複数の表示電極対と複数のデータ電極とが間隙を有して交差するように配設され、前記間隙を形成する前記表示電極対及び前記データ電極とを有し前記間隙に放電空間が形成された複数の放電セルを有したプラズマディスプレイパネルと、前記プラズマディスプレイパネルを駆動する駆動装置とを備え、前記駆動装置は、前記複数の表示電極対に含まれる複数の前記走査電極が複数の走査電極グループからなり、前記走査電極グループが少なくとも１の前記走査電極からなる複数の走査電極サブグループを有し、異なる走査電極グループに含まれる前記走査電極サブグループが隣接して存在するとともに同一走査電極グループに含まれる前記走査電極サブグループが互いに隣接して存在しないように、前記複数の走査電極を複数の前記走査電極グループにグループ分けし、１フィールド期間を、前記放電セル内部を書込み放電が可能な帯電状態にする初期化期間と、点灯させる前記放電セルに前記書込み放電を生じさせる書込み期間と、前記書込み放電を生じさせた前記放電セルを点灯させる維持期間とを有する複数のサブフィールドに分割し、各サブフィールドの前記書込み期間を、それぞれ異なる１つの前記走査電極グループを割り当てるように複数の書込みサブ期間に分割し、前記書込みサブ期間に、前記書込みサブ期間に割り当てられた走査電極グループの前記走査電極を有する前記放電セルのうち前記点灯させるべき放電セルに前記書込み放電を生じさせるために、前記書込みサブ期間に割り当てられた走査電極グループの前記走査電極に対し選択と非選択とに応じて選択電位と第１非選択電位とを与えるようにして前記走査電極を順次選択し、各々の前記走査電極の選択と同期して選択すべき前記データ電極に書込み電位を与え、前記複数の書込みサブ期間のうち最後の前記書込みサブ期間を除く一の前記書込みサブ期間において前記走査電極に対して前記選択電位を与える時間を、前記最後の書込みサブ期間において前記走査電極に対して前記選択電位を与える時間よりも短くし、一の前記走査電極グループを割り当てた書込みサブ期間より前のいずれかの前記書込みサブ期間において、前記一の走査電極グループの前記走査電極に対し前記第１非選択電位より高い第２非選択電位を与えるように構成されている。
【００４６】
この構成によれば、初期化期間の後に続く書込み期間を複数の書込みサブ期間に分割し、ある走査電極グループ（走査電極グループαとする）を割り当てた書込みサブ期間より前のいずれかの書込みサブ期間において、その走査電極グループαの走査電極に対し、第１非選択電位より高い第２非選択電位を与えることにより、走査電極グループαに対応する放電セルにおいて、従来問題になっていた壁電荷の中和を抑制することができる。さらに、ある書込みサブ期間（書込みサブ期間Ｔｘとする）において走査電極に対して選択電位を与える時間を、最後の書込みサブ期間において走査電極に対して選択電位を与える時間よりも短くすることにより、書込みサブ期間Ｔｘを短縮し、書込みサブ期間Ｔｘより後の書込みサブ期間を初期化期間終了時に近づけることができ、書込みサブ期間Ｔｘより後の書込みサブ期間において書込み放電の対象となりうる放電セルの書込み待機中における壁電荷及びプライミング粒子の減少を抑えることが可能になる。以上のことから、初期化期間終了時における書込み放電が可能な帯電状態の維持をより良好に行うことができ、書込み待機時間の増加による書込みミスをより低減することが可能になる。また、それぞれの走査電極グループが、少なくとも１の走査電極からなる複数の走査電極サブグループを有し、異なる走査電極グループに含まれる走査電極サブグループが隣接して存在するとともに同一走査電極グループに含まれる走査電極サブグループが互いに隣接して存在しないようにグループ分けされていることにより、各々の走査電極グループに属する走査電極がＰＤＰのパネル面（画面）全体に略均一に存在するため、各走査電極グループ間の回路インピーダンスの違いや、各走査電極グループ間での負荷の違い等によって発生する画面上の輝度差が目立たなくなり、明線／暗線の発生も防止でき、良好な画質を得ることができる。
【００４７】
また、前記駆動装置は、前記書込みサブ期間に割り当てられた走査電極グループと対をなす前記維持電極に第１待機電位を与え、前記一の走査電極グループを割り当てた書込みサブ期間より前のいずれかの前記書込みサブ期間において、前記一の走査電極グループの前記走査電極と対をなす前記維持電極に対し、前記第１待機電位より低い第２待機電位を与えるように構成されていてもよい。
【００４８】
この構成によれば、ある走査電極グループ（走査電極グループαとする）を割り当てた書込みサブ期間より前のいずれかの書込みサブ期間において、その走査電極グループαの走査電極に対し、第１非選択電位より高い第２非選択電位を与えるだけでなく、さらに走査電極グループαの走査電極と対をなす維持電極に対し、第１待機電位より低い第２待機電位を与えることにより、走査電極グループαに対応する放電セルにおいて、従来問題になっていた壁電荷の中和をより抑制することができる。
【００４９】
また、前記第２待機電位は、前記選択電位より高いようにすればよい。
【００５０】
また、前記第２待機電位は、接地電位であるようにしてもよい。
【００５１】
また、前記駆動装置は、前記一の走査電極グループを割り当てた書込みサブ期間の直前の書込みサブ期間に前記一の走査電極グループの前記走査電極に前記第２非選択電位を与え、前記一の走査電極グループを割り当てた書込みサブ期間の直前の書込みサブ期間と、前記一の走査電極グループを割り当てた書込みサブ期間との間に、予め定められた所定時間からなり、全ての前記走査電極に対して前記選択電位を与えない書込み休止期間を設け、前記書込み休止期間の前半に、前記一の走査電極グループの前記走査電極に与える電位を、前記第２非選択電位から前記第１非選択電位に切替えるように構成されていてもよい。
【００５２】
この構成によれば、ある走査電極グループ（走査電極グループαとする）を割り当てた書込みサブ期間（書込みサブ期間Ｔｙとする）の直前の書込みサブ期間において、その走査電極グループαの走査電極に第２非選択電位を与えると、次の書込みサブ期間Ｔｙには、走査電極グループαの走査電極に一旦、第１非選択電位を与える。この第２非選択電位から第１非選択電位に切り替えるときに、走査電極と容量結合されている維持電極の電位が変動し、またそれによって走査電極の電位も変動する。このようなときに書込み放電を行う場合には、書込みミスが生じやすくなる。そこで、書込み休止期間を設け、その期間の前半に走査電極グループαの走査電極に与える電位を第２非選択電位から第１非選択電位に切り替えることにより、維持電極の電位変動が終了あるいは実質的に終了してから、次の書込みサブ期間Ｔｙを開始することができ、前述の書込みミスを防止することができる。
【００５３】
また、前記駆動装置は、前記書込み休止期間の前半に前記一の走査電極グループの前記走査電極に与える電位が前記第１非選択電位に切替えられたことによる前記維持電極の電位変動が、前記書込み休止期間の期間内に実質的に終了するよう、前記書込み休止期間の前記所定時間が予め定められていることが好ましい。
【００５４】
また、前記駆動装置は、各サブフィールド期間において、前記初期化期間に、前記走査電極に対し、上昇後に下降する第１のランプ電位と、前記第１のランプ電位の最高電位よりも低い電位から下降する第２のランプ電位とのうちのいずれかを与えるようにし、前記第２非選択電位は、前記第１のランプ電位の最高電位より低いようにすればよい。
【００５５】
また、前記走査電極グループのグループ数が２つであるようにしてもよい。
【００５６】
走査電極グループのグループ数の増加は、走査電極を駆動する回路の複雑化及び制御の複雑化を招くことになり、このようなデメリットを考慮すれば走査電極グループのグループ数を２つにするのが好ましい。
【００５７】
また、各々の前記書込みサブ期間に割り当てられる前記走査電極グループが、１フィールドごとに異なるようにしてもよい。
【００５８】
この構成によれば、書込み待機時間の増加による書込みミスがたとえ発生したとしても、それによって不灯になる放電セルの位置が１フィールド毎に異なるため、放電セルの不灯による画質劣化が肉眼では認識できず、目立たなくなる。
【００５９】
また、各々の前記書込みサブ期間に割り当てられる前記走査電極グループが、１サブフィールドごとに異なるようにしてもよい。
【００６０】
この構成によれば、書込み待機時間の増加による書込みミスがたとえ発生したとしても、それによって不灯になる放電セルの位置が１サブフィールド毎に異なるため、放電セルの不灯による画質劣化が肉眼では認識できず、目立たなくなる。
【００６１】
また、各々の前記書込みサブ期間に割り当てられる前記走査電極グループが、１フィールドごとに異なり、かつ、１サブフィールドごとに異なるようにしてもよい。
【００６２】
この構成によれば、書込み待機時間の増加による書込みミスがたとえ発生したとしても、それによって不灯になる放電セルの位置が１フィールド毎及び１サブフィールド毎に異なるため、放電セルの不灯による画質劣化が肉眼では認識できず、目立たなくなる。
【００６３】
また、前記放電セルに、分圧比が７％以上のキセノンガスを含む放電ガスが充填されているようにしてもよい。
【００６４】
放電セル内のキセノンガスの分圧比が７％以上の高い分圧比において書込み待機時間の増加による書込みミスが多発していたので、この場合に書込みミスをより効果的に低減することができる。
【００６５】
また、各々の前記データ電極が全ての前記走査電極と交差するように配設され、前記駆動装置は前記書込み期間において前記走査電極を１本ずつ選択するようにしてもよい。
【００６６】
これはシングルスキャン方式を用いた構成であり、このシングルスキャン方式では、ダブルスキャン方式よりも書込み待機時間が増加するため、この場合に書込みミスをより効果的に低減することができる。
【００６７】
また、各々の前記放電セルの占有面積が、２．６９６×１０-4ｃｍ2以上、４．４３２×１０-3ｃｍ2以下であってもよい。
【００６８】
プラズマディスプレイパネルの解像度が例えば１００万画素（ＨＤ）以上のように高くなると、上記のように放電セルの面積が小さくなり、書込み待機時間の増加に伴う書込みミスが発生しやすくなるため、この場合に書込みミスをより効果的に低減することができる。
【発明の効果】
【００６９】
本発明は、以上に説明した構成を有し、書込みミスをより低減し、良好な画質を得ることができるプラズマディスプレイパネルの駆動方法及びプラズマディスプレイ装置を提供することができるという効果を奏する。
【００７０】
本発明の上記目的、他の目的、特徴、及び利点は、添付図面参照の下、以下の好適な実施態様の詳細な説明から明らかにされる。
【発明を実施するための最良の形態】
【００７１】
以下、本発明の好ましい実施の形態を、図面を参照しながら説明する。
（第１の実施形態）
図１は本発明の第１の実施形態に係るプラズマディスプレイ装置に用いるプラズマディスプレイパネルの要部を示す斜視図である。
【００７２】
このプラズマディスプレイパネル１（以下、「ＰＤＰ１」という）は、ガラス製の前面基板２と背面基板３とを互いに主面を対向配置して、その間に放電空間を形成するように構成されている。前面基板２の主面には、表示電極対を構成する走査電極４と維持電極５とが互いに平行に対をなして複数形成されている。そして、走査電極４および維持電極５を覆うように誘電体層６が形成され、さらに誘電体層６を覆う保護層７が形成されている。保護層７としては安定した放電を発生させるために二次電子放出係数が大きくかつ耐スパッタ性の高い材料が望ましく、例えば、ＭｇＯ薄膜が用いられている。また、背面基板３の主面には、複数のデータ電極９が形成され、その上にデータ電極９を覆う絶縁体層８が形成され、データ電極９の間の絶縁体層８上にデータ電極９と平行して隔壁１０が設けられている。また、絶縁体層８の表面および隔壁１０の側面に蛍光体層１１が設けられている。そして、走査電極４および維持電極５とデータ電極９とが交差するように前面基板２と背面基板３とが対向配置されており、その間に形成される放電空間には、放電ガスとして、例えば、ヘリウム、ネオン、キセノンまたはこれらの混合ガスが封入されている。
【００７３】
図２は図１のＰＤＰ１の電極配列図である。行方向にｎ本の走査電極ＳＣＮ１〜ＳＣＮｎ（図１の走査電極４）およびｎ本の維持電極ＳＵＳ１〜ＳＵＳｎ（図１の維持電極５）が交互に配列され、列方向にｍ本のデータ電極Ｄ１〜Ｄｍ（図１のデータ電極９）が配列されている。そして、対をなす走査電極ＳＣＮｉおよび維持電極ＳＵＳｉ（ｉ＝１〜ｎ）と１つのデータ電極Ｄｊ（ｊ＝１〜ｍ）とが、放電空間を挟んで交差する領域およびその近傍領域が画像表示に寄与する１つの放電セル２１となる。したがって、各放電セル２１は、１対の表示電極対（走査電極ＳＣＮｉおよび維持電極ＳＵＳｉ）と１つのデータ電極とを備え、それらの間の放電空間を含んで構成される。このＰＤＰ１には、放電セル２１がｍ×ｎ個形成されている。
【００７４】
このような構成のＰＤＰ１において、各放電セル内でガス放電により紫外線を発生させ、この紫外線で蛍光体層１１の蛍光体を励起発光させる。蛍光体層１１を放電セルごとに、例えば、光の３原色である赤緑青（ＲＧＢ）に塗り分ければ、カラー表示を行うことができる。
【００７５】
図３は本発明の第１の実施形態に係るプラズマディスプレイ装置の構成を示すブロック図である。
【００７６】
本実施形態に係るプラズマディスプレイ装置は、ＰＤＰ１と、その駆動装置とを備えている。駆動装置は、データ電極駆動回路１２、走査電極駆動回路１３、維持電極駆動回路１４、タイミング発生回路１５、Ａ／Ｄ（アナログ・デジタル）変換器１６、走査数変換部１７、サブフィールド変換部１８及びＡＰＬ（アベレージ・ピクチャ・レベル）検出部１９を備えて構成されている。
【００７７】
図３において、水平同期信号Ｈおよび垂直同期信号Ｖはタイミング発生回路１５、ＡＤ変換器１６、走査数変換部１７及びサブフィールド変換部１８に入力される。
【００７８】
タイミング発生回路１５は、水平同期信号Ｈおよび垂直同期信号Ｖをもとにして各々の駆動回路１２，１３，１４のタイミング信号を発生し、各々のタイミング信号をデータ電極駆動回路１２、走査電極駆動回路１３および維持電極駆動回路１４に与える。データ電極駆動回路１２は、与えられるタイミング信号に基づいてデータ電極Ｄ１〜Ｄｍを駆動し、走査電極駆動回路１３は、与えられるタイミング信号に基づいて走査電極ＳＣＮ１〜ＳＣＮｎを駆動し、維持電極駆動回路１４は、与えられるタイミング信号に基づいて維持電極ＳＵＳ１〜ＳＵＳｎを駆動する。
【００７９】
また、アナログの画像信号ＶＤはＡ／Ｄ変換器１６に入力される。Ａ／Ｄ変換器１６は、アナログの画像信号ＶＤをデジタル信号の画像データに変換し、その画像データを走査数変換部１７およびＡＰＬ検出部１９に出力する。ＡＰＬ検出部１９は画像データの平均輝度レベル（ＡＰＬ）を検出し、タイミング発生回路１５へ出力する。走査数変換部１７は、画像データをＰＤＰ１の画素数に応じた画像データに変換し、サブフィールド変換部１８に出力する。サブフィールド変換部１８は、各画素の画像データを１フィールドを構成する複数のサブフィールドに対応する複数のビットに分割し、サブフィールド毎の画像データをデータ電極駆動回路１２に出力する。データ電極駆動回路１２は、サブフィールド毎の画像データを各データ電極Ｄ１〜Ｄｍに対応する信号に変換し、その信号に基づいて各々のサブフィールドの書込み期間において各データ電極Ｄ１〜Ｄｍを駆動する。
【００８０】
また、タイミング発生回路１５は、ＡＰＬ検出部１９から出力される平均輝度レベルに基づいて、１フィールドを構成する各々のサブフィールドの初期化期間において全セル初期化動作か選択初期化動作のいずれの動作を行うかを決定して、１フィールド内の全セル初期化動作の回数を制御する。このような構成は、公知であり（例えば、特開２００５−３２６６１１号公報等）、その詳細な説明は省略する。また、本実施形態では、全セル初期化動作を行うか、あるいは選択初期化動作を行うかの決定を画像データの平均輝度レベルに基づいて行うようにしているが、このような構成に限られるものではなく、例えば、ＡＰＬ検出部１９を設けずに、各々のサブフィールドの初期化期間について全セル初期化動作を行うか、あるいは選択初期化動作を行うかが予め定められてあってもよい。
【００８１】
図４は、本発明の第１の実施形態における走査電極及び維持電極とそれぞれの駆動回路との接続関係を示す図である。
【００８２】
走査電極ＳＣＮ１〜ＳＣＮｎは、ＰＤＰ１内部においては、ＰＤＰ１の上端から下端方向へ、ＳＣＮ１，ＳＣＮ２，・・・ＳＣＮｎの順に配列されており、それぞれ外部へ引き出されて走査電極駆動回路１３へ接続されている。同様に維持電極ＳＵＳ１〜ＳＵＳｎは、ＰＤＰ１内部においては、ＰＤＰ１の上端から下端方向へ、ＳＵＳ１，ＳＵＳ２，・・・ＳＵＳｎの順に配列されて、それぞれ外部へ引き出されて維持電極駆動回路１４へ接続されている。また、走査電極ＳＣＮ１〜ＳＣＮｎ及び維持電極ＳＵＳ１〜ＳＵＳｎと交差するように配列されたデータ電極Ｄ１〜Ｄｍは、それぞれ外部へ引き出されてデータ電極駆動回路１２（図３）へ接続されている。
【００８３】
走査電極駆動回路１３は、その内部に第１駆動回路１３Ａ及び第２駆動回路１３Ｂを有している。また、走査電極駆動回路１３内部において、走査電極ＳＣＮ１〜ＳＣＮｎは、奇数行の走査電極ＳＣＮａ（ａ＝１、３、・・・、ｎ−１）からなる走査電極グループ４Ａと、偶数行の走査電極ＳＣＮｂ（ｂ＝２、４、・・・、ｎ）からなる走査電極グループ４Ｂとにグループ分けされている。グループ４Ａの走査電極ＳＣＮａはそれらを駆動する第１駆動回路１３Ａに接続され、グループ４Ｂの走査電極ＳＣＮｂはそれらを駆動する第２駆動回路１３Ｂに接続されている。ここで、第１駆動回路１３Ａには、複数の出力端子Ｐ１、Ｐ２、・・・、Ｐｚ（ｚ＝ｎ／２）が設けられ、それぞれに奇数行の走査電極ＳＣＮａが配列順（但し奇数行のみに関する）に接続されている。同様に、第２駆動回路１３Ｂには、複数の出力端子Ｑ１、Ｑ２、・・・、Ｑｚが設けられ、それぞれに偶数行の走査電極ＳＣＮｂが配列順（但し偶数行のみに関する）に接続されている。また、走査電極駆動回路１３には、タイミング発生回路１５から与えられるタイミング信号に基づいて第１駆動回路１３Ａ及び第２駆動回路１３Ｂを制御する制御回路（図示せず）を有している。
【００８４】
維持電極駆動回路１４では、その内部において、全ての維持電極ＳＵＳ１〜ＳＵＳｎが共通接続されて、それらを駆動する駆動回路１４ａの出力端子Ｔに接続されている。また、維持電極駆動回路１４は、タイミング発生回路１５から与えられるタイミング信号に基づいて駆動回路１４ａを制御する制御回路（図示せず）を有している。
【００８５】
次に、本実施形態のＰＤＰの駆動方法について説明する。このＰＤＰの駆動方法は、本実施形態においては、プラズマディスプレイ装置の動作として遂行される。
【００８６】
本実施形態のＰＤＰの駆動方法も、従来例と同様、サブフィールド法による駆動方法であり、各サブフィールドはそれぞれ初期化期間、書込み期間および維持期間から構成されている。また、初期化期間においては、画像表示を行うすべての放電セルに対して初期化放電を行わせる全セル初期化動作と、直前のサブフィールドの維持期間中に点灯した放電セルに対してのみ選択的に初期化放電を行わせる選択初期化動作とのうちのいずれかの動作を行うことにより、各放電セルの内部が書込み期間における書込み放電が可能な帯電状態、すなわち書込み放電を行うのに適した壁電荷量になる。この初期化期間及び維持期間における駆動方法は、図９に示された従来例と同様であり、書込み期間における駆動方法が従来例とは異なる。なお、壁電荷は、電極を覆う誘電体層あるいは蛍光体層上に蓄積される。
【００８７】
図５は本実施形態のＰＤＰの駆動方法による各電極に与える駆動電位信号の波形図である。この図５では、奇数行の走査電極グループ４Ａのある１つの走査電極ＳＣＮａと、偶数行の走査電極グループ４Ｂのある１つの走査電極ＳＣＮｂと、維持電極ＳＵＳ１〜ＳＵＳｎと、データ電極Ｄ１〜Ｄｍとについて、ある１つのサブフィールド期間における駆動電位信号を示している。なお、初期化期間及び維持期間においては、走査電極駆動回路１３から全ての走査電極ＳＣＮ１〜ＳＣＮｎに共通の走査電極駆動電位信号が与えられるとともに、維持電極駆動回路１４から全ての維持電極ＳＵＳ１〜ＳＵＳｎに共通の維持電極駆動電位信号が与えられる。
【００８８】
図５に示された初期化期間では、全セル初期化動作を行う。この初期化期間の前半部では、維持電極ＳＵＳ１〜ＳＵＳｎおよびデータ電極Ｄ１〜Ｄｍを０（Ｖ）に保持し、走査電極ＳＣＮ１〜ＳＣＮｎに対して放電開始電圧以下となる電位Ｖｐ（Ｖ）から放電開始電圧を超える電位Ｖｒ（Ｖ）に向かって緩やかに上昇するランプ電位を与える。これにより、走査電極ＳＣＮ１〜ＳＣＮｎを陽極とし維持電極ＳＵＳ１〜ＳＵＳｎおよびデータ電極Ｄ１〜Ｄｍを陰極とする微弱な初期化放電が発生する。このようにして、全ての放電セルにおいて１回目の微弱な初期化放電を発生させ、走査電極ＳＣＮ１〜ＳＣＮｎ上に負の壁電荷を蓄えるとともに維持電極ＳＵＳ１〜ＳＵＳｎ上およびデータ電極Ｄ１〜Ｄｍ上に正の壁電荷を蓄える。この初期化期間の前半部の微弱放電は前のサブフィールドでの維持放電の有無にかかわらず、全ての放電セルにおいて発生するものである。
【００８９】
続いて初期化期間の後半部では、維持電極ＳＵＳ１〜ＳＵＳｎを正の電位Ｖｈ（Ｖ）に保ち、走査電極ＳＣＮ１〜ＳＣＮｎに電位Ｖｇ（Ｖ）から電位Ｖａ（Ｖ）に向かって緩やかに下降するランプ電位を与える。これにより、全ての放電セルにおいて、走査電極ＳＣＮ１〜ＳＣＮｎを陰極とし維持電極ＳＵＳ１〜ＳＵＳｎおよびデータ電極Ｄ１〜Ｄｍを陽極とする２回目の微弱な初期化放電が起きる。これにより、初期化期間の前半部において、走査電極ＳＣＮ１〜ＳＣＮｎ、維持電極ＳＵＳ１〜ＳＵＳｎ及びデータ電極Ｄ１〜Ｄｍ上に過剰に蓄えられた壁電荷が減らされ、次の書込み期間における書込み動作に適した壁電荷量に調整される。
【００９０】
このように、全セル初期化動作では、全ての放電セルで一斉に初期化放電を行い、それ以前の個々の放電セルに対する壁電荷の履歴を消去するとともに、書込み動作のために必要な壁電荷形成を行う。また、放電遅れを小さくし、書込み放電を安定して発生させるためのプライミング粒子（放電のための起爆剤＝励起粒子）を発生させる。
【００９１】
次に、書込み期間は、第１のサブ期間Ｔａと第２のサブ期間Ｔｂとで構成される。第１のサブ期間Ｔａは、奇数行の走査電極グループ４Ａに割り当てられた書込みサブ期間、すなわち走査電極グループ４Ａに対応する放電セルに対して書込み動作を行う期間である。また、第２のサブ期間Ｔｂは、偶数行の走査電極グループ４Ｂに割り当てられた書込みサブ期間、すなわち走査電極グループ４Ｂに対応する放電セルに対して書込み動作を行う期間である。各走査電極グループ４Ａ、４Ｂ内では、例えば、画面の上側（番号が小さい行）の走査電極に対応する放電セルから順番に画面の下側（番号が大きい行）の走査電極に対応する放電セルに対して書込み動作を行うようにする。
【００９２】
この書込み期間の間、全ての維持電極ＳＵＳ１〜ＳＵＳｎについては初期化期間から保持されている待機電位Ｖｈ（Ｖ）を維持する。この待機電位Ｖｈ（Ｖ）は、走査電極の第１非選択電位Ｖｓ（Ｖ）よりも高く、維持パルス電位Ｖｍ（Ｖ）よりも低い電位に設定される。
【００９３】
第１のサブ期間Ｔａでは、まず、走査電極ＳＣＮ１〜ＳＣＮｎを一旦、第１非選択電位Ｖｓ（Ｖ）に保持した後、走査電極グループ４Ｂの全ての走査電極ＳＣＮｂを第１非選択電位Ｖｓ（Ｖ）よりも高い第２非選択電位Ｖｘ（Ｖ）に保持する。その後、奇数行の走査電極グループ４Ａに対応する放電セルに対して書込み動作を行う。まず、走査電極グループ４Ａに対応する最初の行である１行目の放電セルに対して書込み動作を行う。この書込み動作では、１行目の走査電極ＳＣＮ１に選択電位である走査パルス電位Ｖｂ（Ｖ）を与えるとともに、データ電極Ｄ１〜Ｄｍのうち、１行目に点灯させるべき放電セルのデータ電極Ｄｋに正の書込みパルス電位Ｖｗ（Ｖ）を与える。このとき、データ電極Ｄｋと走査電極ＳＣＮ１との交差部の電圧は、外部印加電圧（Ｖｗ−Ｖｂ）に、データ電極Ｄｋ上の壁電荷により生じる電圧および走査電極ＳＣＮ１上の壁電荷により生じる電圧の大きさが加算されたものとなり、放電開始電圧を超える。そして、データ電極Ｄｋと走査電極ＳＣＮ１との間および維持電極ＳＵＳ１と走査電極ＳＣＮ１との間に書込み放電が起こり、この放電セルの走査電極ＳＣＮ１上に正の壁電荷が蓄積され、維持電極ＳＵＳ１上に負の壁電荷が蓄積され、データ電極Ｄｋ上にも負の壁電荷が蓄積される。このようにして、１行目に点灯させるべき放電セルで書込み放電を起こして各電極上に壁電荷を蓄積する書込み動作が行われる。一方、正の書込みパルス電位Ｖｗ（Ｖ）を与えなかったデータ電極と走査電極ＳＣＮ１との交差部の電圧は放電開始電圧を超えないので、書込み放電は発生しない。次に、同様にして３行目の放電セルに対して書込み動作を行う。以降も同様に、走査電極グループ４Ａに対応する最後の行であるｎ−１行目の放電セルに至るまで順次書込み動作を行う。そして、ｎ−１行目の放電セルに対する書込み動作が終了すると、走査電極グループ４Ｂの全ての走査電極ＳＣＮｂの電位を第２非選択電位Ｖｘ（Ｖ）から第１非選択電位Ｖｓ（Ｖ）に下げて、第１のサブ期間Ｔａが終了する。
【００９４】
次に、第２のサブ期間Ｔｂでは、偶数行の走査電極グループ４Ｂに対応する放電セルに対して書込み動作を行う。まず、走査電極グループ４Ｂに対応する最初の行である２行目の放電セルに対して書込み動作を行う。この２行目の放電セルに対する書込み動作は、前述の１行目の放電セルに対する書込み動作と同様である（但し、後述のように、１ライン書込み時間ｔａ、ｔｂが異なる）。次に、同様にして４行目の放電セルに対して書込み動作を行う。以降も同様に、走査電極グループ４Ｂに対応する最後の行であるｎ行目の放電セルに至るまで順次書込み動作を行う。そして、ｎ行目の放電セルに対する書込み動作が終了すると、全ての維持電極ＳＵＳ１〜ＳＵＳｎを０Ｖに保持し、第２のサブ期間Ｔｂが終了する。
【００９５】
このように本実施形態における書込み期間では、走査電極グループ４Ａに対応する行の放電セルに対して書込み動作を行った後、走査電極グループ４Ｂに対応する行の放電セルに対して書込み動作を行うようにし、それぞれの書込み動作では、走査電極に順次走査パルスを与えるとともに、データ電極には表示すべき画像信号に対応した書込みパルス電位を与えることにより、走査電極とデータ電極との間及び走査電極と維持電極との間で選択的に書込み放電を起こし、選択的に壁電荷形成を行う。
【００９６】
さらに、本実施形態では、各走査電極に走査パルス電位Ｖｂ（Ｖ）を与える時間である１ライン書込み時間を、第１のサブ期間Ｔａと第２のサブ期間Ｔｂとで異ならせている。すなわち、第１のサブ期間Ｔａにおける１ライン書込み時間ｔａを、第２のサブ期間Ｔｂにおける１ライン書込み時間ｔｂよりも短くしている。第１のサブ期間Ｔａでは、第２のサブ期間Ｔｂと比較して、初期化期間終了時からの経過時間が短く、放電セル内の壁電荷及びプライミング粒子の減少が少ないため、放電遅れが小さく、１ライン書込み時間ｔａを短くしても良好な書込み放電が得られる。そして、１ライン書込み時間ｔａを短くすることにより、第１のサブ期間Ｔａを短縮できる。また、書込み期間中の壁電荷の中和量は、初期化期間の動作終了時から書込み動作が行われるまでの時間（書込み待機時間）が長い放電セルほど大きく、また、壁電荷の中和現象は、初期化放電によるプライミング粒子の大量発生等により、初期化期間の動作終了直後ほど顕著に発生するため、第１のサブ期間Ｔａを短くすることにより、第１のサブ期間Ｔａにおいて書込み動作の対象となる放電セルの書込み待機中における壁電荷及びプライミング粒子の減少を抑えることが可能になり、第１のサブ期間Ｔａの後半部における書込みミスをより防止することができる。また、第１のサブ期間Ｔａを短縮することにより、第２のサブ期間Ｔｂを初期化期間終了時に近づけることができ、第２のサブ期間Ｔｂにおいても書込み動作の対象となる放電セルの書込み待機中における壁電荷及びプライミング粒子の減少を抑えることが可能になり、第２のサブ期間Ｔｂにおける書込みミスを防止することができる。
【００９７】
次に、維持期間では、まず、維持電極ＳＵＳ１〜ＳＵＳｎを０（Ｖ）に戻し、走査電極ＳＣＮ１〜ＳＣＮｎに正の維持パルス電位Ｖｍ（Ｖ）を与える。このとき、書込み放電を起こした放電セルにおいて、放電空間における走査電極ＳＣＮｉ近傍部分と維持電極ＳＵＳｉ近傍部分との間の電圧は、維持パルス電圧（Ｖｍ）に走査電極ＳＣＮｉ上の壁電荷により生じる電圧および維持電極ＳＵＳｉ上の壁電荷により生じる電圧の大きさが加算されたものとなり放電開始電圧を超える。そして、走査電極ＳＣＮｉと維持電極ＳＵＳｉとの間に維持放電が起こり、走査電極ＳＣＮｉ上に負の壁電荷が蓄積され、維持電極ＳＵＳｉ上に正の壁電荷が蓄積される。このときデータ電極Ｄｋ上にも正の壁電荷が蓄積される。書込み期間において書込み放電が起きなかった放電セルでは維持放電は発生しない。続いて、走査電極ＳＣＮ１〜ＳＣＮｎを０（Ｖ）に戻し、維持電極ＳＵＳ１〜ＳＵＳｎに正の維持パルス電位Ｖｍ（Ｖ）を与える。これにより、維持放電を起こした放電セルでは、放電空間における維持電極ＳＵＳｉ近傍部分と走査電極ＳＣＮｉ近傍部分との間の電圧は放電開始電圧を超えるので、再び維持電極ＳＵＳｉと走査電極ＳＣＮｉとの間に維持放電が起こり、維持電極ＳＵＳｉ上に負の壁電荷が蓄積され走査電極ＳＣＮｉ上に正の壁電荷が蓄積される。このように、走査電極ＳＣＮ１〜ＳＣＮｎと維持電極ＳＵＳ１〜ＳＵＳｎとに交互に維持パルスを与えることにより、書込み期間において書込み放電を起こした放電セルにおいて維持放電が継続して行われることにより点灯する。このとき、この維持パルスの回数が輝度の重みとなり、各サブフィールドにおいて維持パルス数を異ならせ、それらの組み合わせにより任意の階調を実現する。なお、維持期間の最後に走査電極ＳＣＮ１〜ＳＣＮｎに与えるパルス（細幅パルス）によって維持放電を停止させて、維持期間が終了する。このように、維持期間では、走査電極と維持電極との間に輝度重みに応じた所定の回数の維持パルス電圧を印加し、書込み放電による壁電荷形成を行った放電セルを選択的に放電させ発光（点灯）させる。
【００９８】
次に、初期化期間に選択初期化動作を行うサブフィールドにおける動作を説明する。
【００９９】
この初期化期間については図示していないが、図９の例えば第２ＳＦの初期化期間と同様であり、維持電極ＳＵＳ１〜ＳＵＳｎをＶｈ（Ｖ）に保持し、データ電極Ｄ１〜Ｄｍを０（Ｖ）に保持し、走査電極ＳＣＮ１〜ＳＣＮｎにＶｑ（Ｖ）からＶａ（Ｖ）に向かって緩やかに下降するランプ電位を与える。これにより、直前のサブフィールドの維持期間で維持放電を行った放電セルでは、走査電極ＳＣＮ１〜ＳＣＮｎを陰極とし維持電極ＳＵＳ１〜ＳＵＳｎおよびデータ電極Ｄ１〜Ｄｍを陽極とする微弱な初期化放電が発生し、走査電極ＳＣＮｉ、維持電極ＳＵＳｉ及びデータ電極Ｄｋ上の過剰な壁電荷が減らされ、書込み動作に適した壁電荷量に調整される。一方、直前のサブフィールドで書込み放電および維持放電が行われなかった放電セルについては放電は発生しない。
【０１００】
この後に続く書込み期間および維持期間については、初期化期間に全セル初期化動作を行うサブフィールドの書込み期間および維持期間と同様であるため説明を省略する。
【０１０１】
なお、本実施形態では、維持電極ＳＵＳ１〜ＳＵＳｎに対し書込み期間に与える待機電位Ｖｈ（Ｖ）が初期化期間に与える正の電位Ｖｈ（Ｖ）と等しくなるように構成しているが、必ずしもこのような構成に限られるものではなく、例えば、書込み期間に与える待機電位Ｖｈ（Ｖ）が、初期化期間に与える正の電位よりも若干（例えば５〜２０Ｖ程度）高くなるように構成してもよい。
【０１０２】
本実施形態では、書込み期間の第１のサブ期間Ｔａにおいて、走査電極グループ４Ｂの全ての走査電極ＳＣＮｂに与える第２非選択電位Ｖｘ（Ｖ）を、第１非選択電位Ｖｓ（Ｖ）よりも電圧Ｖｓｃｎ２の分だけ高い電位とし、電圧Ｖｓｃｎ２を走査パルス電圧Ｖｓｃｎと等しくなるように設定している。この第２非選択電位Ｖｘ（Ｖ）は、第１非選択電位Ｖｓ（Ｖ）よりも高く、全セル初期化動作を行う初期化期間の最高電位Ｖｒ（Ｖ）よりも低い電位に設定すればよい。但し、走査電極ＳＣＮｂと、維持電極ＳＵＳｂ及びデータ電極Ｄ１〜Ｄｍとの間で、放電が発生しないような電位に設定する。
【０１０３】
上記の駆動方法において、初期化期間及び維持期間の動作については、図９に示された従来例と同様であり、データ電極駆動回路１２によって全てのデータ電極Ｄ１〜Ｄｍが同一の電位（例えば０Ｖ）に保持され、走査電極駆動回路１３の第１及び第２駆動回路１３Ａ、１３Ｂによって全ての走査電極ＳＣＮ１〜ＳＣＮｎが同じように駆動され、維持電極駆動回路１４によって全ての維持電極ＳＵＳ１〜ＳＵＳｎが同じように駆動される。また、維持電極ＳＵＳ１〜ＳＵＳｎについては、書込み期間も、図９に示された従来例と同様に駆動される。
【０１０４】
また、書込み期間において書込み動作を行う行の選択順（走査電極の選択順）は、予めデータ電極駆動回路１２に記憶されているか、あるいはデータ電極駆動回路１２が行の選択順に応じて動作するように構成されており、データ電極駆動回路１２は、サブフィールド変換部１８から入力されるサブフィールド毎の画像データを、各データ電極Ｄ１〜Ｄｍに対応する信号に変換する際、書込み動作を行う行の選択順に応じて各データ電極Ｄ１〜Ｄｍに対応する信号（書込み信号）に変換して各データ電極Ｄ１〜Ｄｍに与える。また、データ電極駆動回路１２は、走査電極駆動回路１３による走査電極の選択に同期して各データ電極Ｄ１〜Ｄｍに書込み信号を与えるように構成され、第１のサブ期間Ｔａにおいて書込み信号を与える時間は、走査電極の選択時間である１ライン書込み時間ｔａに準じ、第２のサブ期間Ｔｂにおいて書込み信号を与える時間は、１ライン書込み時間ｔｂに準じる。
【０１０５】
また、書込み期間において、走査電極駆動回路１３は、まず、第１のサブ期間Ｔａに第１駆動回路１３Ａによって走査電極を第１の書込み周期（１ライン書込み時間ｔａ＋走査パルス間の時間）ごとに順次選択し、第２のサブ期間Ｔｂには第２駆動回路１３Ｂによって走査電極を第２の書込み周期（１ライン書込み時間ｔｂ＋走査パルス間の時間）ごとに順次選択するように構成されるとともに、第１のサブ期間Ｔａには第２駆動回路１３Ｂから走査電極グループ４Ｂの全ての走査電極ＳＣＮｂに第２非選択電位Ｖｘ（Ｖ）を与えるように構成されている。なお、１ライン書込み時間ｔａを１ライン書込み時間ｔｂよりも短くしているので、第１の書込み周期も第２の書込み周期よりも短い。また、走査パルス間の時間を短くすることで、第１の書込み周期を略１ライン書込み時間ｔａとし、第２の書込み周期を略１ライン書込み時間ｔｂとすることができる。さらに走査パルス間の時間を０にすれば、第１の書込み周期を１ライン書込み時間ｔａと等しくし、第２の書込み周期を１ライン書込み時間ｔｂと等しくすることができる。
【０１０６】
書込み期間の第１のサブ期間Ｔａにおいて、走査電極駆動回路１３では、第１駆動回路１３Ａが、出力端子Ｐ１、Ｐ２、・・・、Ｐｚに対しその並び順に走査パルス電位Ｖｂ（Ｖ）を順次与えることにより、奇数行の走査電極ＳＣＮａが所定の選択順（本実施形態ではＰＤＰ１内の奇数行についての配列順と同じ）に選択される。また、第２のサブ期間Ｔｂにおいては、第２駆動回路１３Ｂが、出力端子Ｑ１、Ｑ２、・・・、Ｑｚに対しその並び順に走査パルス電位Ｖｂ（Ｖ）を順次与えることにより、偶数行の走査電極ＳＣＮｂが所定の選択順（本実施形態ではＰＤＰ１内の偶数行についての配列順と同じ）に選択される。このように、ＰＤＰ１内の全ての走査電極における配列順とは異なる所定の選択順に走査電極を選択するために、第１駆動回路１３Ａ及び第２駆動回路１３Ｂでは、それぞれの出力端子の並び順に走査パルス電位Ｖｂ（Ｖ）を順次与えるようにすればよいので、第１駆動回路１３Ａ及び第２駆動回路１３Ｂの構成が簡単になる。
【０１０７】
以上のように、走査電極駆動回路１３は、書込み期間の書込み動作を行うときには、所定の選択順に走査電極を選択するように構成されている。
【０１０８】
また、維持電極駆動回路１４では、初期化期間から続いて書込み期間中に、全ての維持電極ＳＵＳ１〜ＳＵＳｎに対し共通（同一）の待機電位Ｖｈ（Ｖ）を与えるように構成されている。
【０１０９】
前述の動作から明らかなように、走査電極駆動回路１３において、走査電極グループ４Ｂの走査電極ＳＣＮｂを駆動する第２駆動回路１３Ｂは、第１駆動回路１３Ａに対して、第１のサブ期間Ｔａに、走査電極グループ４Ｂの全ての走査電極ＳＣＮｂに第２非選択電位Ｖｘ（Ｖ）を与えるための構成が追加された構成になっている。
【０１１０】
本実施形態では、初期化期間の後の書込み期間を複数のサブ期間に分割し、第１のサブ期間Ｔａ中に、第１のサブ期間Ｔａより後の第２のサブ期間Ｔｂに割り当てられた走査電極グループ４Ｂの走査電極ＳＣＮｂに対し、第１非選択電位Ｖｓ（Ｖ）より高い第２非選択電位Ｖｘ（Ｖ）を与えることにより、書込み待機中の放電セル（走査電極グループ４Ｂに対応する放電セル）において、放電空間における走査電極ＳＣＮｂ近傍部分とデータ電極Ｄ１〜Ｄｍ近傍部分との間の電位差、及び走査電極ＳＣＮｂ近傍部分と維持電極ＳＵＳｂ近傍部分との間の電位差を小さくして、従来問題になっていた壁電荷の中和を抑制することができる。さらに、第１のサブ期間Ｔａにおける１ライン書込み時間ｔａを、第２のサブ期間Ｔｂにおける１ライン書込み時間ｔｂよりも短くすることにより、第１のサブ期間Ｔａを短縮し、第１のサブ期間Ｔａの後半部及び第２のサブ期間Ｔｂを初期化期間終了時に近づけることができ、第１のサブ期間Ｔａの後半部及び第２のサブ期間Ｔｂにおいて書込み動作の対象となる放電セルの書込み待機中における壁電荷及びプライミング粒子の減少を抑えることが可能になる。以上のことから、初期化期間終了時における書込み放電が可能な帯電状態の維持をより良好に行うことができ、書込み待機時間の増加による書込みミスをより低減することが可能になる。
【０１１１】
さらに、それぞれの走査電極グループ４Ａ、４Ｂの走査電極がＰＤＰ１において交互に配列されていることにより、各々の走査電極グループ４Ａ、４Ｂに属する走査電極がＰＤＰ１のパネル面（画面）全体に均一に存在するため、各走査電極グループ４Ａ、４Ｂ間の回路インピーダンスの違いや、各走査電極グループ４Ａ、４Ｂ間での負荷の違い等によって発生する画面上の輝度差が目立たなくなり、明線／暗線の発生も防止でき、良好な画質を得ることができる。
【０１１２】
〔変形例〕
次に、本実施の形態における変形例を説明する。この変形例では、書込み期間における駆動方法のみが図５の場合とは異なる。
【０１１３】
図６は、第１の実施形態における変形例の書込み期間の各電極の電位を示す波形図である。この図６では、奇数行の走査電極ＳＣＮａと、偶数行の走査電極ＳＣＮｂと、維持電極ＳＵＳ１〜ＳＵＳｎと、データ電極Ｄ１〜Ｄｍとについて、書込み期間における電位を示している。ここで、奇数行の走査電極ＳＣＮａについては、その全ての走査電極に順次与える走査パルス（電位Ｖｂ）を示し、偶数行の走査電極ＳＣＮｂについても、その全ての走査電極に順次与える走査パルス（電位Ｖｂ）を示している。また、データ電極Ｄ１〜Ｄｍについては、書込みパルス（電位Ｖｗ）の個別形状は図５と同様であり、図６では示さずに、それが与えられる期間のみを示している。
【０１１４】
この例では、書込み期間が、第１のサブ期間Ｔａと書込み休止期間Ｔｒと第２のサブ期間Ｔｂとで構成される。第１のサブ期間Ｔａは、図５の場合と同様、走査電極グループ４Ａに対応する放電セルに対して書込み動作を行う期間であり、第２のサブ期間Ｔｂは、図５の場合と同様、走査電極グループ４Ｂに対応する放電セルに対して書込み動作を行う期間である。
【０１１５】
書込み休止期間Ｔｒは、第１のサブ期間Ｔａと第２のサブ期間Ｔｂとの間に設けられ、この期間には、走査パルス及び書込みパルスは与えない。この書込み休止期間Ｔｒにおいて、走査電極グループ４Ｂの走査電極ＳＣＮｂに与える電位を第２非選択電位Ｖｘ（Ｖ）から第１非選択電位Ｖｓ（Ｖ）に切り替える。このとき、図６に示すように、走査電極グループ４Ｂの走査電極ＳＣＮｂの電位は、急峻には変化せずに、第１非選択電位Ｖｓになるまでに所定の時間（遷移時間）を要する。また、このとき、維持電極ＳＵＳ１〜ＳＵＳｎは、偶数行の走査電極ＳＣＮｂとの容量結合によって、その電位が図６に示すように変動する。
【０１１６】
このように、走査電極ＳＣＮｂの電位が第１非選択電位Ｖｓに切り替えられるときに所定の時間を要し、維持電極ＳＵＳ１〜ＳＵＳｎの電位が変動する場合に、例えば、書込み休止期間Ｔｒを設けずに、奇数行の走査電極グループ４Ａの最終の走査パルスと偶数行の走査電極グループ４Ｂの最初の走査パルスとの間隔を、通常の書込み時の走査パルス間隔（走査パルス間の時間）ｔｉと同じにしようとすれば、偶数行の走査電極ＳＣＮｂに最初の走査パルスが与えられるまでに、偶数行の走査電極ＳＣＮｂの電位が第１非選択電位Ｖｓになっている必要がある。したがって、この場合、奇数行の走査電極グループ４Ａに最終の走査パルスが与えられているときに、あるいはその前に、偶数行の走査電極ＳＣＮｂに与える電位を第２非選択電位Ｖｘ（Ｖ）から第１非選択電位Ｖｓ（Ｖ）に切り替えなければならない。この場合、奇数行の走査電極グループ４Ａに最終の走査パルスが与えられているときに、前述のように維持電極ＳＵＳ１〜ＳＵＳｎの電位が変動する。すなわち、走査電極グループ４Ａの最終の走査パルスが与えられる走査電極ＳＣＮ（ｎ−１）と対をなす維持電極ＳＵＳ（ｎ−１）の電位が変動し、またそれによって走査パルスが与えられている走査電極ＳＣＮ（ｎ−１）の電位も変動することにより、走査電極ＳＣＮ（ｎ−１）と維持電極ＳＵＳ（ｎ−１）との間の電圧が低下し、書込みミスが生じやすくなる。
【０１１７】
そこで、この例では、奇数行の走査電極グループ４Ａに最終の走査パルスの付与終了後、すなわち、第１のサブ期間Ｔａの後に、書込み休止期間Ｔｒを設け、その間に偶数行の走査電極ＳＣＮｂに与える電位を切り替え、維持電極ＳＵＳ１〜ＳＵＳｎの電位変動が終了あるいは実質的に終了してから、第２のサブ期間Ｔｂを開始することにより、前述の書込みミスを防止することができる。
【０１１８】
この書込み休止期間Ｔｒは、少なくともサブ期間Ｔａ、Ｔｂにおける走査パルス間隔ｔｉより長い時間であり、複数のサブフィールドからなる１フィールドが所定時間（例えば周波数が６０Ｈｚの場合には、約１６．７ｍｓ）以内となるように定められる。例えば、シミュレーションあるいは試作品等によって、偶数行の走査電極ＳＣＮｂに与える電位を第２非選択電位Ｖｘ（Ｖ）から第１非選択電位Ｖｓ（Ｖ）に切り替えたときに、維持電極ＳＵＳ１〜ＳＵＳｎの電位がＶｈ±１（Ｖ）以内の所定値になる（電位変動が実質的に終了する）までの時間（この時間をｔｓとする）を求め、その時間ｔｓを書込み休止期間Ｔｒの所要時間に定めればよい。この場合、図６に示すように、第１のサブ期間Ｔａの終了直後、すなわち、書込み休止期間Ｔｒの開始と同時に偶数行の走査電極ＳＣＮｂに与える電位が切り替えられる。また、書込み休止期間Ｔｒを前述の時間ｔｓより長くできる場合には、その分、偶数行の走査電極ＳＣＮｂに与える電位を切り替えるタイミングを遅らせて、書込み休止期間Ｔｒの前半に走査電極ＳＣＮｂに与える電位を切り替えるようにし、書込み休止期間Ｔｒを時間ｔｓより長くしてもよい。図６において、例えば、１ライン書込み時間ｔａ、ｔｂを１．３〜１．４５μｓ（但し、ｔａ＜ｔｂ）、走査パルス間隔ｔｉを０．１〜０．２５μｓ、書込み休止期間Ｔｒを７．２５〜１４．５μｓの範囲内の所定値に設定することができる。
（第２の実施形態）
本発明の第２の実施形態に係るプラズマディスプレイ装置に用いるプラズマディスプレイパネルの構成は、図１及び図２に示された第１の実施形態と同様であり、その説明を省略する。
【０１１９】
また、本発明の第２の実施形態に係るプラズマディスプレイ装置の概略構成を示すブロック図も第１の実施形態で用いた図３によって示されるが、第１の実施形態とは維持電極駆動回路１４の内部構成が異なる。維持電極駆動回路１４以外の構成については第１の実施形態と同様であり、その詳しい説明を省略する。
【０１２０】
図７は、本発明の第２の実施形態における走査電極及び維持電極とそれぞれの駆動回路との接続関係を示す図である。
【０１２１】
ＰＤＰ１は、第１の実施形態と同様の構成であり、その内部に走査電極ＳＣＮ１〜ＳＣＮｎ、維持電極ＳＵＳ１〜ＳＵＳｎ及びデータ電極Ｄ１〜Ｄｍが配列されている。
【０１２２】
走査電極駆動回路１３も、第１の実施形態と同様の構成であり、その内部に奇数行の走査電極グループ４Ａの走査電極ＳＣＮａ（ａ＝１、３、・・・、ｎ−１）を駆動する第１駆動回路１３Ａと、偶数行の走査電極グループ４Ｂの走査電極ＳＣＮｂ（ｂ＝２、４、・・・、ｎ）を駆動する第２駆動回路１３Ｂと、それらを制御する制御回路（図示せず）とを有している。
【０１２３】
維持電極駆動回路１４は、第１の実施形態とは異なり、その内部に第１駆動回路１４Ａ及び第２駆動回路１４Ｂを有している。また、維持電極駆動回路１４内部において、維持電極ＳＵＳ１〜ＳＵＳｎは、奇数行の維持電極ＳＵＳａ（ａ＝１、３、・・・、ｎ−１）からなる維持電極グループ５Ａと、偶数行の維持電極ＳＵＳｂ（ｂ＝２、４、・・・、ｎ）からなる維持電極グループ５Ｂとにグループ分けされている。グループ５Ａの維持電極ＳＵＳａは共通接続されて、それらを駆動する第１駆動回路１４Ａの出力端子Ｒに接続され、グループ５Ｂの維持電極ＳＵＳｂは共通接続されて、それらを駆動する第２駆動回路１４Ｂの出力端子Ｓに接続されている。また、維持電極駆動回路１４は、タイミング発生回路１５から与えられるタイミング信号に基づいて第１駆動回路１４Ａ及び第２駆動回路１４Ｂを制御する制御回路（図示せず）を有している。
【０１２４】
ここで、維持電極グループ５Ａは、グループ４Ａの走査電極ＳＣＮａと対をなす維持電極ＳＵＳａからなるグループであり、維持電極グループ５Ｂは、グループ４Ｂの走査電極ＳＣＮｂと対をなす維持電極ＳＵＳｂからなるグループである。したがって、維持電極グループ５Ａは走査電極グループ４Ａと対応し、維持電極グループ５Ｂは走査電極グループ４Ｂと対応している。
【０１２５】
次に、本実施形態のＰＤＰの駆動方法について説明する。このＰＤＰの駆動方法は、本実施形態においては、プラズマディスプレイ装置の動作として遂行される。
【０１２６】
本実施形態のＰＤＰの駆動方法も、従来例及び第１の実施形態と同様、サブフィールド法による駆動方法であり、各サブフィールドはそれぞれ初期化期間、書込み期間および維持期間から構成されている。また、初期化期間においては、画像表示を行うすべての放電セルに対して初期化放電を行わせる全セル初期化動作と、直前のサブフィールドの維持期間中に点灯した放電セルに対してのみ選択的に初期化放電を行わせる選択初期化動作とのうちのいずれかの動作を行うことにより、各放電セルの内部が書込み期間における書込み放電が可能な帯電状態、すなわち書込み放電を行うのに適した壁電荷量になる。この初期化期間及び維持期間における駆動方法は、図９に示された従来例及び図５に示された第１の実施形態と同様であり、書込み期間における駆動方法が従来例及び第１の実施形態とは異なる。
【０１２７】
図８は本実施形態のＰＤＰの駆動方法による各電極に与える駆動電位信号の波形図である。この図８では、奇数行の走査電極グループ４Ａのある１つの走査電極ＳＣＮａと、偶数行の走査電極グループ４Ｂのある１つの走査電極ＳＣＮｂと、奇数行の維持電極グループ５Ａの維持電極ＳＵＳａと、偶数行の維持電極グループ５Ｂの維持電極ＳＵＳｂと、データ電極Ｄ１〜Ｄｍとについて、ある１つのサブフィールド期間における駆動電位信号を示している。なお、初期化期間及び維持期間においては、走査電極駆動回路１３から全ての走査電極ＳＣＮ１〜ＳＣＮｎに共通の走査電極駆動電位信号が与えられるとともに、維持電極駆動回路１４から全ての維持電極ＳＵＳ１〜ＳＵＳｎに共通の維持電極駆動電位信号が与えられる。
【０１２８】
図８において、全セル初期化を行う初期化期間及び維持期間の動作は、図５に示された第１の実施形態の場合と同様であり、その説明を省略する。
【０１２９】
書込み期間は、第１のサブ期間Ｔａと第２のサブ期間Ｔｂとで構成される。第１のサブ期間Ｔａは、奇数行の走査電極グループ４Ａに割り当てられた書込みサブ期間、すなわち走査電極グループ４Ａに対応する放電セルに対して書込み動作を行う期間である。また、第２のサブ期間Ｔｂは、偶数行の走査電極グループ４Ｂに割り当てられた書込みサブ期間、すなわち走査電極グループ４Ｂに対応する放電セルに対して書込み動作を行う期間である。各走査電極グループ４Ａ、４Ｂ内では、例えば、画面の上側（番号が小さい行）の走査電極に対応する放電セルから順番に画面の下側（番号が大きい行）の走査電極に対応する放電セルに対して書込み動作を行うようにする。
【０１３０】
第１のサブ期間Ｔａでは、まず、走査電極ＳＣＮ１〜ＳＣＮｎを一旦、第１非選択電位Ｖｓ（Ｖ）に保持した後、走査電極グループ４Ｂの全ての走査電極ＳＣＮｂを第１非選択電位Ｖｓ（Ｖ）よりも高い第２非選択電位Ｖｘ（Ｖ）に保持するとともに、維持電極グループ５Ｂの全ての維持電極ＳＵＳｂを第１待機電位である電位Ｖｈ（Ｖ）よりも低い第２待機電位Ｖｙ（Ｖ）に保持する。ここで、維持電極グループ５Ａの全ての維持電極ＳＵＳａについては初期化期間から保持されている第１待機電位である電位Ｖｈ（Ｖ）を維持する。その後、奇数行の走査電極グループ４Ａに対応する放電セルに対して書込み動作を行う。まず、走査電極グループ４Ａに対応する最初の行である１行目の放電セルに対して書込み動作を行う。この書込み動作では、１行目の走査電極ＳＣＮ１に選択電位である走査パルス電位Ｖｂ（Ｖ）を与えるとともに、データ電極Ｄ１〜Ｄｍのうち、１行目に点灯させるべき放電セルのデータ電極Ｄｋに正の書込みパルス電位Ｖｗ（Ｖ）を与える。このとき、データ電極Ｄｋと走査電極ＳＣＮ１との交差部の電圧は、外部印加電圧（Ｖｗ−Ｖｂ）に、データ電極Ｄｋ上の壁電荷により生じる電圧および走査電極ＳＣＮ１上の壁電荷により生じる電圧の大きさが加算されたものとなり、放電開始電圧を超える。そして、データ電極Ｄｋと走査電極ＳＣＮ１との間および維持電極ＳＵＳ１と走査電極ＳＣＮ１との間に書込み放電が起こり、この放電セルの走査電極ＳＣＮ１上に正の壁電荷が蓄積され、維持電極ＳＵＳ１上に負の壁電荷が蓄積され、データ電極Ｄｋ上にも負の壁電荷が蓄積される。このようにして、１行目に点灯させるべき放電セルで書込み放電を起こして各電極上に壁電荷を蓄積する書込み動作が行われる。一方、正の書込みパルス電位Ｖｗ（Ｖ）を与えなかったデータ電極と走査電極ＳＣＮ１との交差部の電圧は放電開始電圧を超えないので、書込み放電は発生しない。次に、同様にして３行目の放電セルに対して書込み動作を行う。以降も同様に、走査電極グループ４Ａに対応する最後の行であるｎ−１行目の放電セルに至るまで順次書込み動作を行う。そして、ｎ−１行目の放電セルに対する書込み動作が終了すると、走査電極グループ４Ｂの全ての走査電極ＳＣＮｂを第１非選択電位Ｖｓ（Ｖ）に保持するとともに、維持電極グループ５Ｂの全ての維持電極ＳＵＳｂを第１待機電位である電位Ｖｈ（Ｖ）に保持し、第１のサブ期間Ｔａが終了する。なお、第１待機電位Ｖｈ（Ｖ）は、走査電極の第１非選択電位Ｖｓ（Ｖ）よりも高く、維持パルス電位Ｖｍ（Ｖ）よりも低い電位に設定される。
【０１３１】
次に、第２のサブ期間Ｔｂでは、その期間中、維持電極グループ５Ａ、５Ｂの全ての維持電極ＳＵＳ１〜ＳＵＳｎについて保持されている電位Ｖｈ（Ｖ）を維持する。そして、偶数行の走査電極グループ４Ｂに対応する放電セルに対して書込み動作を行う。まず、走査電極グループ４Ｂに対応する最初の行である２行目の放電セルに対して書込み動作を行う。この２行目の放電セルに対する書込み動作は、前述の１行目の放電セルに対する書込み動作と同様である（但し、後述のように、１ライン書込み時間ｔａ、ｔｂが異なる）。次に、同様にして４行目の放電セルに対して書込み動作を行う。以降も同様に、走査電極グループ４Ｂに対応する最後の行であるｎ行目の放電セルに至るまで順次書込み動作を行う。そして、ｎ行目の放電セルに対する書込み動作が終了すると、全ての維持電極ＳＵＳ１〜ＳＵＳｎを０Ｖに保持し、第２のサブ期間Ｔｂが終了する。
【０１３２】
このように本実施形態における書込み期間では、走査電極グループ４Ａに対応する行の放電セルに対して書込み動作を行った後、走査電極グループ４Ｂに対応する行の放電セルに対して書込み動作を行うようにし、それぞれの書込み動作では、走査電極に順次走査パルスを与えるとともに、データ電極には表示すべき画像信号に対応した書込みパルス電位を与えることにより、走査電極とデータ電極との間及び走査電極と維持電極との間で選択的に書込み放電を起こし、選択的に壁電荷形成を行う。
【０１３３】
さらに、本実施形態では、各走査電極に走査パルス電位Ｖｂ（Ｖ）を与える時間である１ライン書込み時間を、第１のサブ期間Ｔａと第２のサブ期間Ｔｂとで異ならせている。すなわち、第１のサブ期間Ｔａにおける１ライン書込み時間ｔａを、第２のサブ期間Ｔｂにおける１ライン書込み時間ｔｂよりも短くしている。第１のサブ期間Ｔａでは、第２のサブ期間Ｔｂと比較して、初期化期間終了時からの経過時間が短く、放電セル内の壁電荷及びプライミング粒子の減少が少ないため、放電遅れが小さく、１ライン書込み時間ｔａを短くしても良好な書込み放電が得られる。そして、１ライン書込み時間ｔａを短くすることにより、第１のサブ期間Ｔａを短縮できる。また、書込み期間中の壁電荷の中和量は、初期化期間の動作終了時から書込み動作が行われるまでの時間（書込み待機時間）が長い放電セルほど大きく、また、壁電荷の中和現象は、初期化放電によるプライミング粒子の大量発生等により、初期化期間の動作終了直後ほど顕著に発生するため、第１のサブ期間Ｔａを短くすることにより、第１のサブ期間Ｔａにおいて書込み動作の対象となる放電セルの書込み待機中における壁電荷及びプライミング粒子の減少を抑えることが可能になり、第１のサブ期間Ｔａの後半部における書込みミスをより防止することができる。また、第１のサブ期間Ｔａを短縮することにより、第２のサブ期間Ｔｂを初期化期間終了時に近づけることができ、第２のサブ期間Ｔｂにおいても書込み動作の対象となる放電セルの書込み待機中における壁電荷及びプライミング粒子の減少を抑えることが可能になり、第２のサブ期間Ｔｂにおける書込みミスを防止することができる。
【０１３４】
次に、初期化期間に選択初期化動作を行うサブフィールドにおける動作を説明する。
【０１３５】
この初期化期間については図示していないが、図９の例えば第２ＳＦの初期化期間と同様であり、第１の実施形態で説明した通りである。この後に続く書込み期間および維持期間については、前述した初期化期間に全セル初期化動作を行うサブフィールドの書込み期間および維持期間と同様であるため説明を省略する。
【０１３６】
なお、本実施形態では、維持電極ＳＵＳ１〜ＳＵＳｎに対し書込み期間に与える第１待機電位Ｖｈ（Ｖ）が初期化期間に与える正の電位Ｖｈ（Ｖ）と等しくなるように構成しているが、必ずしもこのような構成に限られるものではなく、例えば、書込み期間に与える第１待機電位Ｖｈ（Ｖ）が、初期化期間に与える正の電位よりも若干（例えば５〜２０Ｖ程度）高くなるように構成してもよい。
【０１３７】
本実施形態では、書込み期間の第１のサブ期間Ｔａにおいて、走査電極グループ４Ｂの全ての走査電極ＳＣＮｂに与える第２非選択電位Ｖｘ（Ｖ）を、第１非選択電位Ｖｓ（Ｖ）よりも電圧Ｖｓｃｎ２の分だけ高い電位とし、電圧Ｖｓｃｎ２を走査パルス電圧Ｖｓｃｎと等しくなるように設定している。この第２非選択電位Ｖｘ（Ｖ）は、第１非選択電位Ｖｓ（Ｖ）よりも高く、全セル初期化動作を行う初期化期間の最高電位Ｖｒ（Ｖ）よりも低い電位に設定すればよい。但し、走査電極ＳＣＮｂと、維持電極ＳＵＳｂ及びデータ電極Ｄ１〜Ｄｍとの間で、放電が発生しないような電位に設定する。
【０１３８】
また、第１のサブ期間Ｔａにおいて、維持電極グループ５Ｂの全ての維持電極ＳＵＳｂに与える第２待機電位Ｖｙ（Ｖ）を接地電位に設定している。この第２待機電位Ｖｙ（Ｖ）は、第１待機電位Ｖｈ（Ｖ）よりも低く、走査電極の選択電位Ｖｂ（Ｖ）よりも高い電位に設定すればよい。但し、維持電極ＳＵＳｂと、走査電極ＳＣＮｂ及びデータ電極Ｄ１〜Ｄｍとの間で、放電が発生しないような電位に設定する。
【０１３９】
上記の駆動方法において、初期化期間及び維持期間の動作については、図９に示された従来例と同様であり、データ電極駆動回路１２によって全てのデータ電極Ｄ１〜Ｄｍが同一の電位（例えば０Ｖ）に保持され、走査電極駆動回路１３の第１及び第２駆動回路１３Ａ、１３Ｂによって全ての走査電極ＳＣＮ１〜ＳＣＮｎが同じように駆動され、維持電極駆動回路１４の第１及び第２駆動回路１４Ａ、１４Ｂによって全ての維持電極ＳＵＳ１〜ＳＵＳｎが同じように駆動される。
【０１４０】
また、維持電極駆動回路１４では、第１駆動回路１４Ａによって、初期化期間から続いて書込み期間中に、維持電極グループ５Ａの全ての維持電極ＳＵＳａに対し第１待機電位Ｖｈ（Ｖ）を与え、第２駆動回路１４Ｂによって、維持電極グループ５Ｂの全ての維持電極ＳＵＳｂに対し、書込み期間の第１のサブ期間Ｔａに第２待機電位Ｖｙ（Ｖ）を与え、第２のサブ期間Ｔｂに第１待機電位Ｖｈ（Ｖ）を与えるように構成されている。
【０１４１】
前述の動作から明らかなように、走査電極駆動回路１３において、走査電極グループ４Ｂの走査電極ＳＣＮｂを駆動する第２駆動回路１３Ｂは、第１駆動回路１３Ａに対して、第１のサブ期間Ｔａに、走査電極グループ４Ｂの全ての走査電極ＳＣＮｂに第２非選択電位Ｖｘ（Ｖ）を与えるための構成が追加された構成になっている（第１の実施形態と同様）。また、維持電極駆動回路１４において、維持電極グループ５Ｂの維持電極ＳＵＳｂを駆動する第２駆動回路１４Ｂは、第１駆動回路１４Ａに対して、第１のサブ期間Ｔａに、維持電極グループ５Ｂの全ての維持電極ＳＵＳｂに第２待機電位Ｖｙ（Ｖ）を与えるための構成が追加された構成になっている。
【０１４２】
本実施形態では、初期化期間の後の書込み期間を複数のサブ期間に分割し、第１のサブ期間Ｔａ中に、第１のサブ期間Ｔａより後の第２のサブ期間Ｔｂに割り当てられた走査電極グループ４Ｂの走査電極ＳＣＮｂに対し、第１非選択電位Ｖｓ（Ｖ）より高い第２非選択電位Ｖｘ（Ｖ）を与えることにより、書込み待機中の放電セル（走査電極グループ４Ｂに対応する放電セル）において、放電空間における走査電極ＳＣＮｂ近傍部分とデータ電極Ｄ１〜Ｄｍ近傍部分との間の電位差、及び走査電極ＳＣＮｂ近傍部分と維持電極ＳＵＳｂ近傍部分との間の電位差を小さくして、従来問題になっていた壁電荷の中和を抑制することができる。さらに維持電極グループ５Ｂの維持電極ＳＵＳｂに対し、第１待機電位Ｖｈ（Ｖ）よりも低い第２待機電位Ｖｙ（Ｖ）を与えることにより、書込み待機中の放電セルにおいて、放電空間における走査電極ＳＣＮｂ近傍部分と維持電極ＳＵＳｂ近傍部分との間の電位差をより小さくすることができ、壁電荷の中和をより抑制することができる。さらに、第１のサブ期間Ｔａにおける１ライン書込み時間ｔａを、第２のサブ期間Ｔｂにおける１ライン書込み時間ｔｂよりも短くすることにより、第１のサブ期間Ｔａを短縮し、第１のサブ期間Ｔａの後半部及び第２のサブ期間Ｔｂを初期化期間終了時に近づけることができ、第１のサブ期間Ｔａの後半部及び第２のサブ期間Ｔｂにおいて書込み動作の対象となる放電セルの書込み待機中における壁電荷及びプライミング粒子の減少を抑えることが可能になる。以上のことから、初期化期間終了時における書込み放電が可能な帯電状態の維持をより良好に行うことができ、書込み待機時間の増加による書込みミスをより低減することが可能になる。
【０１４３】
さらに、それぞれの走査電極グループ４Ａ、４Ｂの走査電極がＰＤＰ１において交互に配列されていることにより、各々の走査電極グループ４Ａ、４Ｂに属する走査電極がＰＤＰ１のパネル面（画面）全体に均一に存在するため、各走査電極グループ４Ａ、４Ｂ間の回路インピーダンスの違いや、各走査電極グループ４Ａ、４Ｂ間での負荷の違い等によって発生する画面上の輝度差が目立たなくなり、明線／暗線の発生も防止でき、良好な画質を得ることができる。
【０１４４】
この第２の実施形態においても、第１の実施形態で述べた変形例のように、第１のサブ期間Ｔａと第２のサブ期間Ｔｂとの間に書込み休止期間Ｔｒ（図６）を設けるようにしてもよい。
【０１４５】
以上に述べた第１及び第２の実施形態では、書込み動作をシングルスキャン方式で行う構成であり、このシングルスキャン方式では、ダブルスキャン方式よりも書込み待機時間が増加するため、書込み待機時間の増加による書込みミスをより効果的に低減することができる。なお、書込み動作をダブルスキャン方式で行う構成に、本発明を適用してもよい。
【０１４６】
また、従来、放電セル内のキセノンガスの分圧比が７％以上の高い分圧比において書込み待機時間の増加による書込みミスが多発していたので、放電セル内のキセノンガスの分圧比が７％以上の場合に書込みミスをより効果的に低減することができる。
【０１４７】
また、プラズマディスプレイパネルの解像度が例えば１００万画素（ＨＤ）以上のように高い場合には、各々の放電セルの占有面積が、２．６９６×１０-4ｃｍ2以上、４．４３２×１０-3ｃｍ2以下のように小さく、各々の放電セルに蓄積可能な壁電荷量が少なくなり、書込み待機時間の増加に伴う書込みミスが発生しやすくなるため、このような構成の場合に書込みミスをより効果的に低減することができる。なお、各々の放電セルの占有面積が、２．６９６×１０-4ｃｍ2である場合は、例えば、３７型画面において走査電極を１０８０本、データ電極を４３２０×３本備えた構成の場合に相当し、４．４３２×１０-3ｃｍ2である場合は、例えば、１００型画面において走査電極を１０８０本、データ電極を１９２０×３本備えた構成の場合に相当する。
【０１４８】
なお、第１及び第２の実施形態では、１フィールドを構成する各々のサブフィールドにおいて、書込み期間の前半の第１のサブ期間Ｔａに奇数行の走査電極グループ４Ａを割り当て、後半の第２のサブ期間Ｔｂに偶数行の走査電極グループ４Ｂを割り当てるようにしている。この前半と後半の各々のサブ期間に割り当てる走査電極グループ４Ａ、４Ｂを、１フィールドごと、または１サブフィールドごとに異なるようにしてもよい。または、１フィールドごとに異なり、かつ１サブフィールドごとに異なるようにしてもよい。
【０１４９】
走査電極グループ４Ａ、４Ｂを１フィールドごとに異なるサブ期間に割り当てる場合、例えば、第１フィールドの各サブフィールドにおいて、第１のサブ期間に走査電極グループ４Ａを、第２のサブ期間に走査電極グループ４Ｂを割り当て、第１フィールドに続く第２フィールドの各サブフィールドにおいて、第１のサブ期間に走査電極グループ４Ｂを、第２のサブ期間に走査電極グループ４Ａを割り当てるようにし、以降のフィールドにおいても同様に繰り返される。この場合、書込み待機時間の増加による書込みミスがたとえ発生したとしても、それによって不灯になる放電セルの位置が１フィールド（例えば周波数が６０Ｈｚの場合には、約１６．７ｍｓ）毎に異なるため、放電セルの不灯による画質劣化が肉眼では認識できず、目立たなくなる。
【０１５０】
走査電極グループ４Ａ、４Ｂを１サブフィールドごとに異なるサブ期間に割り当てる場合、例えば、各フィールドにおいて、第１サブフィールドでは、第１のサブ期間に走査電極グループ４Ａを、第２のサブ期間に走査電極グループ４Ｂを割り当て、第１サブフィールドに続く第２サブフィールドでは、第１のサブ期間に走査電極グループ４Ｂを、第２のサブ期間に走査電極グループ４Ａを割り当てるようにし、以降のサブフィールドにおいても同様に繰り返される。この場合、書込み待機時間の増加による書込みミスがたとえ発生したとしても、それによって不灯になる放電セルの位置が１サブフィールド（例えば周波数が６０Ｈｚで、１フィールドが１１個のサブフィールドで構成される場合には、約１．５ｍｓ）毎に異なるため、放電セルの不灯による画質劣化が肉眼では認識できず、目立たなくなる。
【０１５１】
走査電極グループ４Ａ、４Ｂを１フィールドごとに異なり、かつ１サブフィールドごとに異なるサブ期間に割り当てる場合、例えば、第１フィールドにおける第１サブフィールドでは、第１のサブ期間に走査電極グループ４Ａを、第２のサブ期間に走査電極グループ４Ｂを割り当て、第１サブフィールドに続く第２サブフィールドでは、第１のサブ期間に走査電極グループ４Ｂを、第２のサブ期間に走査電極グループ４Ａを割り当てるようにし、以降のサブフィールドにおいても同様に繰り返される。そして第１フィールドに続く第２フィールドにおける第１サブフィールドでは、第１のサブ期間に走査電極グループ４Ｂを、第２のサブ期間に走査電極グループ４Ａを割り当て、第１サブフィールドに続く第２サブフィールドでは、第１のサブ期間に走査電極グループ４Ａを、第２のサブ期間に走査電極グループ４Ｂを割り当てるようにし、以降のサブフィールドにおいても同様に繰り返される。さらに、以降のフィールドにおいても同様に繰り返される。この場合、書込み待機時間の増加による書込みミスがたとえ発生したとしても、それによって不灯になる放電セルの位置が１フィールド毎及び１サブフィールド毎に異なるため、放電セルの不灯による画質劣化が肉眼では認識できず、目立たなくなる。
【０１５２】
また、第１及び第２の実施形態では、走査電極を２つの走査電極グループにグループ分けするとともに、書込み期間をそれぞれの走査電極グループが割り当てられる２つのサブ期間（書込みサブ期間）からなるようにしたが、３つ以上の走査電極グループにグループ分けして、書込み期間をそれぞれの走査電極グループが割り当てられる３つ以上のサブ期間からなるようにしてもよい。
【０１５３】
第１の実施の形態において、例えば、走査電極を４つの走査電極グループにグループ分けする場合、図２のように配列された走査電極ＳＣＮ１〜ＳＣＮｎを、ＳＣＮｃ（ｃ＝１＋４ｊ、ｊ＝０，１，２，・・・）、ＳＣＮｄ（ｄ＝２＋４ｊ）、ＳＣＮｅ（ｅ＝３＋４ｊ）、ＳＣＮｆ（ｆ＝４＋４ｊ）の４つにグループ分けし、走査電極ＳＣＮｃを走査電極グループＣ１とし、走査電極ＳＣＮｄを走査電極グループＤ１とし、走査電極ＳＣＮｅを走査電極グループＥ１とし、走査電極ＳＣＮｆを走査電極グループＦ１とする。この場合、書込み期間を、第１のサブ期間、第２のサブ期間、第３のサブ期間、第４のサブ期間の順に４つのサブ期間に分割し、例えば、走査電極グループＣ１を第１のサブ期間に、走査電極グループＤ１を第２のサブ期間に、走査電極グループＥ１を第３のサブ期間に、走査電極グループＦ１を第４のサブ期間に、それぞれ割り当てるようにすればよい。そして、走査電極グループＣ１が割り当てられた第１のサブ期間においては、走査電極グループＤ１，Ｅ１，Ｆ１の走査電極に、図５の第１のサブ期間Ｔａにおける偶数行の走査電極グループ４Ｂの走査電極と同じ電位を与え、走査電極グループＤ１が割り当てられた第２のサブ期間においては、走査電極グループＥ１，Ｆ１の走査電極に、図５の第１のサブ期間Ｔａにおける偶数行の走査電極グループ４Ｂの走査電極と同じ電位を与え、走査電極グループＥ１が割り当てられた第３のサブ期間においては、走査電極グループＦ１の走査電極に、図５の第１のサブ期間Ｔａにおける偶数行の走査電極グループ４Ｂの走査電極と同じ電位を与えるようにすればよい。
【０１５４】
このように、３つ以上の走査電極グループにグループ分けした場合、任意の走査電極グループについて、各走査電極グループが割り当てられたサブ期間より以前の全てのサブ期間において、図５の第１のサブ期間Ｔａにおける偶数行の走査電極グループ４Ｂと同じ電位を与えるようにすることが最も好ましいが、少なくとも１つの走査電極グループについて、その走査電極グループが割り当てられたサブ期間より以前の少なくとも１つのサブ期間において、図５の第１のサブ期間Ｔａにおける偶数行の走査電極グループ４Ｂと同じ電位を与えるようにすることにより、書込みミスをある程度は低減できる。
【０１５５】
また、第２の実施の形態において、例えば、走査電極を４つの走査電極グループにグループ分けする場合、図２のように配列された走査電極ＳＣＮ１〜ＳＣＮｎを、ＳＣＮｃ（ｃ＝１＋４ｊ、ｊ＝０，１，２，・・・）、ＳＣＮｄ（ｄ＝２＋４ｊ）、ＳＣＮｅ（ｅ＝３＋４ｊ）、ＳＣＮｆ（ｆ＝４＋４ｊ）の４つにグループ分けし、走査電極ＳＣＮｃを走査電極グループＣ１とし、走査電極ＳＣＮｄを走査電極グループＤ１とし、走査電極ＳＣＮｅを走査電極グループＥ１とし、走査電極ＳＣＮｆを走査電極グループＦ１とする。また、走査電極と対をなす維持電極についても同様にグループ分けする。維持電極ＳＵＳ１〜ＳＵＳｎを、ＳＵＳｃ（ｃ＝１＋４ｊ、ｊ＝０，１，２，・・・）、ＳＵＳｄ（ｄ＝２＋４ｊ）、ＳＵＳｅ（ｅ＝３＋４ｊ）、ＳＵＳｆ（ｆ＝４＋４ｊ）の４つにグループ分けし、維持電極ＳＵＳｃを維持電極グループＣ２とし、維持電極ＳＵＳｄを維持電極グループＤ２とし、維持電極ＳＵＳｅを維持電極グループＥ２とし、維持電極ＳＵＳｆを維持電極グループＦ２とする。この場合、書込み期間を、第１のサブ期間、第２のサブ期間、第３のサブ期間、第４のサブ期間の順に４つのサブ期間に分割し、例えば、走査電極グループＣ１を第１のサブ期間に、走査電極グループＤ１を第２のサブ期間に、走査電極グループＥ１を第３のサブ期間に、走査電極グループＦ１を第４のサブ期間に、それぞれ割り当てるようにすればよい。そして、走査電極グループＣ１が割り当てられた第１のサブ期間においては、走査電極グループＤ１，Ｅ１，Ｆ１の走査電極に、図８の第１のサブ期間Ｔａにおける偶数行の走査電極グループ４Ｂの走査電極と同じ電位を与え、維持電極グループＤ２，Ｅ２，Ｆ２の維持電極に、図８の第１のサブ期間Ｔａにおける偶数行の維持電極グループ５Ｂの維持電極と同じ電位を与える。また、走査電極グループＤ１が割り当てられた第２のサブ期間においては、走査電極グループＥ１，Ｆ１の走査電極に、図８の第１のサブ期間Ｔａにおける偶数行の走査電極グループ４Ｂの走査電極と同じ電位を与え、維持電極グループＥ２，Ｆ２の維持電極に、図８の第１のサブ期間Ｔａにおける偶数行の維持電極グループ５Ｂの維持電極と同じ電位を与える。また、走査電極グループＥが割り当てられた第３のサブ期間においては、走査電極グループＦ１の走査電極に、図８の第１のサブ期間Ｔａにおける偶数行の走査電極グループ４Ｂの走査電極と同じ電位を与え、維持電極グループＦ２の維持電極に、図８の第１のサブ期間Ｔａにおける偶数行の維持電極グループ５Ｂの維持電極と同じ電位を与えるようにすればよい。
【０１５６】
このように、３つ以上の走査電極グループにグループ分けした場合、任意の走査電極グループ及びそれと対応する維持電極グループについて、各走査電極グループが割り当てられたサブ期間より以前の全てのサブ期間において、図８の第１のサブ期間Ｔａにおける偶数行の走査電極グループ４Ｂ及び維持電極グループ５Ｂと同じ電位を与えるようにすることが最も好ましいが、少なくとも１つの走査電極グループについて、その走査電極グループが割り当てられたサブ期間より以前の少なくとも１つのサブ期間において、図８の第１のサブ期間Ｔａにおける偶数行の走査電極グループ４Ｂと同じ電位を与えるとともに、その走査電極グループに対応する維持電極グループについて、図８の第１のサブ期間Ｔａにおける偶数行の維持電極グループ５Ｂと同じ電位を与えるようにすることにより、書込みミスをある程度は低減できる。
【０１５７】
以上のように、３つ以上の走査電極グループにグループ分けした場合の走査電極の１ライン書込み時間については次のように設定すればよい。例えば前述のように４つの走査電極グループＣ１〜Ｆ１にグループ分けし、書込み期間を、４つの各走査電極グループＣ１〜Ｆ１に対応するように第１〜第４の順に４つのサブ期間に分割した場合について説明する。この場合、第１のサブ期間における走査電極グループＣ１の１ライン書込み時間をｔｃ、第２のサブ期間における走査電極グループＤ１の１ライン書込み時間をｔｄ、第３のサブ期間における走査電極グループＥ１の１ライン書込み時間をｔｅ、第４のサブ期間における走査電極グループＦ１の１ライン書込み時間をｔｆとすると、ｔｃ＜ｔｄ＜ｔｅ＜ｔｆとすることにより、第１〜第３のサブ期間を短縮して、第２〜第４のサブ期間において書込み動作の対象となる放電セルの書込み待機中における壁電荷及びプライミング粒子の減少を抑えることが可能になる。このように、初期化期間に近いサブ期間ほど１ライン書込み時間が短くなるようにすることが最も好ましいが、ｔｃ＜ｔｄ＜ｔｅ＝ｔｆ、ｔｃ＜ｔｄ＝ｔｅ＜ｔｆ、ｔｃ＝ｔｄ＜ｔｅ＜ｔｆ、ｔｃ＜ｔｄ＝ｔｅ＝ｔｆ、ｔｃ＝ｔｄ＝ｔｅ＜ｔｆ等としても有る程度の効果は得られる。また、ｔｄ＜ｔｅ＝ｔｆ＝ｔｃ、ｔｅ＜ｔｄ＝ｔｆ＝ｔｃとしても少なくとも最後のサブ期間を初期化期間終了時に近づけることができ、有る程度の効果は得られる。すなわち、書込み期間を構成する複数のサブ期間のうち、最後のサブ期間における１ライン書込み時間より短い１ライン書込み時間が設定されるサブ期間が少なくとも１つ存在するようにすればよい。但し、最後のサブ期間における１ライン書込み時間より長い１ライン書込み時間が設定されるサブ期間は存在しないものとする。
【０１５８】
また、３つ以上の走査電極グループにグループ分けした場合も、第１の実施形態の変形例で述べたように各サブ期間の間に書込み休止期間を設けるようにしてもよい。
【０１５９】
また、３つ以上の走査電極グループにグループ分けした場合も、各々のサブ期間に割り当てる走査電極グループを、１フィールドごと、または１サブフィールドごとに異なるようにしてもよいし、または、１フィールドごとに異なり、かつ１サブフィールドごとに異なるようにしてもよい。
【０１６０】
なお、走査電極グループのグループ数の増加は、走査電極駆動回路１３の複雑化及び制御の複雑化を招くことになる。さらに、第２の実施形態において、走査電極グループのグループ数を増加する場合には、維持電極グループのグループ数も同様に増加するため、維持電極駆動回路１４の複雑化及び制御の複雑化を招くことにもなる。このようなデメリットを考慮すれば走査電極グループのグループ数を２つにするのが好ましい。
【０１６１】
なお、以上では、各々の走査電極グループに属する走査電極の本数を等しいものとしたが、各々の走査電極グループに属する走査電極の本数が異なってもよい。また、各々の走査電極グループに属する走査電極が１本ずつ順番に配列されているものとしたが、これに限られるものではない。各々の走査電極グループは、それぞれ、すくなくとも１本（複数本の場合には互いに隣接して存在する複数本）の走査電極からなる複数の走査電極サブグループを有し、かつ、異なる走査電極グループの走査電極サブグループ同士が隣接して存在するとともに同一の走査電極グループの走査電極サブグループ同士が隣接して存在しないように、走査電極がグループ分けされて構成されてあればよい。ここで、各走査電極サブグループが１本の走査電極で構成される例が、図４、図７に示された構成である。例えば、各走査電極サブグループが互いに隣接する２本の走査電極で構成されてあってもよい。また、走査電極グループごとに、走査電極サブグループを構成する走査電極の本数が異なってもよいし、各々の走査電極グループにおいて各走査電極サブグループを構成する走査電極の本数が異なってもよい。
【０１６２】
上記説明から、当業者にとっては、本発明の多くの改良や他の実施形態が明らかである。従って、上記説明は、例示としてのみ解釈されるべきであり、本発明を実行する最良の態様を当業者に教示する目的で提供されたものである。本発明の精神を逸脱することなく、その構造及び／又は機能の詳細を実質的に変更できる。
【産業上の利用可能性】
【０１６３】
本発明に係るプラズマディスプレイパネルの駆動方法及びプラズマディスプレイ装置は、書込みミスをより低減し、良好な画質を得ることができる画像表示装置等として有用である。
【図面の簡単な説明】
【０１６４】
【図１】図１は、本発明の第１の実施形態に係るプラズマディスプレイ装置に用いるプラズマディスプレイパネルの要部を示す斜視図である。
【図２】図２は、図１のプラズマディスプレイパネルの電極配列図である。
【図３】図３は、本発明の第１の実施形態に係るプラズマディスプレイ装置の構成を示すブロック図である。
【図４】図４は、本発明の第１の実施形態における走査電極及び維持電極とそれぞれの駆動回路との接続関係を示す図である。
【図５】図５は、本発明の第１の実施形態におけるプラズマディスプレイパネルの駆動方法による各電極に与える駆動電位信号の波形図である。
【図６】図６は、第１の実施形態における変形例の書込み期間の各電極の電位を示す波形図である。
【図７】図７は、本発明の第２の実施形態における走査電極及び維持電極とそれぞれの駆動回路との接続関係を示す図である。
【図８】図８は、本発明の第２の実施形態におけるプラズマディスプレイパネルの駆動方法による各電極に与える駆動電位信号の波形図である。
【図９】図９は、従来のプラズマディスプレイパネルの駆動方法による各電極に与える駆動電位信号の波形図である。
【図１０】図１０は、従来のプラズマディスプレイパネルの駆動方法の問題点を説明するために示された走査電極及び維持電極に与える駆動電位信号の波形図である。
【図１１】図１１（ａ）、（ｂ）は、それぞれ図１０の時刻ｔ１、ｔ２でのセル内の壁電荷の状態を模式的に示す図である。
【図１２】図１２は、書込み待機時間に対して良好な書込み放電を行うために必要である走査パルス電圧の一例を示した図である。
【符号の説明】
【０１６５】
Ｄ１〜Ｄｍ  データ電極
ＳＣＮ１〜ＳＣＮｎ  走査電極
ＳＵＳ１〜ＳＵＮｎ  維持電極
１  プラズマディスプレイパネル
４Ａ  奇数行の走査電極グループ
４Ｂ  偶数行の走査電極グループ
５Ａ  奇数行の維持電極グループ
５Ｂ  偶数行の維持電極グループ
１２  データ電極駆動回路
１３  走査電極駆動回路
１４  維持電極駆動回路
１５  タイミング発生回路
１６  Ａ／Ｄ変換器
１７  走査数変換部
１８  サブフィールド変換部
１９  ＡＰＬ検出部
【手続補正３】
【補正対象書類名】図面
【補正対象項目名】全図
【補正方法】変更
【補正の内容】
【図１】
2007142254.tif 000015
【図２】
2007142254.tif 000016
【図３】
2007142254.tif 000017
【図４】
2007142254.tif 000018
【図５】
2007142254.tif 000019
【図６】
2007142254.tif 000020
【図７】
2007142254.tif 000021
【図８】
2007142254.tif 000022
【図９】
2007142254.tif 000023
【図１０】
2007142254.tif 000024
【図１１】
2007142254.tif 000025
【図１２】
2007142254.tif 000026
【手続補正書】
【提出日】平成20年12月10日(2008.12.10)
【手続補正１】
【補正対象書類名】特許請求の範囲
【補正対象項目名】全文
【補正方法】変更
【補正の内容】
【特許請求の範囲】
【請求項１】
対をなす走査電極及び維持電極からなる複数の表示電極対と複数のデータ電極とが間隙を有して交差するように配設され、前記間隙を形成する前記表示電極対及び前記データ電極とを有し前記間隙に放電空間が形成された複数の放電セルを有したプラズマディスプレイパネルの駆動方法であって、
前記複数の表示電極対に含まれる複数の前記走査電極が複数の走査電極グループからなり、前記走査電極グループが少なくとも１の前記走査電極からなる複数の走査電極サブグループを有し、異なる走査電極グループに含まれる前記走査電極サブグループが隣接して存在するとともに同一走査電極グループに含まれる前記走査電極サブグループが互いに隣接して存在しないように、前記複数の走査電極を複数の前記走査電極グループにグループ分けし、
１フィールド期間を、前記放電セル内部を書込み放電が可能な帯電状態にする初期化期間と、点灯させる前記放電セルに前記書込み放電を生じさせる書込み期間と、前記書込み放電を生じさせた前記放電セルを点灯させる維持期間とを有する複数のサブフィールドに分割し、
各サブフィールドの前記書込み期間を、それぞれ異なる１つの前記走査電極グループを割り当てるように複数の書込みサブ期間に分割し、
前記書込みサブ期間に、前記書込みサブ期間に割り当てられた走査電極グループの前記走査電極を有する前記放電セルのうち前記点灯させるべき放電セルに前記書込み放電を生じさせるために、前記書込みサブ期間に割り当てられた走査電極グループの前記走査電極に対し選択と非選択とに応じて選択電位と第１非選択電位とを与えるようにして前記走査電極を順次選択し、各々の前記走査電極の選択と同期して選択すべき前記データ電極に書込み電位を与え、
前記複数の書込みサブ期間のうち最後の前記書込みサブ期間を除く一の前記書込みサブ期間において前記走査電極に対して前記選択電位を与える時間を、前記最後の書込みサブ期間において前記走査電極に対して前記選択電位を与える時間よりも短くし、
一の前記走査電極グループを割り当てた書込みサブ期間の直前の書込みサブ期間において、前記一の走査電極グループの前記走査電極に対し前記第１非選択電位より高い第２非選択電位を与え、
前記一の走査電極グループを割り当てた書込みサブ期間の直前の書込みサブ期間と、前記一の走査電極グループを割り当てた書込みサブ期間との間に、予め定められた所定時間からなり、全ての前記走査電極に対して前記選択電位を与えない書込み休止期間を設け、
前記書込み休止期間の前半に、前記一の走査電極グループの前記走査電極に与える電位を、前記第２非選択電位から前記第１非選択電位に切替える、プラズマディスプレイパネルの駆動方法。
【請求項２】
前記書込みサブ期間に割り当てられた走査電極グループと対をなす前記維持電極に第１待機電位を与え、前記一の走査電極グループを割り当てた書込みサブ期間より前のいずれかの前記書込みサブ期間において、前記一の走査電極グループの前記走査電極と対をなす前記維持電極に対し、前記第１待機電位より低い第２待機電位を与える、請求項１に記載のプラズマディスプレイパネルの駆動方法。
【請求項３】
前記第２待機電位は、前記選択電位より高い、請求項２に記載のプラズマディスプレイパネルの駆動方法。
【請求項４】
前記第２待機電位は、接地電位である、請求項２に記載のプラズマディスプレイパネルの駆動方法。
【請求項５】
前記書込み休止期間の前半に前記一の走査電極グループの前記走査電極に与える電位が前記第１非選択電位に切替えられたことによる前記維持電極の電位変動が、前記書込み休止期間の期間内に実質的に終了するよう、前記書込み休止期間の前記所定時間が予め定められている、請求項１に記載のプラズマディスプレイパネルの駆動方法。
【請求項６】
各サブフィールド期間において、前記初期化期間に、前記走査電極に対し、上昇後に下降する第１のランプ電位と、前記第１のランプ電位の最高電位よりも低い電位から下降する第２のランプ電位とのうちのいずれかを与えるようにし、
前記第２非選択電位は、前記第１のランプ電位の最高電位より低い、請求項１または２に記載のプラズマディスプレイパネルの駆動方法。
【請求項７】
前記走査電極グループのグループ数が２つである、請求項１または２に記載のプラズマディスプレイパネルの駆動方法。
【請求項８】
各々の前記書込みサブ期間に割り当てられる前記走査電極グループが、１フィールドごとに異なる、請求項１または２に記載のプラズマディスプレイパネルの駆動方法。
【請求項９】
各々の前記書込みサブ期間に割り当てられる前記走査電極グループが、１サブフィールドごとに異なる、請求項１または２に記載のプラズマディスプレイパネルの駆動方法。
【請求項１０】
各々の前記書込みサブ期間に割り当てられる前記走査電極グループが、１フィールドごとに異なり、かつ、１サブフィールドごとに異なる、請求項１または２に記載のプラズマディスプレイパネルの駆動方法。
【請求項１１】
前記放電セルに、分圧比が７％以上のキセノンガスを含む放電ガスが充填されている、請求項１または２に記載のプラズマディスプレイパネルの駆動方法。
【請求項１２】
各々の前記データ電極が全ての前記走査電極と交差するように配設され、前記書込み期間において前記走査電極を１本ずつ選択する、請求項１または２に記載のプラズマディスプレイパネルの駆動方法。
【請求項１３】
各々の前記放電セルの占有面積が、２．６９６×１０-4ｃｍ2以上、４．４３２×１０-3ｃｍ2以下である、請求項１または２に記載のプラズマディスプレイパネルの駆動方法。
【請求項１４】
対をなす走査電極及び維持電極からなる複数の表示電極対と複数のデータ電極とが間隙を有して交差するように配設され、前記間隙を形成する前記表示電極対及び前記データ電極とを有し前記間隙に放電空間が形成された複数の放電セルを有したプラズマディスプレイパネルと、前記プラズマディスプレイパネルを駆動する駆動装置とを備え、
前記駆動装置は、
前記複数の表示電極対に含まれる複数の前記走査電極が複数の走査電極グループからなり、前記走査電極グループが少なくとも１の前記走査電極からなる複数の走査電極サブグループを有し、異なる走査電極グループに含まれる前記走査電極サブグループが隣接して存在するとともに同一走査電極グループに含まれる前記走査電極サブグループが互いに隣接して存在しないように、前記複数の走査電極を複数の前記走査電極グループにグループ分けし、
１フィールド期間を、前記放電セル内部を書込み放電が可能な帯電状態にする初期化期間と、点灯させる前記放電セルに前記書込み放電を生じさせる書込み期間と、前記書込み放電を生じさせた前記放電セルを点灯させる維持期間とを有する複数のサブフィールドに分割し、
各サブフィールドの前記書込み期間を、それぞれ異なる１つの前記走査電極グループを割り当てるように複数の書込みサブ期間に分割し、
前記書込みサブ期間に、前記書込みサブ期間に割り当てられた走査電極グループの前記走査電極を有する前記放電セルのうち前記点灯させるべき放電セルに前記書込み放電を生じさせるために、前記書込みサブ期間に割り当てられた走査電極グループの前記走査電極に対し選択と非選択とに応じて選択電位と第１非選択電位とを与えるようにして前記走査電極を順次選択し、各々の前記走査電極の選択と同期して選択すべき前記データ電極に書込み電位を与え、
前記複数の書込みサブ期間のうち最後の前記書込みサブ期間を除く一の前記書込みサブ期間において前記走査電極に対して前記選択電位を与える時間を、前記最後の書込みサブ期間において前記走査電極に対して前記選択電位を与える時間よりも短くし、
一の前記走査電極グループを割り当てた書込みサブ期間の直前の書込みサブ期間において、前記一の走査電極グループの前記走査電極に対し前記第１非選択電位より高い第２非選択電位を与え、
前記一の走査電極グループを割り当てた書込みサブ期間の直前の書込みサブ期間と、前記一の走査電極グループを割り当てた書込みサブ期間との間に、予め定められた所定時間からなり、全ての前記走査電極に対して前記選択電位を与えない書込み休止期間を設け、
前記書込み休止期間の前半に、前記一の走査電極グループの前記走査電極に与える電位を、前記第２非選択電位から前記第１非選択電位に切替えるように構成された、プラズマディスプレイ装置。
【請求項１５】
前記駆動装置は、前記書込みサブ期間に割り当てられた走査電極グループと対をなす前記維持電極に第１待機電位を与え、前記一の走査電極グループを割り当てた書込みサブ期間より前のいずれかの前記書込みサブ期間において、前記一の走査電極グループの前記走査電極と対をなす前記維持電極に対し、前記第１待機電位より低い第２待機電位を与える、請求項１４に記載のプラズマディスプレイ装置。
【請求項１６】
前記第２待機電位は、前記選択電位より高い、請求項１５に記載のプラズマディスプレイ装置。
【請求項１７】
前記第２待機電位は、接地電位である、請求項１５に記載のプラズマディスプレイ装置。
【請求項１８】
前記駆動装置は、前記書込み休止期間の前半に前記一の走査電極グループの前記走査電極に与える電位が前記第１非選択電位に切替えられたことによる前記維持電極の電位変動が、前記書込み休止期間の期間内に実質的に終了するよう、前記書込み休止期間の前記所定時間が予め定められている、請求項１４に記載のプラズマディスプレイ装置。
【請求項１９】
前記駆動装置は、各サブフィールド期間において、前記初期化期間に、前記走査電極に対し、上昇後に下降する第１のランプ電位と、前記第１のランプ電位の最高電位よりも低い電位から下降する第２のランプ電位とのうちのいずれかを与えるようにし、
前記第２非選択電位は、前記第１のランプ電位の最高電位より低い、請求項１４または１５に記載のプラズマディスプレイ装置。
【請求項２０】
前記走査電極グループのグループ数が２つである、請求項１４または１５に記載のプラズマディスプレイ装置。
【請求項２１】
各々の前記書込みサブ期間に割り当てられる前記走査電極グループが、１フィールドごとに異なる、請求項１４または１５に記載のプラズマディスプレイ装置。
【請求項２２】
各々の前記書込みサブ期間に割り当てられる前記走査電極グループが、１サブフィールドごとに異なる、請求項１４または１５に記載のプラズマディスプレイ装置。
【請求項２３】
各々の前記書込みサブ期間に割り当てられる前記走査電極グループが、１フィールドごとに異なり、かつ、１サブフィールドごとに異なる、請求項１４または１５に記載のプラズマディスプレイ装置。
【請求項２４】
前記放電セルに、分圧比が７％以上のキセノンガスを含む放電ガスが充填されている、請求項１４または１５に記載のプラズマディスプレイ装置。
【請求項２５】
各々の前記データ電極が全ての前記走査電極と交差するように配設され、前記駆動装置は前記書込み期間において前記走査電極を１本ずつ選択する、請求項１４または１５に記載のプラズマディスプレイ装置。
【請求項２６】
各々の前記放電セルの占有面積が、２．６９６×１０-4ｃｍ2以上、４．４３２×１０-3ｃｍ2以下である、請求項１４または１５に記載のプラズマディスプレイ装置。
【国際調査報告】
2007142254.tif 000027
2007142254.tif 000028
2007142254.tif 000029
2007142254.tif 000030